(57)【要約】【課題】上りリンク制御情報を効率的に送信する。【解決手段】端末装置であって、ＣＳＩリクエスト、ＭＣＳインデックスを指示するために用いられる情報、および、物理リソースブロックを割り当てるために用いられる情報が含まれるＤＣＩフォーマット０を受信する受信部と、前記ＣＳＩリクエストフィールドが３ビットであり５つよりも多いサービングセルに対するアピリオディックＣＳＩレポートがトリガするようセットされている場合には、前記物理リソースブロックの数に関わらず、ＰＵＳＣＨを用いて上りリンク制御情報のみを送信する送信部と、を備える。【選択図】図３
2018041999.tif 000002
【特許請求の範囲】
【請求項１】
端末装置であって、
ＣＳＩリクエスト、ＭＣＳインデックスを指示するために用いられる情報、および、物理リソースブロックを割り当てるために用いられる情報が含まれるＤＣＩフォーマット０を受信する受信部と、
前記ＭＣＳインデックスが２９であり、ＣＳＩリクエストフィールドが３ビットであり、前記ＣＳＩリクエストフィールドが１つのサービングセルに対するアピリオディックＣＳＩレポートをトリガするようセットされ、前記物理リソースブロックの数が４と同じ、または、４より少ない場合には、ＰＵＳＣＨを用いて上りリンク制御情報のみを送信し、
前記ＭＣＳインデックスが２９であり、前記ＣＳＩリクエストフィールドが３ビットであり、前記ＣＳＩリクエストフィールドが１つよりも多いサービングセルに対するアピリオディックＣＳＩレポートがトリガするようセットされ、前記物理リソースブロックの数が２０と同じ、または、２０より少ない場合には、ＰＵＳＣＨを用いて上りリンク制御情報のみを送信し、
前記ＭＣＳインデックスが２９であり、前記ＣＳＩリクエストフィールドが３ビットであり５つよりも多いサービングセルに対するアピリオディックＣＳＩレポートがトリガするようセットされている場合には、前記物理リソースブロックの数に関わらず、ＰＵＳＣＨを用いて上りリンク制御情報のみを送信する送信部と、を備える
端末装置。
【請求項２】
前記受信部は、
ＣＳＩリクエスト、ＭＣＳインデックスを指示するために用いられる情報、物理リソースブロックを割り当てるために用いられる情報、および、送信レイヤを指示するために用いられる情報が含まれるＤＣＩフォーマット４を受信し、
前記送信部は、
１つのトランスポートブロックが有効とされ、前記有効とされたトランスポートブロックに対する該ＭＣＳインデックスが２９であり、送信レイヤの数が１であり、ＣＳＩリクエストフィールドが３ビットであり１つのサービングセルに対するアピリオディックＣＳＩレポートがトリガするようセットされ、前記物理リソースブロックの数が４以下の場合には、ＰＵＳＣＨを用いて上りリンク制御情報のみを送信し、
１つのトランスポートブロックが有効とされ、前記有効とされたトランスポートブロックに対する該ＭＣＳインデックスが２９であり、送信レイヤの数が１であり、ＣＳＩリクエストフィールドが３ビットであり１つよりもサービングセルに対するアピリオディックＣＳＩレポートがトリガするようセットされ、前記物理リソースブロックの数が２０以下の場合には、ＰＵＳＣＨを用いて上りリンク制御情報のみを送信し、
１つのトランスポートブロックが有効とされ、前記有効とされたトランスポートブロックに対する該ＭＣＳインデックスが２９であり、送信レイヤの数が１であり、ＣＳＩリクエストフィールドが３ビットであり５つよりもサービングセルに対するアピリオディックＣＳＩレポートがトリガするようセットされている場合には、前記物理リソースブロックの数に関わらず、ＰＵＳＣＨを用いて上りリンク制御情報のみを送信する
請求項１に記載の端末装置。
【請求項３】
基地局装置であって、
ＣＳＩリクエスト、ＭＣＳインデックスを指示するために用いられる情報、および、物理リソースブロックを割り当てるために用いられる情報が含まれるＤＣＩフォーマット０を送信する送信部と、
前記ＭＣＳインデックスが２９であり、ＣＳＩリクエストフィールドが３ビットであり、前記ＣＳＩリクエストフィールドが１つのサービングセルに対するアピリオディックＣＳＩレポートをトリガするようセットされ、前記物理リソースブロックの数が４と同じ、または、４より少ない場合には、ＰＵＳＣＨを用いて上りリンク制御情報のみを受信し、
前記ＭＣＳインデックスが２９であり、前記ＣＳＩリクエストフィールドが３ビットであり、前記ＣＳＩリクエストフィールドが１つよりも多いサービングセルに対するアピリオディックＣＳＩレポートがトリガするようセットされ、前記物理リソースブロックの数が２０と同じ、または、２０より少ない場合には、ＰＵＳＣＨを用いて上りリンク制御情報のみを受信し、
前記ＭＣＳインデックスが２９であり、前記ＣＳＩリクエストフィールドが３ビットであり５つよりも多いサービングセルに対するアピリオディックＣＳＩレポートがトリガするようセットされている場合には、前記物理リソースブロックの数に関わらず、ＰＵＳＣＨを用いて上りリンク制御情報のみを受信する受信部と、を備える
基地局装置。
【請求項４】
前記送信部は、
ＣＳＩリクエスト、ＭＣＳインデックスを指示するために用いられる情報、物理リソースブロックを割り当てるために用いられる情報、および、送信レイヤを指示するために用いられる情報が含まれるＤＣＩフォーマット４を送信し、
前記受信部は、
１つのトランスポートブロックが有効とされ、前記有効とされたトランスポートブロックに対する該ＭＣＳインデックスが２９であり、送信レイヤの数が１であり、ＣＳＩリクエストフィールドが３ビットであり１つのサービングセルに対するアピリオディックＣＳＩレポートがトリガするようセットされ、前記物理リソースブロックの数が４以下の場合には、ＰＵＳＣＨを用いて上りリンク制御情報のみを受信し、
１つのトランスポートブロックが有効とされ、前記有効とされたトランスポートブロックに対する該ＭＣＳインデックスが２９であり、送信レイヤの数が１であり、ＣＳＩリクエストフィールドが３ビットであり１つよりもサービングセルに対するアピリオディックＣＳＩレポートがトリガするようセットされ、前記物理リソースブロックの数が２０以下の場合には、ＰＵＳＣＨを用いて上りリンク制御情報のみを受信し、
１つのトランスポートブロックが有効とされ、前記有効とされたトランスポートブロックに対する該ＭＣＳインデックスが２９であり、送信レイヤの数が１であり、ＣＳＩリクエストフィールドが３ビットであり５つよりもサービングセルに対するアピリオディックＣＳＩレポートがトリガするようセットされている場合には、前記物理リソースブロックの数に関わらず、ＰＵＳＣＨを用いて上りリンク制御情報のみを受信する
請求項３に記載の基地局装置。
【請求項５】
端末装置の通信方法であって、
ＣＳＩリクエスト、ＭＣＳインデックスを指示するために用いられる情報、および、物理リソースブロックを割り当てるために用いられる情報が含まれるＤＣＩフォーマット０を受信し、
前記ＭＣＳインデックスが２９であり、ＣＳＩリクエストフィールドが３ビットであり、前記ＣＳＩリクエストフィールドが１つのサービングセルに対するアピリオディックＣＳＩレポートをトリガするようセットされ、前記物理リソースブロックの数が４と同じ、または、４より少ない場合には、ＰＵＳＣＨを用いて上りリンク制御情報のみを送信し、
前記ＭＣＳインデックスが２９であり、前記ＣＳＩリクエストフィールドが３ビットであり、前記ＣＳＩリクエストフィールドが１つよりも多いサービングセルに対するアピリオディックＣＳＩレポートがトリガするようセットされ、前記物理リソースブロックの数が２０と同じ、または、２０より少ない場合には、ＰＵＳＣＨを用いて上りリンク制御情報のみを送信し、
前記ＭＣＳインデックスが２９であり、前記ＣＳＩリクエストフィールドが３ビットであり５つよりも多いサービングセルに対するアピリオディックＣＳＩレポートがトリガするようセットされている場合には、前記物理リソースブロックの数に関わらず、ＰＵＳＣＨを用いて上りリンク制御情報のみを送信する
通信方法。
【請求項６】
基地局装置の通信方法であって、
ＣＳＩリクエスト、ＭＣＳインデックスを指示するために用いられる情報、および、物理リソースブロックを割り当てるために用いられる情報が含まれるＤＣＩフォーマット０を送信し、
前記ＭＣＳインデックスが２９であり、ＣＳＩリクエストフィールドが３ビットであり、前記ＣＳＩリクエストフィールドが１つのサービングセルに対するアピリオディックＣＳＩレポートをトリガするようセットされ、前記物理リソースブロックの数が４と同じ、または、４より少ない場合には、ＰＵＳＣＨを用いて上りリンク制御情報のみを受信し、
前記ＭＣＳインデックスが２９であり、前記ＣＳＩリクエストフィールドが３ビットであり、前記ＣＳＩリクエストフィールドが１つよりも多いサービングセルに対するアピリオディックＣＳＩレポートがトリガするようセットされ、前記物理リソースブロックの数が２０と同じ、または、２０より少ない場合には、ＰＵＳＣＨを用いて上りリンク制御情報のみを受信し、
前記ＭＣＳインデックスが２９であり、前記ＣＳＩリクエストフィールドが３ビットであり５つよりも多いサービングセルに対するアピリオディックＣＳＩレポートがトリガするようセットされている場合には、前記物理リソースブロックの数に関わらず、ＰＵＳＣＨを用いて上りリンク制御情報のみを受信する
通信方法。
【請求項７】
端末装置に搭載される集積回路であって、
ＣＳＩリクエスト、ＭＣＳインデックスを指示するために用いられる情報、および、物理リソースブロックを割り当てるために用いられる情報が含まれるＤＣＩフォーマット０を受信する機能と、
前記ＭＣＳインデックスが２９であり、ＣＳＩリクエストフィールドが３ビットであり、前記ＣＳＩリクエストフィールドが１つのサービングセルに対するアピリオディックＣＳＩレポートをトリガするようセットされ、前記物理リソースブロックの数が４と同じ、または、４より少ない場合には、ＰＵＳＣＨを用いて上りリンク制御情報のみを送信する機能と、
前記ＭＣＳインデックスが２９であり、前記ＣＳＩリクエストフィールドが３ビットであり、前記ＣＳＩリクエストフィールドが１つよりも多いサービングセルに対するアピリオディックＣＳＩレポートがトリガするようセットされ、前記物理リソースブロックの数が２０と同じ、または、２０より少ない場合には、ＰＵＳＣＨを用いて上りリンク制御情報のみを送信する機能と、
前記ＭＣＳインデックスが２９であり、前記ＣＳＩリクエストフィールドが３ビットであり５つよりも多いサービングセルに対するアピリオディックＣＳＩレポートがトリガするようセットされている場合には、前記物理リソースブロックの数に関わらず、ＰＵＳＣＨを用いて上りリンク制御情報のみを送信する機能と、を前記端末装置に発揮させる
集積回路。
【請求項８】
基地局装置に搭載される集積回路であって、
ＣＳＩリクエスト、ＭＣＳインデックスを指示するために用いられる情報、および、物理リソースブロックを割り当てるために用いられる情報が含まれるＤＣＩフォーマット０を送信する機能と、
前記ＭＣＳインデックスが２９であり、ＣＳＩリクエストフィールドが３ビットであり、前記ＣＳＩリクエストフィールドが１つのサービングセルに対するアピリオディックＣＳＩレポートをトリガするようセットされ、前記物理リソースブロックの数が４と同じ、または、４より少ない場合には、ＰＵＳＣＨを用いて上りリンク制御情報のみを受信する機能と、
前記ＭＣＳインデックスが２９であり、前記ＣＳＩリクエストフィールドが３ビットであり、前記ＣＳＩリクエストフィールドが１つよりも多いサービングセルに対するアピリオディックＣＳＩレポートがトリガするようセットされ、前記物理リソースブロックの数が２０と同じ、または、２０より少ない場合には、ＰＵＳＣＨを用いて上りリンク制御情報のみを受信する機能と、
前記ＭＣＳインデックスが２９であり、前記ＣＳＩリクエストフィールドが３ビットであり５つよりも多いサービングセルに対するアピリオディックＣＳＩレポートがトリガするようセットされている場合には、前記物理リソースブロックの数に関わらず、ＰＵＳＣＨを用いて上りリンク制御情報のみを受信する機能と、を前記基地局装置に発揮させる
集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する）が、第三世代パートナーシッププロジェクト（3rd Generation Partnership Project: 3GPP）において検討されている（非特許文献１、非特許文献２、非特許文献３、非特許文献４、および、非特許文献５）。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。ここで、単一の基地局装置は複数のセルを管理してもよい。
【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex: FDD）に対応している。
【０００４】
３ＧＰＰにおいて、端末装置が５つまでのサービングセル（コンポーネントキャリア）において、同時に送信、および／または、受信を行うことができるキャリアアグリゲーションが仕様化されている。
【０００５】
また、３ＧＰＰにおいて、端末装置が５つを超えたサービングセル（コンポーネントキャリア）において、同時に送信、および／または、受信を行うことが検討されている（非特許文献１）。さらに、端末装置が、プライマリーセル以外のサービングセルであるセカンダリーセルにおいて、物理上りリンク制御チャネルでの送信を行うことが検討されている（非特許文献６）。
【先行技術文献】
【非特許文献】
【０００６】
【非特許文献１】"3GPP TS 36.211 V12.4.0 (2014-12) Evolved Universal Terrestrial Radio Access (E-UTRA); Physical channels and modulation (Release 12)", 6th-January 2015.
【非特許文献２】"3GPP TS 36.212 V12.3.0 (2014-12) Evolved Universal Terrestrial Radio Access (E-UTRA); Multiplexing and channel coding (Release 12)", 6th-January 2015.
【非特許文献３】"3GPP TS 36.213 V12.4.0 (2014-12) Evolved Universal Terrestrial Radio Access (E-UTRA); Physical layer procedures (Release 12)", 7th-January 2015.
【非特許文献４】"3GPP TS 36.321 V12.4.0 (2014-12) Evolved Universal Terrestrial Radio Access (E-UTRA); Medium Access Control (MAC) protocol specification (Release 12)", 5th-January 2015.
【非特許文献５】"3GPP TS 36.331 V12.4.1 (2014-12) Evolved Universal Terrestrial Radio Access (E-UTRA); Radio Resource Control (RRC); Protocol specification (Release 12)", 7th-January 2015.
【非特許文献６】"New WI proposal: LTE Carrier Aggregation Enhancement Beyond 5 Carriers", RP-142286, Nokia Corporation, NTT DoCoMo Inc., Nokia Networks, 3GPP TSG RAN Meeting #66, Hawaii, United States of America, 8th - 11th December 2014.
【発明の概要】
【発明が解決しようとする課題】
【０００７】
しかしながら、上述のような無線通信システムにおいて、上りリンク制御情報を送信する際の処理について、具体的な方法は十分に検討されていなかった。
【０００８】
本発明は上記の点に鑑みてなされたものであり、その目的は、上りリンク制御情報を効率的に送信することができる端末装置、基地局装置、通信方法、および、集積回路を提供することを目的とする。
【課題を解決するための手段】
【０００９】
（１）上記の目的を達成するために、本発明の態様は、以下のような手段を講じた。すなわち、本発明の一様態における端末装置は、端末装置であって、ＣＳＩリクエスト、ＭＣＳインデックスを指示するために用いられる情報、および、物理リソースブロックを割り当てるために用いられる情報が含まれるＤＣＩフォーマット０を受信する受信部と、前記ＭＣＳインデックスが２９であり、前記ＣＳＩリクエストフィールドが３ビットであり、前記ＣＳＩリクエストフィールドが１つのサービングセルに対するアピリオディックＣＳＩレポートをトリガするようセットされ、前記物理リソースブロックの数が４と同じ、または、４より少ない場合には、ＰＵＳＣＨを用いて上りリンク制御情報のみを送信し、前記ＭＣＳインデックスが２９であり、前記ＣＳＩリクエストフィールドが３ビットであり、前記ＣＳＩリクエストフィールドが１つよりも多いサービングセルに対するアピリオディックＣＳＩレポートがトリガするようセットされ、前記物理リソースブロックの数が２０と同じ、または、２０より少ない場合には、ＰＵＳＣＨを用いて上りリンク制御情報のみを送信し、前記ＭＣＳインデックスが２９であり、前記ＣＳＩリクエストフィールドが３ビットであり５つよりも多いサービングセルに対するアピリオディックＣＳＩレポートがトリガするようセットされている場合には、前記物理リソースブロックの数に関わらず、ＰＵＳＣＨを用いて上りリンク制御情報のみを送信する送信部と、を備える。
【００１０】
（２）また、本発明の一様態における基地局装置は、基地局装置であって、ＣＳＩリクエスト、ＭＣＳインデックスを指示するために用いられる情報、および、物理リソースブロックを割り当てるために用いられる情報が含まれるＤＣＩフォーマット０を送信する送信部と、前記ＭＣＳインデックスが２９であり、前記ＣＳＩリクエストフィールドが３ビットであり、前記ＣＳＩリクエストフィールドが１つのサービングセルに対するアピリオディックＣＳＩレポートをトリガするようセットされ、前記物理リソースブロックの数が４と同じ、または、４より少ない場合には、ＰＵＳＣＨを用いて上りリンク制御情報のみを受信し、前記ＭＣＳインデックスが２９であり、前記ＣＳＩリクエストフィールドが３ビットであり、前記ＣＳＩリクエストフィールドが１つよりも多いサービングセルに対するアピリオディックＣＳＩレポートがトリガするようセットされ、前記物理リソースブロックの数が２０と同じ、または、２０より少ない場合には、ＰＵＳＣＨを用いて上りリンク制御情報のみを受信し、前記ＭＣＳインデックスが２９であり、前記ＣＳＩリクエストフィールドが３ビットであり５つよりも多いサービングセルに対するアピリオディックＣＳＩレポートがトリガするようセットされている場合には、前記物理リソースブロックの数に関わらず、ＰＵＳＣＨを用いて上りリンク制御情報のみを受信する受信部と、を備える。
【００１１】
（３）また、本発明の一様態における通信方法は、端末装置の通信方法であって、ＣＳＩリクエスト、ＭＣＳインデックスを指示するために用いられる情報、および、物理リソースブロックを割り当てるために用いられる情報が含まれるＤＣＩフォーマット０を受信し、前記ＭＣＳインデックスが２９であり、前記ＣＳＩリクエストフィールドが３ビットであり、前記ＣＳＩリクエストフィールドが１つのサービングセルに対するアピリオディックＣＳＩレポートをトリガするようセットされ、前記物理リソースブロックの数が４と同じ、または、４より少ない場合には、ＰＵＳＣＨを用いて上りリンク制御情報のみを送信し、前記ＭＣＳインデックスが２９であり、前記ＣＳＩリクエストフィールドが３ビットであり、前記ＣＳＩリクエストフィールドが１つよりも多いサービングセルに対するアピリオディックＣＳＩレポートがトリガするようセットされ、前記物理リソースブロックの数が２０と同じ、または、２０より少ない場合には、ＰＵＳＣＨを用いて上りリンク制御情報のみを送信し、前記ＭＣＳインデックスが２９であり、前記ＣＳＩリクエストフィールドが３ビットであり５つよりも多いサービングセルに対するアピリオディックＣＳＩレポートがトリガするようセットされている場合には、前記物理リソースブロックの数に関わらず、ＰＵＳＣＨを用いて上りリンク制御情報のみを送信する。
【００１２】
（４）また、本発明の一様態における通信方法は、基地局装置の通信方法であって、ＣＳＩリクエスト、ＭＣＳインデックスを指示するために用いられる情報、および、物理リソースブロックを割り当てるために用いられる情報が含まれるＤＣＩフォーマット０を送信し、前記ＭＣＳインデックスが２９であり、前記ＣＳＩリクエストフィールドが３ビットであり、前記ＣＳＩリクエストフィールドが１つのサービングセルに対するアピリオディックＣＳＩレポートをトリガするようセットされ、前記物理リソースブロックの数が４と同じ、または、４より少ない場合には、ＰＵＳＣＨを用いて上りリンク制御情報のみを受信し、前記ＭＣＳインデックスが２９であり、前記ＣＳＩリクエストフィールドが３ビットであり、前記ＣＳＩリクエストフィールドが１つよりも多いサービングセルに対するアピリオディックＣＳＩレポートがトリガするようセットされ、前記物理リソースブロックの数が２０と同じ、または、２０より少ない場合には、ＰＵＳＣＨを用いて上りリンク制御情報のみを受信し、前記ＭＣＳインデックスが２９であり、前記ＣＳＩリクエストフィールドが３ビットであり５つよりも多いサービングセルに対するアピリオディックＣＳＩレポートがトリガするようセットされている場合には、前記物理リソースブロックの数に関わらず、ＰＵＳＣＨを用いて上りリンク制御情報のみを受信する。
【００１３】
（５）また、本発明の一様態における集積回路は、端末装置に搭載される集積回路であって、ＣＳＩリクエスト、ＭＣＳインデックスを指示するために用いられる情報、および、物理リソースブロックを割り当てるために用いられる情報が含まれるＤＣＩフォーマット０を受信する機能と、前記ＭＣＳインデックスが２９であり、前記ＣＳＩリクエストフィールドが３ビットであり、前記ＣＳＩリクエストフィールドが１つのサービングセルに対するアピリオディックＣＳＩレポートをトリガするようセットされ、前記物理リソースブロックの数が４と同じ、または、４より少ない場合には、ＰＵＳＣＨを用いて上りリンク制御情報のみを送信する機能と、前記ＭＣＳインデックスが２９であり、前記ＣＳＩリクエストフィールドが３ビットであり、前記ＣＳＩリクエストフィールドが１つよりも多いサービングセルに対するアピリオディックＣＳＩレポートがトリガするようセットされ、前記物理リソースブロックの数が２０と同じ、または、２０より少ない場合には、ＰＵＳＣＨを用いて上りリンク制御情報のみを送信する機能と、前記ＭＣＳインデックスが２９であり、前記ＣＳＩリクエストフィールドが３ビットであり５つよりも多いサービングセルに対するアピリオディックＣＳＩレポートがトリガするようセットされている場合には、前記物理リソースブロックの数に関わらず、ＰＵＳＣＨを用いて上りリンク制御情報のみを送信する機能と、を前記端末装置に発揮させる。
【００１４】
（６）また、本発明の一様態における集積回路は、基地局装置に搭載される集積回路であって、ＣＳＩリクエスト、ＭＣＳインデックスを指示するために用いられる情報、および、物理リソースブロックを割り当てるために用いられる情報が含まれるＤＣＩフォーマット０を送信する機能と、前記ＭＣＳインデックスが２９であり、前記ＣＳＩリクエストフィールドが３ビットであり、前記ＣＳＩリクエストフィールドが１つのサービングセルに対するアピリオディックＣＳＩレポートをトリガするようセットされ、前記物理リソースブロックの数が４と同じ、または、４より少ない場合には、ＰＵＳＣＨを用いて上りリンク制御情報のみを受信する機能と、前記ＭＣＳインデックスが２９であり、前記ＣＳＩリクエストフィールドが３ビットであり、前記ＣＳＩリクエストフィールドが１つよりも多いサービングセルに対するアピリオディックＣＳＩレポートがトリガするようセットされ、前記物理リソースブロックの数が２０と同じ、または、２０より少ない場合には、ＰＵＳＣＨを用いて上りリンク制御情報のみを受信する機能と、前記ＭＣＳインデックスが２９であり、前記ＣＳＩリクエストフィールドが３ビットであり５つよりも多いサービングセルに対するアピリオディックＣＳＩレポートがトリガするようセットされている場合には、前記物理リソースブロックの数に関わらず、ＰＵＳＣＨを用いて上りリンク制御情報のみを受信する機能と、を前記基地局装置に発揮させる。
【発明の効果】
【００１５】
この発明によれば、上りリンク制御情報を効率的に送信することができる。
【図面の簡単な説明】
【００１６】
【図１】本実施形態における無線通信システムの概念を示す図である。
【図２】本実施形態におけるスロットの構成を示す図である。
【図３】本実施形態におけるＰＵＣＣＨセルグループを説明する図である。
【図４】本実施形態におけるＨＡＲＱ−ＡＣＫの送信方法を説明するための図である。
【図５】本実施形態におけるアピリオディックＣＳＩレポートを説明するための図である。
【図６】本実施形態における上りリンク制御情報のみの送信の指示を説明する図である。
【図７】本実施形態における端末装置１の構成を示す概略ブロック図である。
【図８】本実施形態における基地局装置３の構成を示す概略ブロック図である。
【発明を実施するための形態】
【００１７】
以下、本発明の実施形態について説明する。
【００１８】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００１９】
本実施形態における物理チャネルおよび物理信号について説明する。
【００２０】
図１において、端末装置１から基地局装置３への上りリンクの無線通信では、以下の上りリンク物理チャネルが用いられる。ここで、上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２１】
ＰＵＣＣＨは、上りリンク制御情報（Uplink Control Information: UCI）を送信するために用いられる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hyblid Automatic Repeat request ACKnowledgement）が含まれてもよい。ＨＡＲＱ−ＡＣＫは、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫを示してもよい。
【００２２】
すなわち、ＨＡＲＱ−ＡＣＫは、ＡＣＫ（acknowledgement）またはＮＡＣＫ（negative-acknowledgement）を示してもよい。ここで、ＨＡＲＱ−ＡＣＫを、ＡＣＫ／ＮＡＣＫ、ＨＡＲＱフィードバック、ＨＡＲＱ応答、ＨＡＲＱ情報、または、ＨＡＲＱ制御情報とも称する。
【００２３】
ＰＵＳＣＨは、上りリンクデータ（Uplink-Shared Channel: UL-SCH）を送信するために用いられる。また、ＰＵＳＣＨは、上りリンクデータと共にＨＡＲＱ−ＡＣＫおよび／またはＣＳＩを送信するために用いられてもよい。また、ＰＵＳＣＨは、ＣＳＩのみ、または、ＨＡＲＱ−ＡＣＫおよびＣＳＩのみを送信するために用いられてもよい。すなわち、ＰＵＳＣＨは、上りリンク制御情報のみを送信するために用いられてもよい。
【００２４】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control message、RRC information: Radio Resource Control informationとも称される）を送受信してもよい。また、基地局装置３と端末装置１は、ＭＡＣ（Medium Access Control）層において、ＭＡＣコントロールエレメントを送受信してもよい。ここで、ＲＲＣシグナリング、および／または、ＭＡＣコントロールエレメントを、上位層の信号（higher layer signaling）とも称する。
【００２５】
ＰＵＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、ユーザー装置スペシフィック（ユーザー装置固有）な情報は、ある端末装置１に対して専用のシグナリングを用いて送信されてもよい。
【００２６】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨリソースの要求を示すために用いられてもよい。
【００２７】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal: UL RS）
【００２８】
本実施形態において、以下の２つのタイプの上りリンク参照信号が用いられる。
・ＤＭＲＳ（Demodulation Reference Signal）
・ＳＲＳ（Sounding Reference Signal）
【００２９】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００３０】
ＳＲＳは、ＰＵＳＣＨまたはＰＵＣＣＨの送信に関連しない。基地局装置３は、上りリンクのチャネル状態を測定するためにＳＲＳを使用する。
【００３１】
図１において、基地局装置３から端末装置１への下りリンクの無線通信では、以下の下りリンク物理チャネルが用いられる。ここで、下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３２】
ＰＢＣＨは、端末装置１で共通に用いられるマスターインフォメーションブロック（Master Information Block: MIB, Broadcast Channel: BCH）を報知するために用いられる。
【００３３】
ＰＣＦＩＣＨは、ＰＤＣＣＨの送信に用いられる領域（ＯＦＤＭシンボル）を指示する情報を送信するために用いられる。
【００３４】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００３５】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００３６】
例えば、下りリンクに対するＤＣＩフォーマットとして、１つのセルにおける１つのＰＤＳＣＨ（１つの下りリンクトランスポートブロックの送信）のスケジューリングのために用いられるＤＣＩフォーマット（例えば、ＤＣＩフォーマット１Ａ、ＤＣＩフォーマット１Ｃ）が定義されてもよい。
【００３７】
ここで、下りリンクに対するＤＣＩフォーマットには、ＰＤＳＣＨのスケジューリングに関する情報が含まれる。例えば、下りリンクに対するＤＣＩフォーマットには、キャリアインディケータフィールド（CIF: Carrier Indicator Field）、リソースブロック割り当てに関する情報、ＭＣＳ（Modulation and Coding Scheme）に関する情報、などの下りリンク制御情報が含まれる。ここで、下りリンクに対するＤＣＩフォーマットを、下りリンクグラント（downlink grant）、または、下りリンクアサインメント（downlink assignment）とも称する。
【００３８】
また、例えば、上りリンクに対するＤＣＩフォーマットとして、１つのセルにおける１つのＰＵＳＣＨ（１つの上りリンクトランスポートブロックの送信）のスケジューリングのために用いられるＤＣＩフォーマット（例えば、ＤＣＩフォーマット０、ＤＣＩフォーマット４）が定義される。
【００３９】
ここで、上りリンクに対するＤＣＩフォーマットには、ＰＵＳＣＨのスケジューリングに関する情報が含まれる。例えば、上りリンクに対するＤＣＩフォーマットには、キャリアインディケータフィールド（CIF: Carrier Indicator Field）、リソースブロック割り当ておよび／またはホッピング（Resource block assignment and/or hopping resource allocation）に関する情報、ＭＣＳおよび／またはリダンダシーバジョン（Modulation and coding scheme and/or redundancy version）に関する情報、送信レイヤの数を指示するために用いられる情報（Precoding information and number of layers）、などの下りリンク制御情報が含まれる。ここで、上りリンクに対するＤＣＩフォーマットを、上りリンクグラント（uplink grant）、または、上りリンクアサインメント（Uplink assignment）とも称する。
【００４０】
端末装置１は、下りリンクアサインメントを用いてＰＤＳＣＨのリソースがスケジュールされた場合、スケジュールされたＰＤＳＣＨで下りリンクデータを受信してもよい。また、端末装置１は、上りリンクグラントを用いてＰＵＳＣＨのリソースがスケジュールされた場合、スケジュールされたＰＵＳＣＨで上りリンクデータおよび／または上りリンク制御情報を送信してもよい。
【００４１】
ここで、端末装置１は、ＰＤＣＣＨ候補（PDCCH candidates）および／またはＥＰＤＣＣＨ候補（EPDCCH candidates）のセットをモニタしてもよい。以下、ＰＤＣＣＨは、ＰＤＣＣＨおよび／またはＥＰＤＤＣＨを示してもよい。ここで、ＰＤＣＣＨ候補とは、基地局装置３によって、ＰＤＣＣＨが、配置および／または送信される可能性のある候補を示している。また、モニタとは、モニタされる全てのＤＣＩフォーマットに応じて、ＰＤＣＣＨ候補のセット内のＰＤＣＣＨのそれぞれに対して、端末装置１がデコードを試みるという意味が含まれてもよい。
【００４２】
また、端末装置１が、モニタするＰＤＣＣＨ候補のセットは、サーチスペースとも称される。サーチスペースには、コモンサーチスペース（CSS: Common Search Space）が含まれてもよい。例えば、ＣＳＳは、複数の端末装置１に対して共通なスペースとして定義されてもよい。また、サーチスペースには、ユーザー装置スペシフィックサーチスペース（USS: UE-specific Search Space）が含まれてもよい。例えば、ＵＳＳは、少なくとも、端末装置１に対して割り当てられるＣ−ＲＮＴＩに基づいて定義されてもよい。端末装置１は、ＣＳＳおよび／またはＵＳＳにおいて、ＰＤＣＣＨをモニタし、自装置宛てのＰＤＣＣＨを検出してもよい。
【００４３】
ここで、下りリンク制御情報の送信（ＰＤＣＣＨでの送信）には、基地局装置３が、端末装置１に割り当てたＲＮＴＩが利用される。具体的には、ＤＣＩフォーマット（下りリンク制御情報でもよい）にＣＲＣ（Cyclic Redundancy check: 巡回冗長検査）パリティビットが付加され、付加された後に、ＣＲＣパリティビットがＲＮＴＩによってスクランブルされる。ここで、ＤＣＩフォーマットに付加されるＣＲＣパリティビットは、ＤＣＩフォーマットのペイロードから得られてもよい。
【００４４】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置１は、ＲＮＴＩによってスクランブルされたＣＲＣを伴うＰＤＣＣＨを検出してもよい。また、端末装置１は、ＲＮＴＩによってスクランブルされたＣＲＣパリティビットが付加されたＤＣＩフォーマットを伴うＰＤＣＣＨを検出してもよい。
【００４５】
ここで、ＲＮＴＩには、Ｃ−ＲＮＴＩ（Cell-Radio Network Temporary Identifier）が含まれてもよい。Ｃ−ＲＮＴＩは、ＲＲＣ接続およびスケジューリングの識別に対して使用される、端末装置１に対するユニークな（一意的な）識別子である。また、Ｃ−ＲＮＴＩは、動的（dynamically）にスケジュールされるユニキャスト送信のために利用されてもよい。
【００４６】
また、ＲＮＴＩには、ＳＰＳ  Ｃ−ＲＮＴＩ（Semi-Persistent Scheduling C-RNTI）が含まれてもよい。ＳＰＳ  Ｃ−ＲＮＴＩは、セミパーシステントスケジューリングに対して使用される、端末装置１に対するユニークな（一意的な）識別子である。また、ＳＰＳ  Ｃ−ＲＮＴＩは、半持続的（semi-persistently）にスケジュールされるユニキャスト送信のために利用されてもよい。
【００４７】
ＰＤＳＣＨは、下りリンクデータ（Downlink Shared Channel: DL-SCH）を送信するために用いられる。また、ＰＤＳＣＨは、システムインフォメーションメッセージを送信するために用いられる。ここで、システムインフォメーションブメッセージは、セルスペシフィック（セル固有）な情報であってもよい。また、システムインフォメーションは、ＲＲＣシグナリングに含まれる。また、ＰＤＳＣＨは、ＲＲＣシグナリング、および、ＭＡＣコントロールエレメントを送信するために用いられる。
【００４８】
ＰＭＣＨは、マルチキャストデータ（Multicast Channel: MCH）を送信するために用いられる。
【００４９】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
【００５０】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００５１】
下りリンク参照信号は、端末装置１が下りリンク物理チャネルの伝搬路補正を行なうために用いられる。ここで、下りリンク参照信号は、端末装置１が下りリンクのチャネル状態情報を算出するために用いられる。
【００５２】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００５３】
ここで、下りリンク物理チャネルおよび下りリンク物理信号を総称して、下りリンク信号と称する。また、上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００５４】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００５５】
以下、キャリアアグリゲーションについて説明する。
【００５６】
本実施形態において、端末装置１に対して、１つまたは複数のサービングセルが設定されてもよい。端末装置１が複数のサービングセルを介して通信する技術をセルアグリゲーション、または、キャリアアグリゲーションと称する。
【００５７】
ここで、端末装置１に対して設定される１つまたは複数のサービングセルのそれぞれにおいて、本実施形態が適用されてもよい。また、端末装置１に対して設定される１つまたは複数のサービングセルの一部において、本実施形態が適用されてもよい。また、後述する、端末装置１に対して設定される１つまたは複数のサービングセルのグループ（例えば、ＰＵＣＣＨセルグループ）のそれぞれにおいて、本実施形態が適用されてもよい。また、端末装置１に対して設定される１つまたは複数のサービングセルのグループの一部において、本実施形態が適用されてもよい。
【００５８】
また、本実施形態において、ＴＤＤ（Time Division Duplex）および／またはＦＤＤ（Frequency Division Duplex）が適用されてもよい。ここで、キャリアアグリゲーションの場合において、１つまたは複数のサービングセルの全てに対してＴＤＤまたはＦＤＤが適用されてもよい。また、キャリアアグリゲーションの場合において、ＴＤＤが適用されるサービングセルとＦＤＤが適用されるサービングセルが集約されてもよい。ここで、ＦＤＤに対応するフレーム構造を、フレーム構造タイプ１（Frame structure type 1）とも称する。また、ＴＤＤに対応するフレーム構造を、フレーム構造タイプ２（Frame structure type 2）とも称する。
【００５９】
ここで、設定される１つまたは複数のサービングセルには、１つのプライマリーセルと、１つまたは複数のセカンダリーセルとが含まれる。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルであってもよい。ここで、ＲＲＣコネクションが確立された時点、または、後に、セカンダリーセルが設定されてもよい。
【００６０】
ここで、下りリンクにおいて、サービングセルに対応するキャリアを、下りリンクコンポーネントキャリアと称する。また、上りリンクにおいて、サービングセルに対応するキャリアを、上りリンクコンポーネントキャリアと称する。また、下りリンクコンポーネントキャリア、および、上りリンクコンポーネントキャリアを総称して、コンポーネントキャリアと称する。
【００６１】
また、端末装置１は、１つまたは複数のサービングセル（コンポーネントキャリア）において、同時に複数の物理チャネルでの送信、および／または受信を行ってもよい。ここで、１つの物理チャネルは、複数のサービングセル（コンポーネントキャリア）のうち１つのサービングセル（コンポーネントキャリア）において送信されてもよい。
【００６２】
ここで、プライマリーセルは、ＰＵＣＣＨの送信に対して用いられる。また、プライマリーセルは、非活性化されない（primary cell cannot be deactivated）。また、クロスキャリアスケジューリングは、プライマリーに適用されない（Cross-carrier scheduling does not apply to primary cell）。すなわち、プライマリーセルは、常に、プライマリーセルにおけるＰＤＣＣＨを用いてスケジュールされる（primary cell is always scheduled via its PDCCH）。
【００６３】
また、あるセカンダリーセルにおいてＰＤＣＣＨ（ＰＤＣＣＨのモニタでもよい）が設定された場合には、クロスキャリアスケジューリングは、該あるセカンダリーセルには適用されなくてもよい（In a case that PDCCH (PDCCH monitoring) of a secondary cell is configured, cross-carries scheduling may not apply this secondary cell）。すなわち、この場合において、該セカンダリーセルは、常に、該セカンダリーセルにおけるＰＤＣＣＨを用いてスケジュールされてもよい。また、あるセカンダリーセルにおいてＰＤＣＣＨ（ＰＤＣＣＨのモニタでもよい）が設定されていない場合には、クロスキャリアスケジューリングが適用され、該セカンダリーセルは、常に、１つの他のサービングセル（one other serving cell）におけるＰＤＣＣＨを用いてスケジュールされてもよい。
【００６４】
ここで、本実施形態において、ＰＵＣＣＨの送信のために用いられるセカンダリーセルを、ＰＵＣＣＨセカンダリーセル、および、スペシャルセカンダリーセルと称する。また、本実施形態において、ＰＵＣＣＨの送信のために用いられないセカンダリーセルを、非ＰＵＣＣＨセカンダリーセル、非スペシャルセカンダリーセル、非ＰＵＣＣＨサービングセル、および、非ＰＵＣＣＨセルと称する。また、プライマリーセルおよびＰＵＣＣＨセカンダリーセルを総称して、ＰＵＣＣＨサービングセル、および、ＰＵＣＣＨセルと称する。
【００６５】
ここで、ＰＵＣＣＨサービングセル（プライマリーセル、ＰＵＣＣＨセカンダリーセル）は、常に、下りリンクコンポーネントキャリア、および、上りリンクコンポーネントキャリアを持つ。また、ＰＵＣＣＨサービングセル（プライマリーセル、ＰＵＣＣＨセカンダリーセル）において、ＰＵＣＣＨのリソースが設定される。
【００６６】
また、非ＰＵＣＣＨサービングセル（非ＰＵＣＣＨセカンダリーセル）は、下りリンクコンポーネントキャリアのみを持ってもよい。また、非ＰＵＣＣＨサービングセル（非ＰＵＣＣＨセカンダリーセル）は、下りリンクコンポーネントキャリア、および、上りリンクコンポーネントキャリアを持ってもよい。
【００６７】
端末装置１は、ＰＵＣＣＨサービングセルにおいてＰＵＣＣＨでの送信を行う。すなわち、端末装置１は、プライマリーセルにおいてＰＵＣＣＨでの送信を行う。また、端末装置１は、ＰＵＣＣＨセカンダリーセルにおいてＰＵＣＣＨでの送信を行う。また、端末装置１は、非スペシャルセカンダリーセルにおいてＰＵＣＣＨでの送信を行わない。
【００６８】
ここで、ＰＵＣＣＨセカンダリーセルを、プライマリーセルおよびセカンダリーセルでないサービングセルとして定義してもよい。
【００６９】
すなわち、ＰＵＣＣＨセカンダリーセルは、ＰＵＣＣＨの送信に対して用いられる。また、ＰＵＣＣＨセカンダリーセルは、非活性化されなくてもよい（PUCCH secondary cell may not be deactivated）。ここで、後述するように、ＰＵＣＣＨセカンダリーセルは、活性化および／または非活性化されてもよい。
【００７０】
また、クロスキャリアスケジューリングは、ＰＵＣＣＨセカンダリーセルに適用されなくてもよい（Cross-carrier scheduling may not apply to PUCCH secondary cell）。すなわち、ＰＵＣＣＨセカンダリーセルは、常に、ＰＵＣＣＨセカンダリーセルにおけるＰＤＣＣＨを用いてスケジュールされてもよい（PUCCH secondary cell is always scheduled via its PDCCH）。ここで、クロスキャリアスケジューリングは、ＰＵＣＣＨセカンダリーセルに適用されてもよい（Cross-carrier scheduling may apply to PUCCH secondary cell）。すなわち、ＰＵＣＣＨセカンダリーセルは、１つの他のサービングセルにおけるＰＤＣＣＨを用いてスケジュールされてもよい。
【００７１】
例えば、ＰＵＣＣＨセカンダリーセルにおいてＰＤＣＣＨ（ＰＤＣＣＨのモニタでもよい）が設定された場合には、クロスキャリアスケジューリングは、該ＰＵＣＣＨセカンダリーセルには適用されなくてもよい（In a case that PDCCH (PDCCH monitoring) of a PUCCH secondary cell is configured, cross-carries scheduling may not apply this PUCCH secondary cell）。すなわち、この場合において、該ＰＵＣＣＨセカンダリーセルは、常に、該ＰＵＣＣＨセカンダリーセルにおけるＰＤＣＣＨを用いてスケジュールされてもよい。また、ＰＵＣＣＨセカンダリーセルにおいてＰＤＣＣＨ（ＰＤＣＣＨのモニタでもよい）が設定されていない場合には、クロスキャリアスケジューリングが適用され、該ＰＵＣＣＨセカンダリーセルは、常に、１つの他のサービングセルにおけるＰＤＣＣＨを用いてスケジュールされてもよい。
【００７２】
ここで、上りリンク（例えば、上りリンクコンポーネントキャリア）と下りリンク（例えば、下りリンクコンポーネントキャリア）との間において、リンキング（linking）が定義されてもよい。すなわち、上りリンクと下りリンクとの間におけるリンキングに基づいて、下りリンクアサインメントに対するサービングセル（下りリンクアサインメントによってスケジュールされるＰＤＳＣＨでの送信（下りリンクの送信）が行なわれるサービングセル）が識別されてもよい。また、上りリンクと下りリンクとの間におけるリンキングに基づいて、上りリンクグラントに対するサービングセル（上りリンクグラントによってスケジュールされるＰＵＳＣＨでの送信（上りリンクの送信）が行なわれるサービングセル）が識別されてもよい。ここで、該下りリンクアサインメント、または、該上りリンクには、キャリアインディケータフィールドは存在しない。
【００７３】
すなわち、プライマリーセルにおいて受信した下りリンクアサインメントは、プライマリーセルにおける下りリンクの送信に対応してもよい。また、プライマリーセルにおいて受信した上りリンクグラントは、プライマリーセルにおける上りリンクの送信に対応してもよい。また、ＰＵＣＣＨセカンダリーセルにおいて受信した下りリンクアサインメントは、ＰＵＣＣＨセカンダリーセルにおける下りリンクの送信に対応してもよい。また、ＰＵＣＣＨセカンダリーセルにおいて受信した上りリンクグラントは、ＰＵＣＣＨセカンダリーセルにおける上りリンクの送信に対応してもよい。
【００７４】
また、あるセカンダリーセル（ＰＵＣＣＨセカンダリーセル、および／または、非ＰＵＣＣＨセカンダリーセル）において受信した下りリンクアサインメントは、該あるセカンダリーセルにおける下りリンクの送信に対応してもよい。また、あるセカンダリーセル（ＰＵＣＣＨセカンダリーセル、および／または、非ＰＵＣＣＨセカンダリーセル）において受信した上りリンクグラントは、該あるセカンダリーセルにおける上りリンクの送信に対応してもよい。
【００７５】
以下、本実施形態におけるスロットの構成について説明する。
【００７６】
図２は、本実施形態におけるスロットの構成を示す図である。図２において、横軸は時間軸を示しており、縦軸は周波数軸を示している。ここで、ＯＦＤＭシンボルに対してノーマルＣＰ（normal Cyclic Prefix）が適用されてもよい。また、ＯＦＤＭシンボルに対して拡張ＣＰ（extended Cyclic Prefix）が適用されてもよい。また、スロットのそれぞれにおいて送信される物理信号または物理チャネルは、リソースグリッドによって表現される。
【００７７】
ここで、下りリンクにおいて、リソースグリッドは、複数のサブキャリアと複数のＯＦＤＭシンボルによって定義されてもよい。また、上りリンクにおいて、リソースグリッドは、複数のサブキャリアと複数のＳＣ−ＦＤＭＡシンボルによって定義されてもよい。また、１つのスロットを構成するサブキャリアの数は、セルの帯域幅に依存してもよい。１つのスロットを構成するＯＦＤＭシンボルまたはＳＣ−ＦＤＭＡシンボルの数は７であってもよい。ここで、リソースグリッド内のエレメントのそれぞれはリソースエレメントと称される。また、リソースエレメントは、サブキャリアの番号とＯＦＤＭシンボルまたはＳＣ−ＦＤＭＡシンボルの番号とを用いて識別されてもよい。
【００７８】
ここで、リソースブロックは、ある物理チャネル（ＰＤＳＣＨまたはＰＵＳＣＨなど）のリソースエレメントへのマッピングを表現するために用いられてもよい。また、リソースブロックは、仮想リソースブロックと物理リソースブロックが定義されてもよい。ある物理チャネルは、まず仮想リソースブロックにマップされてもよい。その後、仮想リソースブロックは、物理リソースブロックにマップされてもよい。１つの物理リソースブロックは、時間領域において７個の連続するＯＦＤＭシンボルまたはＳＣ−ＦＤＭＡシンボルと、周波数領域において１２個の連続するサブキャリアとから定義されてもよい。したがって、１つの物理リソースブロックは（７×１２）個のリソースエレメントから構成されてもよい。また、１つの物理リソースブロックは、時間領域において１つのスロットに対応し、周波数領域において１８０ｋＨｚに対応してもよい。また、物理リソースブロックは、周波数領域において０から番号が付けられてもよい。
【００７９】
図３は、本実施形態におけるＰＵＣＣＨセルグループを説明する図である。図３は、ＰＵＣＣＨセルグループの設定（構成、定義）の例として、３つの例（Example (a)、Example (b)、Example (c)）を示している。ここで、本実施形態において、複数のサービングセルのグループをＰＵＣＣＨセルグループと称する。ＰＵＣＣＨセルグループは、ＰＵＣＣＨでの送信（ＰＵＣＣＨでの上りリンク制御情報の送信）に関連するグループであってもよい。ここで、あるサービングセルは、何れか１つのＰＵＣＣＨセルグループに属する。ここで、ＰＵＣＣＨセルグループは、図３に示す例とは異なるように設定されてもよいことは勿論である。
【００８０】
ここで、本実施形態における基地局装置３および／または端末装置１は、例えば、３２までの下りリンクコンポーネントキャリア（下りリンクのセル、up to 32 downlink component carriers）のキャリアアグリゲーションをサポートしてもよい。すなわち、基地局装置３と端末装置１は、３２までのサービングセルにおいて、同時に複数の物理チャネルでの送信、および／または受信を行うことができる。ここで、上りリンクのコンポーネントキャリアの数は、下りリンクのコンポーネントキャリアの数より少なくてもよい。
【００８１】
例えば、基地局装置３は、ＰＵＣＣＨセルグループを設定してもよい。例えば、基地局装置３は、ＰＵＣＣＨセルグループを設定するために用いられる情報が含まれる上位層の信号を送信してもよい。例えば、ＰＵＣＣＨセルグループを識別するためのインデックス（セルグループインデックス、情報）が設定（定義）され、基地局装置３が、ＰＵＣＣＨセルグループを識別するために用いられるインデックスが含まれる上位層の信号を送信してもよい。
【００８２】
図３（ａ）は、ＰＵＣＣＨセルグループとして、第１のＰＵＣＣＨセルグループ、第２のセルグループが設定されていることを示している。例えば、図３（ａ）において、基地局装置３は、第１のセルグループにおいて下りリンク信号を送信し、端末装置３は、第１のセルグループにおいて上りリンク信号を送信してもよい（第１のセルグループにおけるＰＵＣＣＨで上りリンク制御情報を送信してもよい）。例えば、第１のセルグループにおいて２０のサービングセル（下りリンクコンポーネントキャリア、下りリンクセル）が設定または活性化された場合には、基地局装置３と端末装置１は、該２０の下りリンクコンポーネントキャリアに対する上りリンク制御情報を送受信してもよい。
【００８３】
すなわち、端末装置１は、２０の下りリンクコンポーネントキャリアに対応するＨＡＲＱ−ＡＣＫ（ＰＤＳＣＨでの送信に対するＨＡＲＱ−ＡＣＫ、トランスポートブロックに対するＨＡＲＱ−ＡＣＫ）を送信してもよい。また、端末装置１は、２０の下りリンクコンポーネントキャリアに対応するＣＳＩを送信してもよい。また、端末装置１は、ＰＵＣＣＨセルグループ毎にＳＲを送信してもよい。同様に、基地局装置３と端末装置１は、第２のＰＵＣＣＨセルグループにおいて上りリンク制御情報を送受信してもよい。
【００８４】
同様に、基地局装置３と端末装置１は、図３（ｂ）に示すようにＰＵＣＣＨセルグループを設定し、上りリンク制御情報を送受信してもよい。また、基地局装置３と端末装置１は、図３（ｃ）に示すようにＰＵＣＣＨセルグループを設定し、上りリンク制御情報を送受信してもよい。
【００８５】
ここで、１つのＰＵＣＣＨセルグループは、少なくとも、１つのＰＵＣＣＨサービングセルを含んでもよい。１つのＰＵＣＣＨセルグループは、１つのＰＵＣＣＨサービングセルのみを含んでもよい。１つのＰＵＣＣＨセルグループは、１つのＰＵＣＣＨサービングセル、および、１つまたは複数の非ＰＵＣＣＨサービングセルを含んでもよい。
【００８６】
ここで、プライマリーセルを含むＰＵＣＣＨセルグループを、プライマリーＰＵＣＣＨセルグループと称する。また、プライマリーセルを含まないＰＵＣＣＨセルグループを、セカンダリーＰＵＣＣＨセルグループと称する。すなわち、セカンダリーＰＵＣＣＨセルグループは、ＰＵＣＣＨセカンダリーセルを含んでもよい。例えば、プライマリーＰＵＣＣＨセルグループに対するインデックスは常に０として定義されてもよい。また、セカンダリーＰＵＣＣＨセルグループに対するインデックスは、基地局装置３（ネットワーク装置でもよい）によって設定されてもよい。
【００８７】
基地局装置３は、ＰＵＣＣＨセカンダリーセルを指示するために用いられる情報を、上位層の信号、および／または、ＰＤＣＣＨ（ＰＤＣＣＨで送信される下りリンク制御情報）に含めて送信してもよい。端末装置１は、ＰＵＣＣＨセカンダリーセルを指示するために用いられる情報に基づいて、ＰＵＣＣＨセカンダリーセルを決定してもよい。
【００８８】
上述したように、ＰＵＣＣＨサービングセルのＰＵＣＣＨは、該ＰＵＣＣＨサービングセルが属するＰＵＣＣＨセルグループに含まれるサービングセル（ＰＵＣＣＨサービングセル、非ＰＵＣＣＨサービングセル）に対する上りリンク制御情報（ＨＡＲＱ−ＡＣＫ、ＣＳＩ（例えば、ピリオディックＣＳＩ）、および／または、ＳＲ）を送信するために用いられてもよい。
【００８９】
すなわち、ＰＵＣＣＨセルグループに含まれるサービングセル（ＰＵＣＣＨサービングセル、非ＰＵＣＣＨサービングセル）に対する上りリンク制御情報（ＨＡＲＱ−ＡＣＫ、ＣＳＩ（例えば、ピリオディックＣＳＩ）、および／または、ＳＲ）は、該ＰＵＣＣＨセルグループに含まれるＰＵＣＣＨサービングセルにおけるＰＵＣＣＨを用いて送信される。
【００９０】
ここで、本実施形態は、ＨＡＲＱ−ＡＣＫの送信のみに対して適用されてもよい。また、本実施形態は、ＣＳＩ（例えば、ピリオディックＣＳＩ）の送信のみに対して適用されてもよい。また、本実施形態は、ＳＲの送信のみに対して適用されてもよい。また、本実施形態は、ＨＡＲＱ−ＡＣＫの送信、ＣＳＩ（例えば、ピリオディックＣＳＩ）の送信、および／または、ＳＲの送信に対して適用されてもよい。
【００９１】
すなわち、例えば、ＨＡＲＱ−ＡＣＫの送信に対するＰＵＣＣＨセルグループが設定されてもよい。また、ＣＳＩ（例えば、ピリオディックＣＳＩ）の送信に対するＰＵＣＣＨセルグループが設定されてもよい。また、ＳＲの送信に対するＰＵＣＣＨセルグループが設定されてもよい。
【００９２】
例えば、ＨＡＲＱ−ＡＣＫの送信に対するＰＵＣＣＨセルグループ、ＣＳＩ（例えば、ピリオディックＣＳＩ）の送信に対するＰＵＣＣＨセルグループ、および／または、ＳＲの送信に対するＰＵＣＣＨセルグループが、個別に設定されてもよい。また、ＨＡＲＱ−ＡＣＫの送信に対するＰＵＣＣＨセルグループ、ＣＳＩ（例えば、ピリオディックＣＳＩ）の送信に対するＰＵＣＣＨセルグループ、および／または、ＳＲの送信に対するＰＵＣＣＨセルグループとして、共通のＰＵＣＣＨセルグループが設定されてもよい。
【００９３】
ここで、ＨＡＲＱ−ＡＣＫの送信に対するＰＵＣＣＨセルグループの数は１つであってもよい。ＣＳＩの送信に対するＰＵＣＣＨセルグループの数は１つでもよい。ＳＲの送信に対するＰＵＣＣＨセルグループの数は１つであってもよい。
【００９４】
また、後述するように、ＣＳＩ（例えば、ピリオディックＣＳＩ）の送信に対するＰＵＣＣＨセルグループ、および／または、ＳＲの送信に対するＰＵＣＣＨセルグループは、設定（定義）されなくてもよい。
【００９５】
ここで、ＰＵＣＣＨに対して、複数のフォーマットが定義（サポート）されてもよい。ＰＵＣＣＨに対してサポートされるフォーマット（ＰＵＣＣＨがサポートするフォーマット）は、ＰＵＣＣＨフォーマットとも称される。例えば、以下のＰＵＣＣＨフォーマットを用いることによって、ＰＵＣＣＨでの上りリンク制御情報の組み合わせ（上りリンク制御情報の組み合わせの送信）がサポートされる。
・フォーマット１
・フォーマット１ａ
・フォーマット１ｂ
・フォーマット２
・フォーマット２ａ
・フォーマット２ｂ
・フォーマット３
・フォーマット４
【００９６】
ＰＵＣＣＨフォーマット１は、ポジティブＳＲ（positive SR）に対して定義されてもよい。例えば、ポジティブＳＲは、ＵＬ−ＳＣＨリソースを要求することを示すために用いられてもよい。ここで、ネガティブＳＲ（negative SR）は、ＵＬ−ＳＣＨリソースを要求しないことを示すために用いられてもよい。以下、ＰＵＣＣＨフォーマット１を、第１のＰＵＣＣＨフォーマットとも称する。
【００９７】
また、ＰＵＣＣＨフォーマット１ａは、１ビットのＨＡＲＱ−ＡＣＫ（1-bit HARQ-ACK）、または、ポジティブＳＲを伴う１ビットのＨＡＲＱ−ＡＣＫ（1-bit HARQ-ACK with positive SR）に対して定義されてもよい。また、ＰＵＣＣＨフォーマット１ｂは、２ビットのＨＡＲＱ−ＡＣＫ（2-bit HARQ-ACK）、または、ポジティブＳＲを伴う２ビットのＨＡＲＱ−ＡＣＫ（2-bit HARQ-ACK with positive SR）に対して定義されてもよい。また、ＰＵＣＣＨフォーマット１ｂは、チャネル選択による４ビット以下のＨＡＲＱ−ＡＣＫの送信（up to 4-bit HARQ-ACK with channel selection）に対して定義されてもよい。以下、ＰＵＣＣＨフォーマット１ａ、および／または、ＰＵＣＣＨフォーマット１ｂを、第２のＰＵＣＣＨフォーマットとも称する。
【００９８】
また、ＰＵＣＣＨフォーマット２は、ＨＡＲＱ−ＡＣＫが多重されない場合におけるＣＳＩレポート（a CSI report when not multiplexed with HARQ-ACK）に対して定義されてもよい。また、ＰＵＣＣＨフォーマット２ａは、１ビットのＨＡＲＱ−ＡＣＫが多重されたＣＳＩレポート（a CSI report multiplexed with 1-bit HARQ-ACK）に対して定義されてもよい。また、ＰＵＣＣＨフォーマット２ｂは、２ビットのＨＡＲＱ−ＡＣＫが多重されたＣＳＩレポート（a CSI report multiplexed with 1-bit HARQ-ACK）に対して定義されてもよい。ここで、ＰＵＣＣＨフォーマット２は、拡張サイクリックプリフィックスに対するＨＡＲＱ−ＡＣＫが多重されたＣＳＩレポート（a CSI report multiplexed with HARQ-ACK for extended cyclic prefix）に対して定義されてもよい。以下、ＰＵＣＣＨフォーマット２、ＰＵＣＣＨフォーマット２ａ、および／または、ＰＵＣＣＨフォーマット２ｂを、第３のＰＵＣＣＨフォーマットとも称する。
【００９９】
また、ＰＵＣＣＨフォーマット３は、１０ビット以下のＨＡＲＱ−ＡＣＫ（up to 10-bit HARQ-ACK）に対して定義されてもよい。また、ＰＵＣＣＨフォーマット３は、１０ビットのＨＡＲＱ−ＡＣＫおよび１ビットのポジティブ／ネガティブＳＲに対応する１１ビット以下（up to 11-bit corresponding to up to 10-bit HARQ-ACK and 1-bit positive/negative SR）に対して定義されてもよい。すなわち、１ビットの情報を用いて、ポジティブＳＲ、または、ネガティブＳＲが示されてもよい。ここで、１０ビット以下のＨＡＲＱ−ＡＣＫ、および、１０ビットのＨＡＲＱ−ＡＣＫおよび１ビットのポジティブ／ネガティブＳＲに対応する１１ビット以下は、ＦＤＤに対して定義されてもよい。
【０１００】
また、ＰＵＣＣＨフォーマット３は、２０ビット以下のＨＡＲＱ−ＡＣＫ（up to 20-bit HARQ-ACK）に対して定義されてもよい。また、ＰＵＣＣＨフォーマット３は、２０ビットのＨＡＲＱ−ＡＣＫおよび１ビットのポジティブ／ネガティブＳＲに対応する２１ビット以下（up to 21-bit corresponding to up to 20-bit HARQ-ACK and 1-bit positive/negative SR）に対して定義されてもよい。ここで、２０ビット以下のＨＡＲＱ−ＡＣＫ、および、２０ビットのＨＡＲＱ−ＡＣＫおよび１ビットのポジティブ／ネガティブＳＲに対応する２１ビット以下は、ＴＤＤに対して定義されてもよい。
【０１０１】
また、ＰＵＣＣＨフォーマット３は、ＨＡＲＱ−ＡＣＫおよび１つのサービングセルに対するＣＳＩレポート（HARQ-ACK and a CSI report for one serving cell）に対して定義されてもよい。また、ＰＵＣＣＨフォーマット３は、ＨＡＲＱ−ＡＣＫ、１ビットのポジティブ／ネガティブＳＲ、および、１つのサービングセルに対するＣＳＩレポート（HARQ-ACK, 1-bit positive/negative SR (if any) and a CSI report for one serving cell）に対して定義されてもよい。以下、ＰＵＣＣＨフォーマット３を、第４のＰＵＣＣＨフォーマットとも称する。
【０１０２】
また、ＰＵＣＣＨフォーマット４は、３２までのサービングセル（下りリンクコンポーネントキャリア、下りリンクセル）に対応するＨＡＲＱ−ＡＣＫに対して定義されてもよい。また、ＰＵＣＣＨフォーマット４は、ＨＡＲＱ−ＡＣＫおよびＣＳＩレポートに対して定義されてもよい。また、ＰＵＣＣＨフォーマット４は、ＨＡＲＱ−ＡＣＫおよびＳＲに対して定義されてもよい。また、ＰＵＣＣＨフォーマット４は、ＨＡＲＱ−ＡＣＫ、ＳＲ、および、ＣＳＩレポートに対して定義されてもよい。ここで、ＣＳＩレポートは、１つのサービングセルに対するＣＳＩレポートであってもよい。また、ＣＳＩレポートは、複数のサービングセルに対するＣＳＩレポートであってもよい。また、ＳＲは、ポジティブＳＲおよび／またはネガティブＳＲであってもよい。以下、ＰＵＣＣＨフォーマット４を、第５のＰＵＣＣＨフォーマットとも称する。
【０１０３】
ここで、例えば、フレーム構造タイプ１を伴う１つよりも多いサービングセルが設定された場合において、フレーム構造タイプ１を伴う最大２つのサービングセルのアグリゲーションをサポートする端末装置１は、ＨＡＲＱ−ＡＣＫの送信に対して、チャネル選択を伴うＰＵＣＣＨフォーマット１ｂを用いてもよい（A UE that supports aggregating at most 2 serving cells with frame structure type 1 may use PUCCH format 1b with a channel selection for transmission of HARQ-ACK when configured with more than one serving cell with frame structure type 1）。
【０１０４】
また、フレーム構造タイプ１を伴う１つよりも多いサービングセルが設定された場合において、フレーム構造タイプ１を伴う２つよりも多いサービングセルのアグリゲーションをサポートする端末装置１は、ＨＡＲＱ−ＡＣＫの送信に対して、チャネル選択を伴うＰＵＣＣＨフォーマット１ｂ、または、ＰＵＣＣＨフォーマット３の何れか１つを用いるよう上位層によって設定されてもよい（A UE that supports aggregating more than 2 serving cells with frame structure type 1 may be configured by higher layers to use either PUCCH format 1b with channel selection or PUCCH format 3 for transmission of HARQ-ACK when configured with more than one serving cell with frame structure type 1）。すなわち、基地局装置３は、上位層の信号を用いて、チャネル選択を伴うＰＵＣＣＨフォーマット１ｂ、または、ＰＵＣＣＨフォーマット３の何れか一方を用いるよう、端末装置１に対して設定してもよい。
【０１０５】
また、フレーム構造タイプ１を伴う１つよりも多いサービングセルが設定された場合において、フレーム構造タイプ１を伴う５つよりも多いサービングセルのアグリゲーションをサポートする端末装置１は、ＨＡＲＱ−ＡＣＫの送信に対して、チャネル選択を伴うＰＵＣＣＨフォーマット１ｂ、ＰＵＣＣＨフォーマット３、または、ＰＵＣＣＨフォーマット４のうちの何れか１つを用いるよう上位層によって設定されてもよい（A UE that supports aggregating more than 5 serving cells with frame structure type 1 may be configured by higher layers to use any one of PUCCH format 1b with channel selection, PUCCH format 3, or PUCCH format 4 for transmission of HARQ-ACK when configured with more than one serving cell with frame structure type 1）。
【０１０６】
ここで、基地局装置３は、上位層の信号および／またはＰＤＣＣＨ（ＰＤＣＣＨで送信される下りリンク制御情報）を用いて、チャネル選択を伴うＰＵＣＣＨフォーマット１ｂ、ＰＵＣＣＨフォーマット３、または、ＰＵＣＣＨフォーマット４の何れか１つを用いるよう、端末装置１に対して設定してもよい。
【０１０７】
ここで、端末装置１は、フレーム構造タイプ１を伴う５つよりも多いサービングセルが設定された場合において、ＨＡＲＱ−ＡＣＫの送信に対して、チャネル選択を伴うＰＵＣＣＨフォーマット１ｂ、ＰＵＣＣＨフォーマット３、または、ＰＵＣＣＨフォーマット４のうちの何れか１つを用いるよう上位層によって設定されてもよい。また、端末装置１は、フレーム構造タイプ１を伴う５つよりも多いサービングセルが活性化された場合において、ＨＡＲＱ−ＡＣＫの送信に対して、チャネル選択を伴うＰＵＣＣＨフォーマット１ｂ、ＰＵＣＣＨフォーマット３、または、ＰＵＣＣＨフォーマット４のうちの何れか１つを用いるよう上位層によって設定されてもよい。
【０１０８】
また、端末装置１は、上位層によってＰＵＣＣＨセカンダリーセルが設定または活性化された場合において、ＨＡＲＱ−ＡＣＫの送信に対して、チャネル選択を伴うＰＵＣＣＨフォーマット１ｂ、ＰＵＣＣＨフォーマット３、または、ＰＵＣＣＨフォーマット４のうちの何れか１つを用いるよう上位層によって設定されてもよい。ここで、端末装置１は、フレーム構造タイプ１を伴う５つよりも多いサービングセルのアグリゲーションをサポートする端末装置１であってもよい。
【０１０９】
また、フレーム構造タイプ２を伴う１つよりも多いサービングセルが設定された場合において、フレーム構造タイプ２を伴う１つよりも多いサービングセルのアグリゲーションをサポートする端末装置１は、ＨＡＲＱ−ＡＣＫの送信に対して、チャネル選択を伴うＰＵＣＣＨフォーマット１ｂ、または、ＰＵＣＣＨフォーマット３の何れか１つを用いるよう上位層によって設定されてもよい（A UE that supports aggregating more than one serving cells with frame structure type 2 may be configured by higher layers to use either PUCCH format 1b with channel selection or PUCCH format 3 for transmission of HARQ-ACK when configured with more than one serving cell with frame structure type 2）。すなわち、基地局装置３は、上位層の信号を用いて、チャネル選択を伴うＰＵＣＣＨフォーマット１ｂ、または、ＰＵＣＣＨフォーマット３の何れか一方を用いるよう、端末装置１に対して設定してもよい。
【０１１０】
また、フレーム構造タイプ２を伴う１つよりも多いサービングセルが設定された場合において、フレーム構造タイプ２を伴う５つよりも多いサービングセルのアグリゲーションをサポートする端末装置１は、ＨＡＲＱ−ＡＣＫの送信に対して、チャネル選択を伴うＰＵＣＣＨフォーマット１ｂ、ＰＵＣＣＨフォーマット３、または、ＰＵＣＣＨフォーマット４のうちの何れか１つを用いるよう上位層によって設定されてもよい（A UE that supports aggregating more than 5 serving cells with frame structure type 1 may be configured by higher layers to use any one of PUCCH format 1b with channel selection, PUCCH format 3, or PUCCH format 4 for transmission of HARQ-ACK when configured with more than one serving cell with frame structure type 1）。すなわち、基地局装置３は、上位層の信号を用いて、チャネル選択を伴うＰＵＣＣＨフォーマット１ｂ、ＰＵＣＣＨフォーマット３、または、ＰＵＣＣＨフォーマット４の何れか１つを用いるよう、端末装置１に対して設定してもよい。
【０１１１】
ここで、端末装置１は、フレーム構造タイプ２を伴う５つよりも多いサービングセルが設定された場合において、ＨＡＲＱ−ＡＣＫの送信に対して、チャネル選択を伴うＰＵＣＣＨフォーマット１ｂ、ＰＵＣＣＨフォーマット３、または、ＰＵＣＣＨフォーマット４のうちの何れか１つを用いるよう上位層によって設定されてもよい。また、端末装置１は、フレーム構造タイプ２を伴う５つよりも多いサービングセルが活性化された場合において、ＨＡＲＱ−ＡＣＫの送信に対して、チャネル選択を伴うＰＵＣＣＨフォーマット１ｂ、ＰＵＣＣＨフォーマット３、または、ＰＵＣＣＨフォーマット４のうちの何れか１つを用いるよう上位層によって設定されてもよい。また、端末装置１は、上位層によってＰＵＣＣＨセカンダリーセルが設定または活性化された場合において、ＨＡＲＱ−ＡＣＫの送信に対して、チャネル選択を伴うＰＵＣＣＨフォーマット１ｂ、ＰＵＣＣＨフォーマット３、または、ＰＵＣＣＨフォーマット４のうちの何れか１つを用いるよう上位層によって設定されてもよい。ここで、端末装置１は、フレーム構造タイプ２を伴う５つよりも多いサービングセルのアグリゲーションをサポートする端末装置１であってもよい。
【０１１２】
ここで、基地局装置３は、１つよりも多いサービングセルを含むＰＵＣＣＨセルグループ毎に（per PUCCH cell group）、上位層の信号を用いて、チャネル選択を伴うＰＵＣＣＨフォーマット１ｂ、ＰＵＣＣＨフォーマット３、または、ＰＵＣＣＨフォーマット４の何れか１つを用いるよう、端末装置１に対して設定してもよい。また、端末装置１は、ＨＡＲＱ−ＡＣＫの送信に対して、１つよりも多いサービングセルを含むＰＵＣＣＨセルグループ毎に（per PUCCH cell group）、チャネル選択を伴うＰＵＣＣＨフォーマット１ｂ、ＰＵＣＣＨフォーマット３、または、ＰＵＣＣＨフォーマット４のうちの何れか１つを用いるよう上位層によって設定されてもよい。
【０１１３】
ここで、ＰＵＣＣＨセルグループは、ＰＵＣＣＨフォーマットのそれぞれに対して個別に設定されてもよい。すなわち、端末装置１は、ＰＵＣＣＨフォーマットのそれぞれに対して設定されたＰＵＣＣＨセルグループにおいて、対応するＰＵＣＣＨフォーマットを用いて上りリンク制御情報を送信してもよい。ここで、ＰＵＣＣＨセルグループは、複数のＰＵＣＣＨフォーマットに対して共通に設定されてもよい。
【０１１４】
例えば、ＰＵＣＣＨフォーマット１に対するＰＵＣＣＨセルグループが設定されてもよい。また、ＰＵＣＣＨフォーマット１ａ、ＰＵＣＣＨフォーマット１ｂ、ＰＵＣＣＨフォーマット３、および／または、ＰＵＣＣＨフォーマット４に対するＰＵＣＣＨセルグループが設定されてもよい。また、ＰＵＣＣＨフォーマット２、ＰＵＣＣＨフォーマット２ａ、および／または、ＰＵＣＣＨフォーマット２ｂに対するＰＵＣＣＨセルグループが設定されてもよい。ここで、ＰＵＣＣＨフォーマット１、ＰＵＣＣＨフォーマット２、ＰＵＣＣＨフォーマット２ａ、および／または、ＰＵＣＣＨフォーマット２ｂに対するＰＵＣＣＨセルグループは設定されず、ＰＵＣＣＨフォーマット１ａ、ＰＵＣＣＨフォーマット１ｂ、ＰＵＣＣＨフォーマット３、および／またはＰＵＣＣＨフォーマット４に対してのみＰＵＣＣＨセルグループが設定されてもよい。
【０１１５】
ここで、基地局装置３は、上位層の信号を用いて、１つまたは複数のサービングセルを設定してもよい。例えば、複数のサービングセルのセットをプライマリーセルと共に形成するために、１つまたは複数のセカンダリーセルが設定されてもよい。ここで、基地局装置３によって設定されるサービングセルに、ＰＵＣＣＨセカンダリーセルが含まれてもよい。
【０１１６】
また、基地局装置３は、上位層の信号（例えば、ＭＡＣコントロールエレメント）を用いて、１つまたは複数のサービングセルを、活性化（activate）または非活性化（deactivate）してもよい。例えば、活性化または非活性のメカニズムは、ＭＡＣコントロールエレメントと非活性化に関連するタイマー（deactivation timer）の組み合わせに基づいてもよい。
【０１１７】
ここで、基地局装置３によって、活性化または非活性化されるセカンダリーセルに、ＰＵＣＣＨセカンダリーセルが含まれてもよい。すなわち、基地局装置３は、単一のコマンド（a single activation/deactivation command）を用いて、ＰＵＣＣＨセカンダリーセルを含む複数のセカンダリーセルを、独立に、活性化または非活性化してもよい。すなわち、基地局装置３は、セカンダリーセルを活性化または非活性化するために用いられる単一のコマンドを、ＭＡＣコントロールエレメントを用いて送信してもよい。
【０１１８】
また、非活性化に関連するタイマーの値として、上位層（例えば、ＲＲＣ層）によって、端末装置１毎に、１つの共通の値が設定されてもよい。また、非活性化に関連するタイマー（タイマーの値）は、セカンダリーセル毎に保持（適用）されてもよい。ここで、非活性化に関連するタイマー（タイマーの値）は、非ＰＵＣＣＨセカンダリーセル毎に対してのみ保持されてもよい。すなわち、端末装置１は、非活性化に関連するタイマーを、ＰＵＣＣＨセカンダリーセルに対して適用せず、非ＰＵＣＣＨセカンダリーセル毎に対してのみ保持（適用）してもよい。
【０１１９】
また、ＰＵＣＣＨセカンダリーセルに対する非活性化に関連するタイマーと、非ＰＵＣＣＨセカンダリーセルに対する非活性化に関連するタイマーが、それぞれ設定されてもよい。例えば、基地局装置３は、ＰＵＣＣＨセカンダリーセルに対する非活性化に関連するタイマーと設定するための情報が含まれる上位層の信号を送信してもよい。また、基地局装置３は、非ＰＵＣＣＨセカンダリーセルに対する非活性化に関連するタイマーと設定するための情報が含まれる上位層の信号を送信してもよい。
【０１２０】
ここで、基地局装置３は、ＰＵＣＣＨのリソースを指示（設定、割り当て）してもよい。ここで、ＰＵＣＣＨのリソースには、第１のＰＵＣＣＨリソース（ｎ（１）ＰＵＣＣＨとも称される）、第２のＰＵＣＣＨリソース（ｎ（２）ＰＵＣＣＨとも称される）、第３のＰＵＣＣＨリソース（ｎ（３）ＰＵＣＣＨとも称される）、および、第４のＰＵＣＣＨリソース（ｎ（４）ＰＵＣＣＨとも称される）が含まれてもよい。
【０１２１】
例えば、基地局装置３は、第１のＰＵＣＣＨリソースを設定するために用いられる第１の情報が含まれる上位層の信号を送信してもよい。例えば、ＳＲは、第１のＰＵＣＣＨリソースで送信されてもよい。また、基地局装置３は、ＳＲの送信に対する周期および／またはオフセットを指示するために用いられる第２の情報が含まれる上位層の信号を送信してもよい。端末装置１は、基地局装置３による設定に基づいて、ＳＲを送信してもよい。すなわち、端末装置１は、第１のＰＵＣＣＨリソースおよび第１のＰＵＣＣＨフォーマットを用いて、ＳＲを送信してもよい。
【０１２２】
また、基地局装置３は、上位層の信号およびＰＤＣＣＨを用いて、第１のＰＵＣＣＨリソースを指示してもよい。例えば、基地局装置３は、第１のＰＵＣＣＨリソースを設定するために用いられる第３の情報が含まれる上位層の信号を送信してもよい。例えば、第２のＰＵＣＣＨフォーマットに対するＨＡＲＱ−ＡＣＫは、第１のＰＵＣＣＨリソースで送信されてもよい。端末装置１は、ＰＤＣＣＨの送信に対して使用されるＣＣＥ（Control Channel Element）（例えば、ＣＣＥの最小のインデックス（lowest index））、および、第３の情報に基づいて、第１のＰＵＣＣＨリソースを決定してもよい。端末装置１は、第２のＰＵＣＣＨフォーマットに対するＨＡＲＱ−ＡＣＫの送信に対して、第１のＰＵＣＣＨリソースを用いてもよい。すなわち、端末装置１は、第１のＰＵＣＣＨリソースおよび第２のＰＵＣＣＨフォーマットを用いて、ＨＡＲＱ−ＡＣＫを送信してもよい。
【０１２３】
また、基地局装置３は、第２のＰＵＣＣＨリソースを設定するために用いられる第４の情報が含まれる上位層の信号を送信してもよい。例えば、ＣＳＩ（例えば、ピリオディックＣＳＩ）は、第２のＰＵＣＣＨリソースで送信されてもよい。ここで、第２のＰＵＣＣＨリソースは、各サービングセルに対して設定されてもよい。すなわち、各サービングセルに対するＣＳＩ（例えば、ピリオディックＣＳＩ）がレポートされてもよい。また、基地局装置３は、ピリオディックＣＳＩレポート（periodic CSI report）に対する周期および／またはオフセットを指示するために用いられる第５の情報が含まれる上位層の信号を送信してもよい。端末装置１は、基地局装置３による設定に基づいて、周期的にＣＳＩをレポートしてもよい。すなわち、端末装置１は、第２のＰＵＣＣＨリソースおよび第３のＰＵＣＣＨフォーマットを用いて、ピリオディックＣＳＩをレポートしてもよい。
【０１２４】
また、基地局装置３は、上位層の信号およびＰＤＣＣＨ（ＰＤＣＣＨで送信される下りリンク制御情報でもよい）を用いて、第３のＰＵＣＣＨリソースを指示してもよい。例えば、基地局装置３は、上位層の信号を用いて第３のＰＵＣＣＨリソースに関連する４つの値（４つの第３のＰＵＣＣＨリソース）を設定するための第６の情報を送信し、さらに、非ＰＵＣＣＨサービングセルに対するＰＤＣＣＨで送信される下りリンク制御情報にセットされる値に基づいて（例えば、２ビットの情報フィールドにセットされる“００”、“０１”、“１０”、“１１”を用いて、設定した４つの値のうちの１つの値を指示することによって）、１つの第３のＰＵＣＣＨリソースを指示してもよい。
【０１２５】
例えば、基地局装置３は、非ＰＵＣＣＨサービングセルに対するＰＤＣＣＨで送信される下りリンクアサインメントに含まれるＰＵＣＣＨに対する送信電力コマンドフィールドにセットされる値を用いて、１つの第３のＰＵＣＣＨリソースを指示してもよい。例えば、第４のＰＵＣＣＨフォーマットに対するＨＡＲＱ−ＡＣＫ、ＳＲ、および／または、ＣＳＩ（例えば、ピリオディックＣＳＩ）、は、第３のＰＵＣＣＨリソースで送信されてもよい。端末装置１は、第３のＰＵＣＣＨリソースおよび第４のＰＵＣＣＨフォーマットを用いて、第４のＰＵＣＣＨフォーマットに対するＨＡＲＱ−ＡＣＫ、ＳＲ、および／または、ＣＳＩ（例えば、ピリオディックＣＳＩ）を送信してもよい。
【０１２６】
また、基地局装置３は、上位層の信号、および／または、ＰＤＣＣＨ（ＰＤＣＣＨで送信される下りリンク制御情報でもよい）を用いて、第４のＰＵＣＣＨリソースを設定してもよい。例えば、基地局装置３は、第４のＰＵＣＣＨリソースを設定するために用いられる第７の情報が含まれる上位層の信号を送信してもよい。また、基地局装置３は、第４のＰＵＣＣＨリソースをＰＤＣＣＨに関連させて指示してもよい。端末装置１は、ＰＤＣＣＨに基づいて第４のＰＵＣＣＨリソースを決定してもよい。また、基地局装置３は、第４のＰＵＣＣＨリソースを指示するために用いられる下りリンク制御情報を、ＰＤＣＣＨを用いて送信してもよい。例えば、基地局装置３は、非ＰＵＣＣＨサービングセルに対するＰＤＣＣＨで送信される下りリンクアサインメントに含まれるＰＵＣＣＨに対する送信電力コマンドフィールドにセットされる値を用いて、１つの第４のＰＵＣＣＨリソースを指示してもよい。
【０１２７】
また、基地局装置３は、上述した、サービングセルを活性化または非活性化するために用いられる単一のコマンド（または、ＭＡＣコントロールエレメント）に、第４のＰＵＣＣＨリソースを指示するために用いられる第８の情報を含めて送信してもよい。例えば、基地局装置３は、少なくともＰＵＣＣＨセカンダリーセルを活性化または非活性化するために用いられる単一のコマンドを用いて、第４のＰＵＣＣＨリソースを指示してもよい。
【０１２８】
端末装置１は、サービングセルを活性化または非活性化するために用いられる単一のコマンド（または、ＭＡＣコントロールエレメント）に含まれる第８の情報に基づいて、第４のＰＵＣＣＨリソースを決定してもよい。ここで、端末装置１は、第４のＰＵＣＣＨリソースを指示するために用いられる単一のコマンドが含まれる下りリンクデータ（ＰＤＳＣＨでの送信）に対するＨＡＲＱ−ＡＣＫを、ＰＵＳＣＨおよび／またはＰＵＣＣＨを用いて送信してもよい。例えば、端末装置１は、少なくともＰＵＣＣＨセカンダリーセルを活性化または非活性化するために用いられる単一のコマンドが含まれる下りリンクデータ（ＰＤＳＣＨでの送信）に対して、ＨＡＲＱ−ＡＣＫを送信してもよい。ここで、端末装置１は、ＰＵＣＣＨセカンダリーセルが含まれないセカンダリーセルを活性化または非活性化するために用いられる単一のコマンドが含まれる下りリンクデータ（ＰＤＳＣＨでの送信）に対して、ＨＡＲＱ−ＡＣＫを送信しなくてもよい。
【０１２９】
例えば、第５のＰＵＣＣＨフォーマットに対するＨＡＲＱ−ＡＣＫ、ＳＲ、および／または、ＣＳＩ（例えば、ピリオディックＣＳＩ）、は、第４のＰＵＣＣＨリソースで送信されてもよい。端末装置１は、第４のＰＵＣＣＨリソースおよび第５のＰＵＣＣＨフォーマットを用いて、第５のＰＵＣＣＨフォーマットに対するＨＡＲＱ−ＡＣＫ、ＳＲ、および／または、ＣＳＩ（例えば、ピリオディックＣＳＩ）を送信してもよい。
【０１３０】
さらに、基地局装置３は、サービングセルを識別するために用いられる第９の情報（ServcellIndexとも称される）を送信してもよい。例えば、基地局装置３は、第９の情報を、上位層の信号、および／または、ＰＤＣＣＨ（ＰＤＣＣＨで送信される下りリンク制御情報でもよい）のいずれかに含めて送信してもよい。
【０１３１】
例えば、基地局装置３は、第１の情報、第２の情報、および／または、第９の情報が含まれる上位層の信号を送信してもよい。すなわち、基地局装置３は、ＳＲの送信に対して用いられるＰＵＣＣＨサービングセル（例えば、プライマリーセル、および／または、ＰＵＣＣＨセカンダリーセル）を指示（設定）してもよい。基地局装置３は、ＳＲの送信に対して用いられる第１のＰＵＣＣＨリソースが設定されるＰＵＣＣＨサービングセルを指示（設定）してもよい。すなわち、基地局装置は、第１のＰＵＣＣＨフォーマットが用いられるサービングセルを指示（設定）してもよい。すなわち、第１のＰＵＣＣＨフォーマットに対して、第９の情報が設定されてもよい。端末装置１は、第１の情報、第２の情報、および／または、第９の情報に基づいて、ＰＵＣＣＨサービングセル（例えば、プライマリーセル、および／または、ＰＵＣＣＨセカンダリーセル）におけるＰＵＣＣＨを用いて、ＳＲを送信してもよい。
【０１３２】
また、例えば、基地局装置３は、第３の情報、および／または、第９の情報が含まれる上位層の信号を送信してもよい。すなわち、基地局装置３は、第２のＰＵＣＣＨフォーマットに対するＨＡＲＱ−ＡＣＫの送信に対して用いられるＰＵＣＣＨサービングセル（例えば、プライマリーセル、および／または、ＰＵＣＣＨセカンダリーセル）を指示（設定）してもよい。基地局装置３は、第２のＰＵＣＣＨフォーマットに対するＨＡＲＱ−ＡＣＫに対して用いられる第１のＰＵＣＣＨリソースが設定されるＰＵＣＣＨサービングセルを指示（設定）してもよい。すなわち、基地局装置は、第２のＰＵＣＣＨフォーマットが用いられるサービングセルを指示（設定）してもよい。すなわち、第２のＰＵＣＣＨフォーマットに対して、第９の情報が設定されてもよい。端末装置１は、第３の情報、第９の情報、および／または、ＰＤＣＣＨの送信に対して使用されるＣＣＥに基づいて、ＰＵＣＣＨサービングセル（例えば、プライマリーセル、および／または、ＰＵＣＣＨセカンダリーセル）におけるＰＵＣＣＨを用いて、ＨＡＲＱ−ＡＣＫを送信してもよい。
【０１３３】
また、例えば、基地局装置３は、第４の情報、第５の情報、および／または、第９の情報が含まれる上位層の信号を送信してもよい。すなわち、基地局装置３は、ＣＳＩ（例えば、ピリオディックＣＳＩ）の送信に対して用いられるＰＵＣＣＨサービングセル（例えば、プライマリーセル、および／または、ＰＵＣＣＨセカンダリーセル）を指示（設定）してもよい。基地局装置３は、ＣＳＩ（例えば、ピリオディックＣＳＩ）の送信に対して用いられる第２のＰＵＣＣＨリソースが設定されるＰＵＣＣＨサービングセルを指示（設定）してもよい。すなわち、基地局装置は、第３のＰＵＣＣＨフォーマットが用いられるサービングセルを指示（設定）してもよい。すなわち、第３のＰＵＣＣＨフォーマットに対して、第９の情報が設定されてもよい。端末装置１は、第４の情報、第５の情報、および／または、第９の情報に基づいて、ＰＵＣＣＨサービングセル（例えば、プライマリーセル、および／または、ＰＵＣＣＨセカンダリーセル）におけるＰＵＣＣＨを用いて、ピリオディックＣＳＩを送信してもよい。
【０１３４】
また、例えば、基地局装置３は、第６の情報、および／または、第９の情報が含まれる上位層の信号を送信してもよい。すなわち、基地局装置３は、第４のＰＵＣＣＨフォーマットに対するＨＡＲＱ−ＡＣＫの送信に対して用いられるＰＵＣＣＨサービングセル（例えば、プライマリーセル、および／または、ＰＵＣＣＨセカンダリーセル）を指示（設定）してもよい。基地局装置３は、第４のＰＵＣＣＨフォーマットに対するＨＡＲＱ−ＡＣＫに対して用いられる第３のＰＵＣＣＨリソースが設定されるＰＵＣＣＨサービングセルを指示（設定）してもよい。すなわち、基地局装置は、第４のＰＵＣＣＨフォーマットが用いられるサービングセルを指示（設定）してもよい。すなわち、第４のＰＵＣＣＨフォーマットに対して、第９の情報が設定されてもよい。端末装置１は、第６の情報、第９の情報、および／または、ＰＤＣＣＨで送信される下りリンク制御情報にセットされる値に基づいて、ＰＵＣＣＨサービングセル（例えば、プライマリーセル、および／または、ＰＵＣＣＨセカンダリーセル）におけるＰＵＣＣＨを用いて、ＨＡＲＱ−ＡＣＫ、ＳＲ、および／または、ＳＲを送信してもよい。
【０１３５】
また、例えば、基地局装置３は、第７の情報、第８の情報、および／または、第９の情報が含まれる上位層の信号を送信してもよい。すなわち、基地局装置３は、第５のＰＵＣＣＨフォーマットに対するＨＡＲＱ−ＡＣＫの送信に対して用いられるＰＵＣＣＨサービングセル（例えば、プライマリーセル、および／または、ＰＵＣＣＨセカンダリーセル）を指示（設定）してもよい。基地局装置３は、第５のＰＵＣＣＨフォーマットに対するＨＡＲＱ−ＡＣＫに対して用いられる第４のＰＵＣＣＨリソースが設定されるＰＵＣＣＨサービングセルを指示（設定）してもよい。すなわち、基地局装置は、第５のＰＵＣＣＨフォーマットが用いられるサービングセルを指示（設定）してもよい。すなわち、第５のＰＵＣＣＨフォーマットに対して、第９の情報が設定されてもよい。端末装置１は、第７の情報、第８の情報、および／または、第９の情報に基づいて、ＰＵＣＣＨサービングセル（例えば、プライマリーセル、および／または、ＰＵＣＣＨセカンダリーセル）におけるＰＵＣＣＨを用いて、ＨＡＲＱ−ＡＣＫ、ＳＲ、および／または、ＣＳＩを送信してもよい。
【０１３６】
ここで、第９の情報は、第１のＰＵＣＣＨフォーマットのみに対して設定されてもよい。すなわち、ＳＲの送信のみに対して、第９の情報が設定されてもよい。すなわち、基地局装置３は、ＳＲを、プライマリーセルのみにおいて送信するよう指示してもよい。また、基地局装置３は、ＳＲを、ＰＵＣＣＨセカンダリーセルのみにおいて送信するよう指示してもよい。すなわち、プライマリーセルにおけるＰＵＣＣＨでの送信、および、ＰＵＣＣＨセカンダリーセルにおけるＰＵＣＣＨでの送信が設定された場合においても、端末装置１は、第９の情報に基づく何れか１つのＰＵＣＣＨサービングセルにおいて、ＳＲの送信を行ってもよい。すなわち、第１のＰＵＣＣＨフォーマット（または、ＳＲの送信）は、端末装置１ごと（per UE）に対して定義されてもよい。ここで、上述したように、第１のＰＵＣＣＨフォーマット（または、ＳＲの送信）に対して、ＰＵＣＣＨセルグループ（per PUCCH cell group）が設定されてもよい。
【０１３７】
また、第９の情報は、第３のＰＵＣＣＨフォーマットのみに対して設定されてもよい。すなわち、ＣＳＩ（例えば、ピリオディックＣＳＩ）の送信のみに対して、第９の情報が設定されてもよい。すなわち、基地局装置３は、ＣＳＩ（例えば、ピリオディックＣＳＩ）を、プライマリーセルのみにおいて送信するよう指示してもよい。また、基地局装置３は、ＣＳＩ（例えば、ピリオディックＣＳＩ）を、ＰＵＣＣＨセカンダリーセルのみにおいて送信するよう指示してもよい。すなわち、プライマリーセルにおけるＰＵＣＣＨでの送信、および、ＰＵＣＣＨセカンダリーセルにおけるＰＵＣＣＨでの送信が設定された場合においても、端末装置１は、第９の情報に基づく何れか１つのＰＵＣＣＨサービングセルにおいて、ＣＳＩ（例えば、ピリオディックＣＳＩ）の送信を行ってもよい。すなわち、第３のＰＵＣＣＨフォーマット（または、ピリオディックＣＳＩレポート）は、端末装置１ごと（per UE）に対して定義されてもよい。ここで、上述したように、第３のＰＵＣＣＨフォーマット（または、ピリオディックＣＳＩレポート）に対して、ＰＵＣＣＨセルグループ（per PUCCH cell group）が設定されてもよい。
【０１３８】
また、第９の情報は、第１のＰＵＣＣＨフォーマットおよび第３のＰＵＣＣＨフォーマットのみに対して設定されてもよい。すなわち、ＳＲの送信およびＣＳＩ（例えば、ピリオディックＣＳＩ）の送信のみに対して、第９の情報が設定されてもよい。すなわち、基地局装置３は、ＳＲおよびＣＳＩ（例えば、ピリオディックＣＳＩ）を、プライマリーセルのみにおいて送信するよう指示してもよい。また、基地局装置３は、ＳＲおよびＣＳＩ（例えば、ピリオディックＣＳＩ）を、ＰＵＣＣＨセカンダリーセルのみにおいて送信するよう指示してもよい。すなわち、プライマリーセルにおけるＰＵＣＣＨでの送信、および、ＰＵＣＣＨセカンダリーセルにおけるＰＵＣＣＨでの送信が設定された場合においても、端末装置１は、第９の情報に基づく何れか１つのＰＵＣＣＨサービングセルにおいて、ＳＲおよびＣＳＩ（例えば、ピリオディックＣＳＩ）の送信を行ってもよい。すなわち、第１のＰＵＣＣＨフォーマット（ＳＲの送信）および第３のＰＵＣＣＨフォーマット（または、ピリオディックＣＳＩレポート）は、端末装置１ごと（per UE）に対して定義されてもよい。
【０１３９】
すなわち、上述したように、第２のＰＵＣＣＨフォーマット、第４のＰＵＣＣＨフォーマット、および、第５のＰＵＣＣＨフォーマットに対してのみ、ＰＵＣＣＨセルグループが設定されてもよい。
【０１４０】
図４は、本実施形態におけるＨＡＲＱ−ＡＣＫの送信方法を説明するための図である。
【０１４１】
以下、図４を用いて説明される動作は、ＰＵＣＣＨセルグループ毎に行われてもよい。すなわち、基地局装置３および端末装置１は、図４を用いて説明される動作を、１つのＰＵＣＣＨセルグループにおいて行ってもよい。また、図４の説明において、１つよりも多いサービングセルが設定されるとは、１つよりも多く５つ以下のサービングセルが設定されることであってもよい。
【０１４２】
以下、ＰＤＣＣＨの検出および該ＰＤＣＣＨの検出に基づくＰＤＳＣＨでの送信（デコード）が行なわれるサブフレームを、第１のサブフレームとも称する。例えば、第１のサブフレームは、サブフレームｎ−４として表される。また、該ＰＤＳＣＨでの送信（デコード）に対するＨＡＲＱ−ＡＣＫの送信が行なわれるサブフレームを、第２のサブフレームとも称する。例えば、第２のサブフレームは、サブフレームｎとして表される。
【０１４３】
上述したように、端末装置１は、第２のサブフレームにおけるＨＡＲＱ−ＡＣＫの送信に対して、第１のＰＵＣＣＨリソースおよび第２のＰＵＣＣＨフォーマットを用いてもよい。また、端末装置１は、第２のサブフレームにおけるＨＡＲＱ−ＡＣＫの送信に対して、第３のＰＵＣＣＨリソースおよび第４のＰＵＣＣＨフォーマットを用いてもよい。また、端末装置１は、第２のサブフレームにおけるＨＡＲＱ−ＡＣＫの送信に対して、第４のＰＵＣＣＨリソースおよび第５のＰＵＣＣＨフォーマットを用いてもよい。
【０１４４】
例えば、１つのサービングセルが設定された場合において、端末装置１は、第１のサブフレームにおけるＰＤＣＣＨの検出によって指示されたＰＤＳＣＨの送信に対して、第１のＰＵＣＣＨリソースおよび第２のＰＵＣＣＨフォーマットを用いてもよい。
【０１４５】
また、１つよりも多いサービングセルが設定された場合において、端末装置１は、第１のサブフレームにおけるＰＤＣＣＨの検出によって指示されたプライマリーセルのみにおけるＰＤＳＣＨでの送信に対して、第１のＰＵＣＣＨリソースおよび第２のＰＵＣＣＨフォーマットを用いてもよい。
【０１４６】
また、１つよりも多いサービングセルが設定された場合において、端末装置１は、第１のサブフレームにおけるＰＤＣＣＨの検出によって指示されたＰＵＣＣＨセカンダリーセルのみにおけるＰＤＳＣＨでの送信に対して、第１のＰＵＣＣＨリソースおよび第２のＰＵＣＣＨフォーマットを用いてもよい。
【０１４７】
ここで、１つよりも多いサービングセルが設定された場合において、端末装置１は、第１のサブフレームにおけるＰＤＣＣＨの検出によって指示されたＰＵＣＣＨセカンダリーセルのみにおけるＰＤＳＣＨでの送信に対して、第３のＰＵＣＣＨリソースおよび第４のＰＵＣＣＨフォーマット、または、第４のＰＵＣＣＨリソースおよび第５のＰＵＣＣＨフォーマットを用いてもよい。上述したように、基地局装置３は、第４のＰＵＣＣＨフォーマット（ＰＵＣＣＨフォーマット３）、または、第５のＰＵＣＣＨフォーマット（ＰＵＣＣＨフォーマット４）の何れを用いるのかを設定（指示）してもよい。
【０１４８】
すなわち、１つよりも多いサービングセルが設定された場合において、端末装置１は、第１のサブフレームにおけるＰＤＣＣＨの検出によって、少なくとも１つのＰＵＣＣＨセカンダリーセルにおけるＰＤＳＣＨでの送信が指示された場合には、第３のＰＵＣＣＨリソースおよび第４のＰＵＣＣＨフォーマット、または、第４のＰＵＣＣＨリソースおよび第５のＰＵＣＣＨフォーマットを用いてもよい。
【０１４９】
また、１つよりも多いサービングセルが設定された場合において、端末装置１は、第１のサブフレームにおけるＰＤＣＣＨの検出によって指示された非ＰＵＣＣＨセカンダリーセルにおけるＰＤＳＣＨでの送信に対して、第３のＰＵＣＣＨリソースおよび第４のＰＵＣＣＨフォーマット、または、第４のＰＵＣＣＨリソースおよび第５のＰＵＣＣＨフォーマットを用いてもよい。
【０１５０】
すなわち、１つよりも多いサービングセルが設定された場合において、端末装置１は、第１のサブフレームにおけるＰＤＣＣＨの検出によって、少なくとも１つの非ＰＵＣＣＨセカンダリーセルにおけるＰＤＳＣＨでの送信が指示された場合には、第３のＰＵＣＣＨリソースおよび第４のＰＵＣＣＨフォーマット、または、第４のＰＵＣＣＨリソースおよび第５のＰＵＣＣＨフォーマットを用いてもよい。
【０１５１】
すなわち、端末装置１は、プライマリーセルのみにおけるＰＤＳＣＨでの送信に対して第１のＰＵＣＣＨリソースおよび第２のＰＵＣＣＨフォーマットを用いてもよい。また、端末装置１は、ＰＵＣＣＨセカンダリーセルのみにおけるＰＤＳＣＨでの送信に対して、第３のＰＵＣＣＨリソースおよび第４のＰＵＣＣＨフォーマット、または、第４のＰＵＣＣＨリソースおよび第５のＰＵＣＣＨフォーマットを用いてもよい。すなわち、端末装置１は、ＰＤＳＣＨでの送信が、何れのＰＵＣＣＨサービングセル（プライマリーセル、または、ＰＵＣＣＨセカンダリーセル）で行なわれるかに基づいて、ＰＵＣＣＨサービングセルのみにおけるＰＤＳＣＨでの送信に対して、異なるＰＵＣＣＨリソースおよび異なるＰＵＣＣＨフォーマットを用いてもよい。
【０１５２】
ここで、１つよりも多いサービングセルが設定された場合において、端末装置１が、ＰＵＣＣＨセカンダリーセルのみにおけるＰＤＳＣＨでの送信に対するＨＡＲＱ−ＡＣＫを送信するために、上位層によって設定された第１のＰＵＣＣＨリソース（以下、第１−１のＰＵＣＣＨリソースとも称する）を用いてもよい。例えば、基地局装置３は、第１−１のＰＵＣＣＨリソースを設定するために用いられる第１０の情報が含まれる上位層の信号を送信してもよい。
【０１５３】
すなわち、端末装置１は、プライマリーセルのみにおけるＰＤＳＣＨでの送信に対するＨＡＲＱ−ＡＣＫの送信に対して用いられる第１のＰＵＣＣＨリソースとは異なる第１のＰＵＣＣＨリソース（第１−１のＰＵＣＣＨリソース）を用いて、ＰＵＣＣＨセカンダリーセルのみにおけるＰＤＳＣＨでの送信に対するＨＡＲＱ−ＡＣＫの送信を行ってもよい。ここで、例えば、異なる第１のＰＵＣＣＨリソースとは、第１のＰＵＣＣＨリソースに対するリソースインデックスとは異なるリソースインデックス、異なるオーソゴナル系列インデックス、および／または、異なるサイクリックシフトの値であるＰＵＣＣＨリソースを示していてもよい。
【０１５４】
また、５つよりも多いサービングセルが設定または活性化された場合において、端末装置１は、第１のサブフレームにおけるＰＤＣＣＨの検出によって指示されたプライマリーセルのみにおけるＰＤＳＣＨでの送信に対して、第１のＰＵＣＣＨリソースおよび第２のＰＵＣＣＨフォーマットを用いてもよい。ここで、５つよりも多いサービングセルが設定または活性化された場合において、端末装置１は、第１のサブフレームにおけるＰＤＣＣＨの検出によって指示されたプライマリーセルのみにおけるＰＤＳＣＨでの送信に対して、第１−１のＰＵＣＣＨリソースおよび第２のＰＵＣＣＨフォーマットを用いてもよい。
【０１５５】
また、５つよりも多いサービングセルが設定または活性化された場合において、端末装置１は、第１のサブフレームにおけるＰＤＣＣＨの検出によって指示されたＰＵＣＣＨセカンダリーセルのみにおけるＰＤＳＣＨでの送信に対して、第１のＰＵＣＣＨリソースおよび第２のＰＵＣＣＨフォーマットを用いてもよい。また、５つよりも多いサービングセルが設定または活性化された場合において、端末装置１は、第１のサブフレームにおけるＰＤＣＣＨの検出によって指示されたＰＵＣＣＨセカンダリーセルのみにおけるＰＤＳＣＨでの送信に対して、第１−１のＰＵＣＣＨリソースおよび第２のＰＵＣＣＨフォーマットを用いてもよい。ここで、第１−１のＰＵＣＣＨリソースは、ＰＵＣＣＨセカンダリーセルのリソースであってもよい。
【０１５６】
また、５つよりも多いサービングセルが設定または活性化された場合において、端末装置１は、第１のサブフレームにおけるＰＤＣＣＨの検出によって指示されたＰＵＣＣＨセカンダリーセルのみにおけるＰＤＳＣＨでの送信に対して、第４のＰＵＣＣＨリソースおよび第５のＰＵＣＣＨフォーマットを用いてもよい。
【０１５７】
すなわち、５つよりも多いサービングセルが設定または活性化された場合において、端末装置１は、第１のサブフレームにおけるＰＤＣＣＨの検出によって、少なくとも１つのＰＵＣＣＨセカンダリーセルにおけるＰＤＳＣＨでの送信が指示された場合には、第４のＰＵＣＣＨリソースおよび第５のＰＵＣＣＨフォーマットを用いてもよい。
【０１５８】
また、５つよりも多いサービングセルが設定または活性化された場合において、端末装置１は、第１のサブフレームにおけるＰＤＣＣＨの検出によって指示された非ＰＵＣＣＨセカンダリーセルにおけるＰＤＳＣＨでの送信に対して、第４のＰＵＣＣＨリソースおよび第５のＰＵＣＣＨフォーマットを用いてもよい。
【０１５９】
すなわち、５つよりも多いサービングセルが設定または活性化された場合において、端末装置１は、第１のサブフレームにおけるＰＤＣＣＨの検出によって、少なくとも１つの非ＰＵＣＣＨセカンダリーセルにおけるＰＤＳＣＨでの送信が指示された場合には、第４のＰＵＣＣＨリソースおよび第５のＰＵＣＣＨフォーマットを用いてもよい。
【０１６０】
ここで、デュアルコネクティビティ（dual connectivity）に関連するセルグループ（例えば、マスターセルグループ、セカンダリーセルグループ）が設定された場合には、端末装置１は、第１のサブフレームにおけるＰＤＣＣＨの検出によって指示されたプライマリーセカンダリーセルのみにおけるＰＤＳＣＨでの送信に対して、第１のＰＵＣＣＨリソースおよび第２のＰＵＣＣＨフォーマットを用いてもよい。本実施形態において、セカンダリーセルは、プライマリーセカンダリーセルを含まない。マスターセルグループは、１つ、または、複数のＰＵＣＣＨセルグループを含んでもよい。また、セカンダリーセルグループは、１つ、または、複数のＰＵＣＣＨセルグループを含んでもよい。
【０１６１】
また、デュアルコネクティビティに関連するセルグループが設定された場合には、端末装置１は、第１のサブフレームにおけるＰＤＣＣＨの検出によって指示されたセカンダリーセル（ＰＵＣＣＨセカンダリーセル、および／または、非ＰＵＣＣＨセカンダリーセル）におけるＰＤＳＣＨでの送信に対して、第３のＰＵＣＣＨリソースおよび第４のＰＵＣＣＨフォーマット、または、第４のＰＵＣＣＨリソースおよび第５のＰＵＣＣＨフォーマットを用いてもよい。
【０１６２】
ここで、デュアルコネクティビティにおいて、端末装置１は、マスターｅＮＢ（MeNB: Master eNB）およびセカンダリーｅＮＢ（SeNB: Master eNB）と（同時に）接続していてもよい。また、デュアルコネクティビティが設定される場合には、端末装置１に対して、２つのＭＡＣエンティティ（two MAC entities）が設定されていてもよい。ここで、２つのＭＡＣエンティティのうちの１つは、マスターセルグループに対するＭＡＣエンティティを示していてもよい。また、２つのＭＡＣエンティティのうちのもう１つは、セカンダリーセルグループに対するＭＡＣエンティティを示していてもよい。また、デュアルコネクティビティが設定されていない場合には、端末装置１に対して、１つのＭＡＣエンティティが設定されてもよい。
【０１６３】
ここで、第４のＰＵＣＣＨフォーマットを用いてＨＡＲＱ−ＡＣＫを送信する端末装置１は、ＨＡＲＱ−ＡＣＫビットの数を、少なくとも、設定されたサービングセルの数と、設定された各サービングセルに対して設定された下りリンクの送信モードに基づいて決定してもよい。また、第５のＰＵＣＣＨフォーマットを用いてＨＡＲＱ−ＡＣＫを送信する端末装置１は、ＨＡＲＱ−ＡＣＫビットの数を、少なくとも、設定または活性化されたサービングセルの数と、設定または活性化された各サービングセルに対して設定された下りリンクの送信モードに基づいて決定してもよい。
【０１６４】
ここで、端末装置１は、ＰＵＳＣＨでの送信を行おうとする場合において（ＰＵＳＣＨがスケジュールされている場合には）、第４のＰＵＣＣＨフォーマット、および／または、第５のＰＵＣＣＨフォーマットを用いて、ＰＵＣＣＨで送信しようとしていたＨＡＲＱ−ＡＣＫを、ＰＵＳＣＨ（スケジュールされたＰＵＳＣＨ）で送信してもよい。例えば、端末装置１は、ＰＵＳＣＨおよびＰＵＣＣＨでの同時送信（simultaneous PUSCH and PUCCH transmissionとも称する）が設定されていない場合には、第４のＰＵＣＣＨフォーマット、および／または、第５のＰＵＣＣＨフォーマットを用いて、ＰＵＣＣＨで送信しようとしていたＨＡＲＱ−ＡＣＫを、ＰＵＳＣＨで送信してもよい。例えば、基地局装置３は、ＰＵＳＣＨおよびＰＵＣＣＨでの同時送信を設定するかどうかを示す情報（simultaneousPUCCH-PUSCH-r10とも称する）が含まれる上位層の信号を送信してもよい。
【０１６５】
上述したように、基地局装置３と端末装置１は、上述の動作を、１つのＰＵＣＣＨセルグループにおいて行ってもよい。ここで、１つのＰＵＣＣＨセルグループとは、ＤＣＩフォーマットを用いることによってＰＵＳＣＨがスケジュールされたサービングセルが属するＰＵＣＣＨセルグループである。
【０１６６】
すなわち、例えば、ＨＡＲＱ−ＡＣＫビットの数は、対応するＤＣＩフォーマットを用いることによってＰＵＳＣＨがスケジュールされたサービングセルが属するＰＵＣＣＨセルグループにおいて、設定または活性化されたサービングセルの数と、設定または活性化された各サービングセルに対して設定された下りリンクの送信モードに基づいて決定されてもよい。
【０１６７】
すなわち、例えば、第１のＰＵＣＣＨセルグループおよび第２のＰＵＣＣＨセルグループが設定された場合において、ＤＣＩフォーマットを用いることによって第１のＰＵＣＣＨセルグループに属するサービングセルにおけるＰＵＳＣＨがスケジュールされたならば、ＨＡＲＱ−ＡＣＫビットの数は、第２のＰＵＣＣＨセルグループにおいて、設定または活性化されたサービングセルの数と、設定または活性化された各サービングセルに対して設定された下りリンクの送信モードに基づいて決定されてもよい。
【０１６８】
また、第１のＰＵＣＣＨセルグループおよび第２のＰＵＣＣＨセルグループが設定された場合において、ＤＣＩフォーマットを用いることによって第２のＰＵＣＣＨセルグループに属するサービングセルにおけるＰＵＳＣＨがスケジュールされたならば、ＨＡＲＱ−ＡＣＫビットの数は、第２のＰＵＣＣＨセルグループにおいて、設定または活性化されたサービングセルの数と、設定または活性化された各サービングセルに対して設定された下りリンクの送信モードに基づいて決定されてもよい。
【０１６９】
例えば、端末装置１は、２つまでのトランスポートブロックをサポートする下りリンクの送信モード（a downlink transmission mode that supports up to two transport blocks）が設定されたサービングセルに対して２ビットのＨＡＲＱ−ＡＣＫビットを用い、それ以外は（例えば、１つのトランスポートブロックをサポートする下りリンクの送信モード（a downlink transmission mode that supports one transport blocks）が設定されたサービングセルに対して）、１ビットのＨＡＲＱ−ＡＣＫビットを用いてもよい。
【０１７０】
ここで、上述したように、端末装置１は、第３のＰＵＣＣＨフォーマット、第４のＰＵＣＣＨフォーマット、および、第５のＰＵＣＣＨフォーマットを用いて、ＨＡＲＱ−ＡＣＫとＣＳＩを同時に送信してもよい。ここで、例えば、基地局装置３は、ＨＡＲＱ−ＡＣＫとＣＳＩの同時送信を許可するために用いられる第１１の情報（simultaneousAckNackAndCQI）が含まれる上位層の信号を送信することができる。ここで、第１１の情報は、第３のＰＵＣＣＨフォーマットを用いたＨＡＲＱ−ＡＣＫとＣＳＩの同時送信（simultaneous transmission）を許可するために用いられてもよい。
【０１７１】
また、基地局装置３は、第４のＰＵＣＣＨフォーマットを用いたＨＡＲＱ−ＡＣＫとＣＳＩの同時送信を許可するために用いられる第１２の情報（simultaneousAckNackAndCQI-Format3）が含まれる上位層の信号を送信してもよい。また、基地局装置３は、第５のＰＵＣＣＨフォーマットを用いたＨＡＲＱ−ＡＣＫとＣＳＩの同時送信を許可するために用いられる第１３の情報（simultaneousAckNackAndCQI-Format4）が含まれる上位層の信号を送信してもよい。
【０１７２】
例えば、基地局装置３は、上位層の信号を用いて、ＰＵＣＣＨセルグループのそれぞれに対して、第１１の情報、第１２の情報、および／または、第１３の情報を、端末装置１に送信してもよい。また、端末装置１は、上位層の信号を用いて、ＰＵＣＣＨセルグループのそれぞれに対して、第１１の情報、第１２の情報、および／または、第１３の情報を、基地局装置３から受信してもよい。
【０１７３】
また、基地局装置３は、上位層の信号を用いて、複数のＰＵＣＣＨセルグループに対して共通である情報（第１１の情報、第１２の情報、および／または、第１３の情報）を、端末装置１に送信してもよい。また、端末装置１は、上位層の信号を用いて、複数のＰＵＣＣＨセルグループに対して共通である情報（第１１の情報、第１２の情報、および／または、第１３の情報）を、基地局装置３から受信してもよい。
【０１７４】
また、基地局装置３は、上位層の信号を用いて、ＰＵＣＣＨサービングセルのそれぞれに対して、第１１の情報、第１２の情報、および／または、第１３の情報を、端末装置１に送信してもよい。また、端末装置１は、上位層の信号を用いて、ＰＵＣＣＨサービングセルのそれぞれに対して、第１１の情報、第１２の情報、および／または、第１３の情報を、基地局装置３から受信してもよい。
【０１７５】
また、基地局装置３は、上位層の信号を用いて、複数のＰＵＣＣＨサービングセルに対して共通である情報（第１１の情報、第１２の情報、および／または、第１３の情報）を、端末装置１に送信してもよい。また、端末装置１は、上位層の信号を用いて、複数のＰＵＣＣＨサービングセルに対して共通である情報（第１１の情報、第１２の情報、および／または、第１３の情報）を、基地局装置３から受信してもよい。
【０１７６】
また、基地局装置３は、上位層の信号を用いて、マスターセルグループおよびセカンダリーセルグループのそれぞれに対して、第１１の情報、第１２の情報、および／または、第１３の情報を、端末装置１に送信してもよい。また、端末装置１は、上位層の信号を用いて、マスターセルグループおよびセカンダリーセルグループのそれぞれに対して、第１１の情報、第１２の情報、および／または、第１３の情報を、基地局装置３から受信してもよい。
【０１７７】
ここで、１つのサービングセルが設定され、第４のＰＵＣＣＨフォーマットおよび／または第５のＰＵＣＣＨフォーマットが設定されていない端末装置１は、ＰＵＳＣＨを伴わない同一のサブフレームにおいてＣＳＩレポート（例えば、ピリオディックＣＳＩ）とＨＡＲＱ−ＡＣＫとが衝突した場合に、第１１の情報に基づいてＨＡＲＱ−ＡＣＫとＣＳＩの同時送信が許可されている、という条件に、少なくとも基づいて、第３のＰＵＣＣＨフォーマットを用いて、ＰＵＣＣＨでＨＡＲＱ−ＡＣＫと多重されたＣＳＩをレポートしてもよい。ここで、ＨＡＲＱ−ＡＣＫとＣＳＩは、第２のＰＵＣＣＨリソースを用いて同時に送信されてもよい。
【０１７８】
また、１つよりも多いサービングセルが設定された端末装置１は、ＰＵＳＣＨを伴わない同一のサブフレームにおいてＣＳＩレポート（例えば、ピリオディックＣＳＩ）とＨＡＲＱ−ＡＣＫとが衝突した場合において、第１１の情報に基づいてＨＡＲＱ−ＡＣＫとＣＳＩの同時送信が許可され、且つ、ＨＡＲＱ−ＡＣＫがプライマリーセルのみにおけるＰＤＳＣＨでの送信に対応している、という条件に、少なくとも基づいて、第３のＰＵＣＣＨフォーマットを用いて、ＰＵＣＣＨでＨＡＲＱ−ＡＣＫと多重されたＣＳＩをレポートしてもよい。ここで、ＨＡＲＱ−ＡＣＫとＣＳＩは、第２のＰＵＣＣＨリソースを用いて同時に送信されてもよい。
【０１７９】
ここで、ＨＡＲＱ−ＡＣＫがプライマリーセルのみにおけるＰＤＳＣＨでの送信に対応しているとは、端末装置１がプライマリーセルのみにおけるＰＤＳＣＨでの送信に対するＨＡＲＱ−ＡＣＫを送信することを示していてもよい。すなわち、この場合において、端末装置１は、プライマリーセルのみにおけるＰＤＳＣＨでの送信を受信してもよい。
【０１８０】
また、１つよりも多いサービングセルが設定された端末装置１は、ＰＵＳＣＨを伴わない同一のサブフレームにおいてＣＳＩレポート（例えば、ピリオディックＣＳＩ）とＨＡＲＱ−ＡＣＫとが衝突した場合に、第１１の情報に基づいてＨＡＲＱ−ＡＣＫとＣＳＩの同時送信が許可され、且つ、ＨＡＲＱ−ＡＣＫがＰＵＣＣＨセカンダリーセルのみにおけるＰＤＳＣＨでの送信に対応する、という条件に、少なくとも基づいて、第３のＰＵＣＣＨフォーマットを用いて、ＰＵＣＣＨでＨＡＲＱ−ＡＣＫと多重されたＣＳＩをレポートしてもよい。ここで、ＨＡＲＱ−ＡＣＫとＣＳＩは、第２のＰＵＣＣＨリソースを用いて同時に送信されてもよい。
【０１８１】
ここで、ＨＡＲＱ−ＡＣＫがＰＵＣＣＨセカンダリーセルのみにおけるＰＤＳＣＨでの送信に対応しているとは、端末装置１がＰＵＣＣＨセカンダリーセルのみにおけるＰＤＳＣＨでの送信に対するＨＡＲＱ−ＡＣＫを送信することを示していてもよい。すなわち、この場合において、端末装置１は、ＰＵＣＣＨセカンダリーセルのみにおけるＰＤＳＣＨでの送信を受信してもよい。
【０１８２】
ここで、１つよりも多いサービングセルが設定され、第４のＰＵＣＣＨフォーマットが設定された端末装置１は、ＰＵＳＣＨを伴わない同一のサブフレームにおいてＣＳＩレポート（例えば、ピリオディックＣＳＩ）とＨＡＲＱ−ＡＣＫとが衝突した場合に、第１２の情報に基づいてＨＡＲＱ−ＡＣＫとＣＳＩの同時送信が許可され、且つ、ＨＡＲＱ−ＡＣＫがＰＵＣＣＨセカンダリーセルのみにおけるＰＤＳＣＨでの送信に対応する、という条件に、少なくとも基づいて、第４のＰＵＣＣＨフォーマットを用いて、ＰＵＣＣＨでＨＡＲＱ−ＡＣＫと多重されたＣＳＩをレポートしてもよい。ここで、ＨＡＲＱ−ＡＣＫとＣＳＩは、第３のＰＵＣＣＨリソースを用いて同時に送信されてもよい。
【０１８３】
また、１つよりも多いサービングセルが設定され、第５のＰＵＣＣＨフォーマットが設定された端末装置１は、ＰＵＳＣＨを伴わない同一のサブフレームにおいてＣＳＩレポート（例えば、ピリオディックＣＳＩ）とＨＡＲＱ−ＡＣＫとが衝突した場合に、第１３の情報に基づいてＨＡＲＱ−ＡＣＫとＣＳＩの同時送信が許可され、且つ、ＨＡＲＱ−ＡＣＫがＰＵＣＣＨセカンダリーセルのみにおけるＰＤＳＣＨでの送信に対応する、という条件に、少なくとも基づいて、第５のＰＵＣＣＨフォーマットを用いて、ＰＵＣＣＨでＨＡＲＱ−ＡＣＫと多重されたＣＳＩをレポートしてもよい。ここで、ＨＡＲＱ−ＡＣＫとＣＳＩは、第４のＰＵＣＣＨリソースを用いて同時に送信されてもよい。
【０１８４】
また、１つよりも多いサービングセルが設定され、第４のＰＵＣＣＨフォーマットが設定された端末装置１は、ＰＵＳＣＨを伴わない同一のサブフレームにおいてＣＳＩレポート（例えば、ピリオディックＣＳＩ）とＨＡＲＱ−ＡＣＫとが衝突した場合に、第１２の情報に基づいてＨＡＲＱ−ＡＣＫとＣＳＩの同時送信が許可され、且つ、ＨＡＲＱ−ＡＣＫが非ＰＵＣＣＨセカンダリーセルにおけるＰＤＳＣＨでの送信に対応する、という条件に、少なくとも基づいて、第４のＰＵＣＣＨフォーマットを用いて、ＰＵＣＣＨでＨＡＲＱ−ＡＣＫと多重されたＣＳＩをレポートしてもよい。例えば、端末装置１は、該サブフレームにおける上りリンク制御情報（HARQ-ACK、SR(if any)、および／または、CSI）に対応するビットの総数が、所定の値（例えば、２２ビット）以上ではない、という条件にも基づいて、第４のＰＵＣＣＨフォーマットを用いて、ＰＵＣＣＨでＨＡＲＱ−ＡＣＫと多重されたＣＳＩをレポートしてもよい。ここで、ＨＡＲＱ−ＡＣＫとＣＳＩは、第３のＰＵＣＣＨリソースを用いて同時に送信されてもよい。
【０１８５】
ここで、ＨＡＲＱ−ＡＣＫが非ＰＵＣＣＨセカンダリーセルにおけるＰＤＳＣＨでの送信に対応しているとは、端末装置１が、少なくとも１つの非ＰＵＣＣＨセカンダリーセルにおけるＰＤＳＣＨでの送信に対する、ＨＡＲＱ−ＡＣＫを送信することを示していてもよい。すなわち、この場合において、端末装置１は、少なくとも１つの非ＰＵＣＣＨセカンダリーセルにおけるＰＤＳＣＨでの送信を受信してもよい。
【０１８６】
また、１つよりも多いサービングセルが設定され、第５のＰＵＣＣＨフォーマットが設定された端末装置１は、ＰＵＳＣＨを伴わない同一のサブフレームにおいてＣＳＩレポート（例えば、ピリオディックＣＳＩ）とＨＡＲＱ−ＡＣＫとが衝突した場合に、第１３の情報に基づいてＨＡＲＱ−ＡＣＫとＣＳＩの同時送信が許可され、且つ、ＨＡＲＱ−ＡＣＫが非ＰＵＣＣＨセカンダリーセルにおけるＰＤＳＣＨでの送信に対応する、という条件に、少なくとも基づいて、第５のＰＵＣＣＨフォーマットを用いて、ＰＵＣＣＨでＨＡＲＱ−ＡＣＫと多重されたＣＳＩをレポートしてもよい。例えば、端末装置１は、該サブフレームにおける上りリンク制御情報に対応するビットの総数が、所定の値（例えば、ＰＵＣＣＨフォーマット５を用いて送信されるビット数）以上ではない、という条件にも基づいて、第５のＰＵＣＣＨフォーマットを用いて、ＰＵＣＣＨでＨＡＲＱ−ＡＣＫと多重されたＣＳＩをレポートしてもよい。ここで、ＨＡＲＱ−ＡＣＫとＣＳＩは、第４のＰＵＣＣＨリソースを用いて同時に送信されてもよい。
【０１８７】
すなわち、端末装置１は、ＨＡＲＱ−ＡＣＫがプライマリーセルのみにおけるＰＤＳＣＨでの送信に対応している場合には、第３のＰＵＣＣＨフォーマットを用いてもよい。また、端末装置１は、ＨＡＲＱ−ＡＣＫがＰＵＣＣＨセカンダリーセルのみにおけるＰＤＳＣＨでの送信に対応している場合には、第３のＰＵＣＣＨフォーマット、または、第４のＰＵＣＣＨフォーマットを用いてもよい。また、端末装置１は、ＨＡＲＱ−ＡＣＫがＰＵＣＣＨセカンダリーセルのみにおけるＰＤＳＣＨでの送信に対応している場合には、第３のＰＵＣＣＨフォーマット、または、第５のＰＵＣＣＨフォーマットを用いてもよい。
【０１８８】
すなわち、端末装置１は、ＨＡＲＱ−ＡＣＫが、何れのＰＵＣＣＨサービング（プライマリーセル、または、ＰＵＣＣＨセカンダリーセル）におけるＰＤＳＣＨでの送信に対応しているかに基づいて、ＨＡＲＱ−ＡＣＫとＣＳＩの同時送信に対して、異なるＰＵＣＣＨリソースおよび異なるＰＵＣＣＨフォーマットを用いてもよい。
【０１８９】
ここで、１つよりも多いサービングセルが設定された場合において、端末装置１が、ＰＵＣＣＨセカンダリーセルのみにおけるＰＤＳＣＨでの送信に対するＨＡＲＱ−ＡＣＫ、および、ＣＳＩを送信するために、上位層によって設定された第２のＰＵＣＣＨリソース（以下、第２−１のＰＵＣＣＨリソースとも称する）を用いてもよい。例えば、基地局装置３は、第２−１のＰＵＣＣＨリソースを設定するために用いられる第１４の情報が含まれる上位層の信号を送信してもよい。
【０１９０】
すなわち、端末装置１は、プライマリーセルのみにおけるＰＤＳＣＨでの送信に対するＨＡＲＱ−ＡＣＫ、および、ＣＳＩの送信に対して用いられる第２のＰＵＣＣＨリソースとは異なる第２のＰＵＣＣＨリソース（第２−１のＰＵＣＣＨリソース）を用いて、ＰＵＣＣＨセカンダリーセルのみにおけるＰＤＳＣＨでの送信に対するＨＡＲＱ−ＡＣＫ、および、ＣＳＩの送信を行ってもよい。ここで、例えば、異なる第２のＰＵＣＣＨリソースとは、第２のＰＵＣＣＨリソースに対するリソースインデックスとは異なるリソースインデックス、異なるオーソゴナル系列インデックス、および／または、異なるサイクリックシフトの値であるＰＵＣＣＨリソースを示していてもよい。
【０１９１】
また、５つよりも多いサービングセルが設定または活性化された端末装置１は、ＰＵＳＣＨを伴わない同一のサブフレームにおいてＣＳＩレポート（例えば、ピリオディックＣＳＩ）とＨＡＲＱ−ＡＣＫとが衝突した場合において、第１１の情報に基づいてＨＡＲＱ−ＡＣＫとＣＳＩの同時送信が許可され、且つ、ＨＡＲＱ−ＡＣＫがプライマリーセルのみにおけるＰＤＳＣＨでの送信に対応している、という条件に、少なくとも基づいて、第３のＰＵＣＣＨフォーマットを用いて、ＰＵＣＣＨでＨＡＲＱ−ＡＣＫと多重されたＣＳＩをレポートしてもよい。ここで、ＨＡＲＱ−ＡＣＫとＣＳＩは、第２のＰＵＣＣＨリソースを用いて同時に送信されてもよい。また、ＨＡＲＱ−ＡＣＫとＣＳＩは、第２−１のＰＵＣＣＨリソースを用いて同時に送信されてもよい。
【０１９２】
また、５つよりも多いサービングセルが設定または活性化された端末装置１は、ＰＵＳＣＨを伴わない同一のサブフレームにおいてＣＳＩレポート（例えば、ピリオディックＣＳＩ）とＨＡＲＱ−ＡＣＫとが衝突した場合に、第１１の情報に基づいてＨＡＲＱ−ＡＣＫとＣＳＩの同時送信が許可され、且つ、ＨＡＲＱ−ＡＣＫがＰＵＣＣＨセカンダリーセルのみにおけるＰＤＳＣＨでの送信に対応する、という条件に、少なくとも基づいて、第３のＰＵＣＣＨフォーマットを用いて、ＰＵＣＣＨでＨＡＲＱ−ＡＣＫと多重されたＣＳＩをレポートしてもよい。ここで、ＨＡＲＱ−ＡＣＫとＣＳＩは、第２のＰＵＣＣＨリソースを用いて同時に送信されてもよい。また、ＨＡＲＱ−ＡＣＫとＣＳＩは、第２−１のＰＵＣＣＨリソースを用いて同時に送信されてもよい。
【０１９３】
ここで、５つよりも多いサービングセルが設定または活性化され、第４のＰＵＣＣＨフォーマットが設定された端末装置１は、ＰＵＳＣＨを伴わない同一のサブフレームにおいてＣＳＩレポート（例えば、ピリオディックＣＳＩ）とＨＡＲＱ−ＡＣＫとが衝突した場合に、第１２の情報に基づいてＨＡＲＱ−ＡＣＫとＣＳＩの同時送信が許可され、且つ、ＨＡＲＱ−ＡＣＫがＰＵＣＣＨセカンダリーセルのみにおけるＰＤＳＣＨでの送信に対応する、という条件に、少なくとも基づいて、第４のＰＵＣＣＨフォーマットを用いて、ＰＵＣＣＨでＨＡＲＱ−ＡＣＫと多重されたＣＳＩをレポートしてもよい。ここで、ＨＡＲＱ−ＡＣＫとＣＳＩは、第３のＰＵＣＣＨリソースを用いて同時に送信されてもよい。
【０１９４】
また、５つよりも多いサービングセルが設定または活性化され、第５のＰＵＣＣＨフォーマットが設定された端末装置１は、ＰＵＳＣＨを伴わない同一のサブフレームにおいてＣＳＩレポート（例えば、ピリオディックＣＳＩ）とＨＡＲＱ−ＡＣＫとが衝突した場合に、第１３の情報に基づいてＨＡＲＱ−ＡＣＫとＣＳＩの同時送信が許可され、且つ、ＨＡＲＱ−ＡＣＫがＰＵＣＣＨセカンダリーセルのみにおけるＰＤＳＣＨでの送信に対応する、という条件に、少なくとも基づいて、第５のＰＵＣＣＨフォーマットを用いて、ＰＵＣＣＨでＨＡＲＱ−ＡＣＫと多重されたＣＳＩをレポートしてもよい。ここで、ＨＡＲＱ−ＡＣＫとＣＳＩは、第４のＰＵＣＣＨリソースを用いて同時に送信されてもよい。
【０１９５】
また、５つよりも多いサービングセルが設定または活性化され、第４のＰＵＣＣＨフォーマットが設定された端末装置１は、ＰＵＳＣＨを伴わない同一のサブフレームにおいてＣＳＩレポート（例えば、ピリオディックＣＳＩ）とＨＡＲＱ−ＡＣＫとが衝突した場合に、第１２の情報に基づいてＨＡＲＱ−ＡＣＫとＣＳＩの同時送信が許可され、且つ、ＨＡＲＱ−ＡＣＫが非ＰＵＣＣＨセカンダリーセルにおけるＰＤＳＣＨでの送信に対応する、という条件に、少なくとも基づいて、第４のＰＵＣＣＨフォーマットを用いて、ＰＵＣＣＨでＨＡＲＱ−ＡＣＫと多重されたＣＳＩをレポートしてもよい。例えば、端末装置１は、該サブフレームにおける上りリンク制御情報に対応するビットの総数が、所定の値（例えば、２２ビット）以上ではない、という条件にも基づいて、第５のＰＵＣＣＨフォーマットを用いて、ＰＵＣＣＨでＨＡＲＱ−ＡＣＫと多重されたＣＳＩをレポートしてもよい。ここで、ＨＡＲＱ−ＡＣＫとＣＳＩは、第３のＰＵＣＣＨリソースを用いて同時に送信されてもよい。
【０１９６】
また、５つよりも多いサービングセルが設定または活性化され、第５のＰＵＣＣＨフォーマットが設定された端末装置１は、ＰＵＳＣＨを伴わない同一のサブフレームにおいてＣＳＩレポート（例えば、ピリオディックＣＳＩ）とＨＡＲＱ−ＡＣＫとが衝突した場合に、第１３の情報に基づいてＨＡＲＱ−ＡＣＫとＣＳＩの同時送信が許可され、且つ、ＨＡＲＱ−ＡＣＫが非ＰＵＣＣＨセカンダリーセルにおけるＰＤＳＣＨでの送信に対応する、という条件に、少なくとも基づいて、第５のＰＵＣＣＨフォーマットを用いて、ＰＵＣＣＨでＨＡＲＱ−ＡＣＫと多重されたＣＳＩをレポートしてもよい。例えば、端末装置１は、該サブフレームにおける上りリンク制御情報に対応するビットの総数が、所定の値（例えば、ＰＵＣＣＨフォーマット５を用いて送信されるビット数）以上ではない、という条件にも基づいて、第５のＰＵＣＣＨフォーマットを用いて、ＰＵＣＣＨでＨＡＲＱ−ＡＣＫと多重されたＣＳＩをレポートしてもよい。ここで、ＨＡＲＱ−ＡＣＫとＣＳＩは、第４のＰＵＣＣＨリソースを用いて同時に送信されてもよい。
【０１９７】
上述したように、端末装置１は、ＰＵＣＣＨフォーマットのそれぞれに対して設定されたＰＵＣＣＨセルグループにおいて、上りリンク制御情報を送信してもよい。すなわち、上述の説明において、第３のＰＵＣＣＨフォーマットを用いてＣＳＩと共に送信されるＨＡＲＱ−ＡＣＫは、第３のＰＵＣＣＨフォーマットに対して設定されたＰＵＣＣＨセルグループに対するＨＡＲＱ−ＡＣＫ（第３のＰＵＣＣＨフォーマットに対して設定されたＰＵＣＣＨセルグループにおけるＰＤＳＣＨでの送信に対するＨＡＲＱ−ＡＣＫ）であってもよい。
【０１９８】
また、上述の説明において、第４のＰＵＣＣＨフォーマットを用いてＣＳＩと共に送信されるＨＡＲＱ−ＡＣＫは、第４のＰＵＣＣＨフォーマットに対して設定されたＰＵＣＣＨセルグループに対するＨＡＲＱ−ＡＣＫ（第４のＰＵＣＣＨフォーマットに対して設定されたＰＵＣＣＨセルグループにおけるＰＤＳＣＨでの送信に対するＨＡＲＱ−ＡＣＫ）であってもよい。
【０１９９】
また、上述の説明において、第５のＰＵＣＣＨフォーマットを用いてＣＳＩと共に送信されるＨＡＲＱ−ＡＣＫは、第５のＰＵＣＣＨフォーマットに対して設定されたＰＵＣＣＨセルグループに対するＨＡＲＱ−ＡＣＫ（第５のＰＵＣＣＨフォーマットに対して設定されたＰＵＣＣＨセルグループにおけるＰＤＳＣＨでの送信に対するＨＡＲＱ−ＡＣＫ）であってもよい。
【０２００】
すなわち、端末装置１は、ＨＡＲＱ−ＡＣＫがいずれのサービングセルにおけるＰＤＳＣＨの送信に対応するのかに応じて、異なるＰＵＣＣＨセルグループに対するＨＡＲＱ−ＡＣＫを、ＣＳＩと共に送信してもよい。
【０２０１】
また、同一のＰＵＣＣＨサービングセルにおいて、ＰＵＳＣＨを伴わない同一のサブフレームにおいて、ＣＳＩレポートとＨＡＲＱ−ＡＣＫとが衝突した場合には、第３のＰＵＣＣＨフォーマット、第４のＰＵＣＣＨフォーマット、および／または、第５のＰＵＣＣＨフォーマットを用いて、ＣＳＩとＨＡＲＱ−ＡＣＫとが、ともに送信されてもよい。ここで、ＨＡＲＱ−ＡＣＫに対応するＰＵＣＣＨセルグループと、ＣＳＩに対応するＰＵＣＣＨセルグループは異なってもよい。例えば、ＨＡＲＱ−ＡＣＫに対応するＰＵＣＣＨセルグループは、第２のＰＵＣＣＨフォーマット、第４のＰＵＣＣＨフォーマット、および／または、第５のＰＵＣＣＨフォーマットに対して設定されたＰＵＣＣＨセルグループであってもよい。例えば、ＣＳＩに対応するＰＵＣＣＨセルグループは、第２のＰＵＣＣＨフォーマットに対して設定されたＰＵＣＣＨセルグループであってもよい。
【０２０２】
また、ＰＵＳＣＨを伴わない同一のサブフレームにおいて、あるＰＵＣＣＨサービングセルにおけるＣＳＩレポートと、該あるＰＵＣＣＨサービングセルとは異なるＰＵＣＣＨサービングセルにおけるＨＡＲＱ−ＡＣＫとが衝突した場合には、該あるＰＵＣＣＨサービングセルにおけるＣＳＩと、該あるＰＵＣＣＨサービングセルとは異なるＰＵＣＣＨサービングセルにおけるＨＡＲＱ−ＡＣＫとが、ともに送信されてもよい。ここで、ＨＡＲＱ−ＡＣＫが対応するＰＵＣＣＨセルグループと、ＣＳＩが対応するＰＵＣＣＨセルグループは異なってもよい。ここで、ＣＳＩは、第３のＰＵＣＣＨフォーマットを用いて送信されてもよい。また、ＨＡＲＱ−ＡＣＫは、第２のＰＵＣＣＨフォーマット、第４のＰＵＣＣＨフォーマット、および／または、第５のＰＵＣＣＨフォーマットを用いて送信されてもよい。
【０２０３】
また、ＰＵＳＣＨを伴わない同一のサブフレームにおいて、あるＰＵＣＣＨサービングセルにおけるＣＳＩレポートと、該あるＰＵＣＣＨサービングセルとは異なるＰＵＣＣＨサービングセルにおけるＨＡＲＱ−ＡＣＫとが衝突した場合には、該あるＰＵＣＣＨサービングセルとは異なるＰＵＣＣＨサービングセルにおけるＨＡＲＱ−ＡＣＫのみが送信されてもよい。すなわち、該あるＰＵＣＣＨサービングセルにおけるＣＳＩはドロップされてもよい。ここで、ＨＡＲＱ−ＡＣＫが対応するＰＵＣＣＨセルグループと、ＣＳＩが対応するＰＵＣＣＨセルグループは異なってもよい。ここで、ＣＳＩは、ＨＡＲＱ−ＡＣＫは、第２のＰＵＣＣＨフォーマット、第４のＰＵＣＣＨフォーマット、および／または、第５のＰＵＣＣＨフォーマットを用いて送信されてもよい。
【０２０４】
また、基地局装置３は、ＰＵＳＣＨを伴わない１つのサブフレームにおける、あるサービングセルにおけるＨＡＲＱ−ＡＣＫと、該あるサービングセルとは異なるサービングセルにおけるＣＳＩレポートとの送信を許可するために用いられる情報（simultaneousPUCCH-PUCCH）が含まれる上位層の信号を送信してもよい。すなわち、基地局装置３は、あるサービングセルにおけるＰＵＣＣＨでのＨＡＲＱ−ＡＣＫ、および、該あるサービングセルとは異なるサービングセルにおけるＰＵＣＣＨでのＣＳＩレポートの同時送信を許可するために用いられる情報を送信してもよい。
【０２０５】
図５は、本実施形態におけるアピリオディックＣＳＩレポートを説明するための図である。図５（ａ）は、ユーザー装置スペシフィックサーチスペースにおける上りリンクに対するＤＣＩフォーマットと伴うＰＤＣＣＨに対する２ビットＣＳＩリクエストフィールドについての記載を示している。また、図５（ｂ）は、ユーザー装置スペシフィックサーチスペースにおける上りリンクに対するＤＣＩフォーマットと伴うＰＤＣＣＨに対する３ビットＣＳＩリクエストフィールドについての記載を示している。
【０２０６】
以下、図５を用いて説明される動作は、ＰＵＣＣＨセルグループ毎に行われてもよい。すなわち、基地局装置３および端末装置１は、図５を用いて説明される動作を、１つのＰＵＣＣＨセルグループにおいて行ってもよい。また、図５の説明において、１つよりも多いサービングセルが設定されるとは、１つよりも多く５つ以下のサービングセルが設定されることであってもよい。
【０２０７】
ここで、基地局装置３は、ＣＳＩの送信を要求するために用いられる情報（CSI requestとも称される）をＰＤＣＣＨで送信することによって、ＰＵＳＣＨを用いたＣＳＩの送信（aperiodic CSI reportとも称される）をトリガしてもよい。例えば、ＣＳＩリクエストは、上りリンクに対するＤＣＩフォーマットに含まれてもよい。端末装置１は、サブフレームｎにおける、あるサービングセルに対する上りリンクに対するＤＣＩフォーマットのデコードに基づいて、ＣＳＩリクエストフィールドがレポートをトリガするようセットされている場合には、サブフレームｎ＋ｋにおける、該あるサービングセルにおいて、ＰＵＳＣＨを用いてアピリオディックＣＳＩレポーティングを実行してもよい。
【０２０８】
ここで、ＣＳＩリクエストフィールドのサイズが１ビットの場合には、アピリオディックＣＳＩレポートは、あるサービングセルに対してトリガされてもよい。ここで、アピリオディックＣＳＩレポートがあるサービングセルに対してトリガされるとは、ＣＳＩリクエストが含まれるＤＣＩフォーマットを用いることによってＰＵＳＣＨがスケジュールされたサービングセルに対してアピリオディックＣＳＩレポートがトリガされることを示している。すなわち、ＣＳＩリクエストフィールドのサイズが１ビットの場合には、端末装置１は、ＰＵＳＣＨがスケジュールされた上りリンクコンポーネントキャリアに対応する下りリンクコンポーネントキャリアに対するＣＳＩをレポートしてもよい。
【０２０９】
また、ＣＳＩリクエストフィールドのサイズが２ビットの場合には、アピリオディックＣＳＩレポートは、アピリオディックＣＳＩレポーティングに対応する値に基づいてトリガされてもよい。例えば、ＣＳＩリクエストフィールドの値が“００”の場合には、アピリオディックＣＳＩレポートはトリガされなくてもよい。また、ＣＳＩリクエストフィールドの値が“０１”の場合には、アピリオディックＣＳＩレポートは、あるサービングセルに対してトリガされてもよい。また、ＣＳＩリクエストフィールドの値が“１０”の場合には、アピリオディックＣＳＩレポートは、上位層によって設定された１つまたは複数のサービングセルの第１のセット（1stset of one or more serving cells）に対してトリガされてもよい。また、ＣＳＩリクエストフィールドの値が“１１”の場合には、アピリオディックＣＳＩレポートは、上位層によって設定された１つまたは複数のサービングセルの第２のセット（1stset of one or more serving cells）に対してトリガされてもよい。
【０２１０】
例えば、基地局装置３は、１つまたは複数のサービングセルの第１のセットを設定するために用いられる情報（trigger1-r10とも称される）、および、１つまたは複数のサービングセルの第２のセットを設定するために用いられる情報（trigger2-r10とも称される）が含まれる、上位層の信号を送信してもよい。ここで、第１のセットを設定するために用いられる情報（trigger1-r10）、および、第２のセットを設定するために用いられる情報（trigger2-r10）は、第１５の情報（aperiodicCSI-Trigger-r10とも称される）に含まれて送信されてもよい。すなわち、第１５の情報は、アピリオディックＣＳＩレポートが２ビットのＣＳＩリクエストフィールドの値によってトリガされた場合に、いずれのサービングセルに対するアピリオディックＣＳＩレポートがトリガされるかを示してもよい（may indicate for which serving cell(s) the aperiodic CSI report is triggered in a case that the aperiodic CSI report is trigger by a value of 2-bit CSI request field）。
【０２１１】
端末装置１は、第１５の情報、および、ＣＳＩリクエストフィールドの値に基づいて、ＰＵＳＣＨを用いてアピリオディックＣＳＩレポートを実行してもよい。
【０２１２】
また、ＣＳＩリクエストフィールドのサイズが３ビットの場合には、アピリオディックＣＳＩレポートは、アピリオディックＣＳＩレポーティングに対応する値に基づいてトリガされてもよい。すなわち、ＣＳＩリクエストフィールドの値が“０００”の場合には、アピリオディックＣＳＩレポートはトリガされなくてもよい。また、ＣＳＩリクエストフィールドの値が“００１”の場合には、アピリオディックＣＳＩレポートは、あるサービングセルに対してトリガされてもよい。また、ＣＳＩリクエストフィールドの値が“０１０”の場合には、アピリオディックＣＳＩレポートは、上位層によって設定された１つまたは複数のサービングセルの第１のセット（1stset of one or more serving cells）に対してトリガされてもよい。また、ＣＳＩリクエストフィールドの値が“０１１”の場合には、アピリオディックＣＳＩレポートは、上位層によって設定された１つまたは複数のサービングセルの第２のセット（2ndset of one or more serving cells）に対してトリガされてもよい。以下、同様に、ＣＳＩリクエストフィールドの値に基づいて、いずれのサービングセルに対するアピリオディックＣＳＩレポートがトリガされるかが示されてもよい。
【０２１３】
例えば、基地局装置３は、第１のセットを設定するために用いられる情報（trigger1-r13とも称される）、第２のセットを設定するために用いられる情報（trigger2-r13とも称される）、第３のセットを設定するために用いられる情報（trigger3-r13とも称される）、第４のセットを設定するために用いられる情報（trigger4-r13とも称される）、第５のセットを設定するために用いられる情報（trigger5-r13とも称される）、第６のセットを設定するために用いられる情報（trigger6-r13とも称される）、および、第７のセットを設定するために用いられる情報（trigger7-r13とも称される）が含まれる、上位層の信号を送信してもよい。
【０２１４】
また、第１のセットを設定するために用いられる情報（trigger1-r13）、第２のセットを設定するために用いられる情報（trigger2-r13）、第３のセットを設定するために用いられる情報（trigger3-r13）、第４のセットを設定するために用いられる情報（trigger4-r13）、第５のセットを設定するために用いられる情報（trigger5-r13）、第６のセットを設定するために用いられる情報（trigger6-r13）、および、第７のセットを設定するために用いられる情報（trigger7-r13）は、第１６の情報（aperiodicCSI-Trigger-r13とも称される）に含まれてもよい。すなわち、第１６の情報は、アピリオディックＣＳＩレポートが３ビットのＣＳＩリクエストフィールドの値によってトリガされた場合に、いずれのサービングセルに対するアピリオディックＣＳＩレポートがトリガされるかを示してもよい（may indicate for which serving cell(s) the aperiodic CSI report is triggered in a case that the aperiodic CSI report is trigger by a value of 3-bit CSI request field）。
【０２１５】
すなわち、端末装置１は、第１６の情報、および、ＣＳＩリクエストフィールドの値に基づいて、ＰＵＳＣＨを用いてアピリオディックＣＳＩレポートを実行してもよい。
【０２１６】
ここで、基地局装置３は、上位層の信号を用いて、サービングセルのそれぞれに対して、第１５の情報、および／または、第１６の情報を、端末装置１に送信してもよい。また、端末装置１は、上位層の信号を用いて、サービングセルのそれぞれに対して、第１５の情報、および／または、第１６の情報を、基地局装置３から受信してもよい。すなわち、第１のセットから第７のセットは、上りリンクリソース（上りリンクコンポーネントキャリア）を伴うサービングセル毎に設定されてもよい。
【０２１７】
また、第１のセットから第７のセットのそれぞれは、５つまでのサービングセルを含んでもよい。
【０２１８】
ここで、第１５の情報に基づく第１のセットおよび第２のセットのそれぞれが含むことが可能なサービングセルの最大数と、第１６の情報に基づく第１のセットから第７のセットのそれぞれが含むことが可能なサービングセルの最大数は異なってもよい。
【０２１９】
また、端末装置１は、第１５の情報に基づく第１のセットおよび第２のセットのそれぞれが含むことが可能なサービングセルの最大数に関する情報を、基地局装置３に送信してもよい。また、端末装置１は、第１６の情報に基づく第１のセットから第７のセットのそれぞれが含むことが可能なサービングセルの最大数に関する情報を、基地局装置３に送信してもよい。
【０２２０】
また、第１５の情報に基づく第１のセットおよび第２のセットのそれぞれが含むことが可能なサービングセルの最大数と、第１６の情報に基づく第１のセットから第７のセットのそれぞれが含むことが可能なサービングセルの最大数は同一でもよい。
【０２２１】
また、端末装置１は、第１５の情報、および／または、第１６の情報に基づく第１のセットから第７のセットのそれぞれが含むことが可能なサービングセルの最大数に関する情報を、基地局装置３に送信してもよい。
【０２２２】
ここで、ＣＳＩリクエストフィールドのサイズが２ビットの場合とＣＳＩリクエストフィールドのサイズが３ビットの場合に対して、それぞれ異なるテーブルが定義されてもよい。また、ＣＳＩリクエストフィールドのサイズが２ビットの場合とＣＳＩリクエストフィールドのサイズが３ビットの場合に対して、１つの共通のテーブルが定義されてもよい。
【０２２３】
また、第１のセットを設定するために用いられる情報（trigger1-r13）として、第１のセットを設定するために用いられる情報（trigger1-r10）が用いられてもよい。また、第２のセットを設定するために用いられる情報（trigger2-r13）として、第２のセットを設定するために用いられる情報（trigger2-r10）が用いられてもよい。すなわち、２ビットのサイズのＣＳＩリクエストフィールドのいずれかの値によってアピリオディックＣＳＩレポートがトリガされるサービングセルと、３ビットのサイズのＣＳＩリクエストフィールドのいずれかの値によってアピリオディックＣＳＩレポートがトリガされるサービングセルを、同一（共通）としてもよい。
【０２２４】
ここで、ＣＳＩリクエストフィールドのサイズは、少なくとも、設定されたサービングセル（下りリンクセル）の数、および／または、ＤＣＩフォーマットがマップされたサーチスペースに基づいて決定されてもよい。また、ＣＳＩリクエストフィールドのサイズは、少なくとも、活性化されたサービングセル（下りリンクセル）の数、および／または、ＤＣＩフォーマットがマップされたサーチスペースに基づいて決定されてもよい。
【０２２５】
例えば、端末装置１に対して１つのサービングセルが設定された場合には、ＣＳＩリクエストフィールドのサイズとして（ＣＳＩリクエストに対して）、１ビットのフィールドが適用されてもよい。また、ＤＣＩフォーマットがコモンサーチスペースにマップされた場合には、ＣＳＩリクエストフィールドのサイズとして、１ビットのフィールドが適用されてもよい。例えば、１つのサービングセルが設定された端末装置１は、ＣＳＩリクエストフィールドのサイズが１ビットであると想定してもよい。また、ＤＣＩフォーマットをコモンサーチスペースにおいて検出（受信）した場合には、ＣＳＩリクエストフィールドのサイズが１ビットであると想定してもよい。
【０２２６】
また、端末装置１に対して１つよりも多いサービングセルが設定され、且つ、ＤＣＩフォーマットがユーザー装置スペシフィックサーチスペースにマップされた場合には、ＣＳＩリクエストフィールドのサイズとして、２ビットのフィールドが適用されてもよい。上述したように、ユーザー装置スペシフィックサーチスペースは、少なくとも、Ｃ−ＲＮＴＩによって与えられてもよい。例えば、１つよりも多いサービングセルが設定された端末装置１は、ＤＣＩフォーマットをユーザー装置スペシフィックサーチスペースにおいて検出した場合には、ＣＳＩリクエストフィールドのサイズが２ビットであると想定してもよい。
【０２２７】
また、５つよりも多いサービングセルが設定または活性化され、且つ、ＤＣＩフォーマットがユーザー装置スペシフィックサーチスペースにマップされた場合には、ＣＳＩリクエストフィールドのサイズとして、３ビットのフィールドが適用されてもよい。例えば、５つよりも多いサービングセルが設定または活性化された端末装置１は、ＤＣＩフォーマットをユーザー装置スペシフィックサーチスペースにおいて検出した場合には、ＣＳＩリクエストフィールドのサイズが３ビットであると想定してもよい。
【０２２８】
上述したように、基地局装置３と端末装置１は、上述の動作を、１つのＰＵＣＣＨセルグループにおいて行ってもよい。ここで、１つのＰＵＣＣＨセルグループとは、ＤＣＩフォーマット（すなわち、ＣＳＩリクエストが含まれるＤＣＩフォーマット、以下、対応するＤＣＩフォーマットとも称する）を用いることによってＰＵＳＣＨがスケジュールされたサービングセルが属するＰＵＣＣＨセルグループである。
【０２２９】
すなわち、例えば、端末装置１に対して、対応するＤＣＩフォーマットを用いることによってＰＵＳＣＨがスケジュールされたサービングセルが属するＰＵＣＣＨセルグループにおいて１つのサービングセルが設定された場合には、ＣＳＩリクエストフィールドのサイズとして、１ビットのフィールドが適用されてもよい。また、対応するＤＣＩフォーマットがコモンサーチスペースにマップされた場合には、ＣＳＩリクエストフィールドのサイズとして、１ビットのフィールドが適用されてもよい。
【０２３０】
また、端末装置１に対して、対応するＤＣＩフォーマットを用いることによってＰＵＳＣＨがスケジュールされたサービングセルが属するＰＵＣＣＨセルグループにおいて１つよりも多いサービングセルが設定され、且つ、該対応するＤＣＩフォーマットがユーザー装置スペシフィックサーチスペースにマップされた場合には、ＣＳＩリクエストフィールドのサイズとして、２ビットのフィールドが適用されてもよい。
【０２３１】
また、端末装置１に対して、対応するＤＣＩフォーマットを用いることによってＰＵＳＣＨがスケジュールされたサービングセルが属するＰＵＣＣＨセルグループにおいて５つよりも多いサービングセルが設定され、且つ、該対応するＤＣＩフォーマットがユーザー装置スペシフィックサーチスペースにマップされた場合には、ＣＳＩリクエストフィールドのサイズとして、３ビットのフィールドが適用されてもよい。
【０２３２】
すなわち、例えば、第１のＰＵＣＣＨセルグループおよび第２のＰＵＣＣＨセルグループが設定された場合において、第１のＰＵＣＣＨセルグループにおいて１つのサービングセルが設定され、且つ、ユーザー装置スペシフィックサーチスペースおよび／またはコモンサーチスペースにマップされたＤＣＩフォーマットを用いることによって第１のＰＵＣＣＨセルグループに属するサービングセルにおけるＰＵＳＣＨがスケジュールされたならば、ＣＳＩリクエストフィールドのサイズとして、１ビットのフィールドが適用されてもよい。
【０２３３】
また、第１のＰＵＣＣＨセルグループおよび第２のＰＵＣＣＨセルグループが設定された場合において、第２のＰＵＣＣＨセルグループにおいて１つのサービングセルが設定され、且つ、ユーザー装置スペシフィックサーチスペースおよび／またはコモンサーチスペースにマップされたＤＣＩフォーマットを用いることによって第２のＰＵＣＣＨセルグループに属するサービングセルにおけるＰＵＳＣＨがスケジュールされたならば、ＣＳＩリクエストフィールドのサイズとして、１ビットのフィールドが適用されてもよい。
【０２３４】
また、例えば、第１のＰＵＣＣＨセルグループおよび第２のＰＵＣＣＨセルグループが設定された場合において、第１のＰＵＣＣＨセルグループにおいて１つよりも多いサービングセルが設定され、且つ、ユーザー装置スペシフィックサーチスペースにマップされたＤＣＩフォーマットを用いることによって第１のＰＵＣＣＨセルグループに属するサービングセルにおけるＰＵＳＣＨがスケジュールされたならば、ＣＳＩリクエストフィールドのサイズとして、２ビットのフィールドが適用されてもよい。
【０２３５】
また、第１のＰＵＣＣＨセルグループおよび第２のＰＵＣＣＨセルグループが設定された場合において、第２のＰＵＣＣＨセルグループにおいて１つよりも多いサービングセルが設定され、且つ、ユーザー装置スペシフィックサーチスペースにマップされたＤＣＩフォーマットを用いることによって第２のＰＵＣＣＨセルグループに属するサービングセルにおけるＰＵＳＣＨがスケジュールされたならば、ＣＳＩリクエストフィールドのサイズとして、２ビットのフィールドが適用されてもよい。
【０２３６】
また、例えば、第１のＰＵＣＣＨセルグループおよび第２のＰＵＣＣＨセルグループが設定された場合において、第１のＰＵＣＣＨセルグループにおいて５つよりも多いサービングセルが設定または活性化され、且つ、ユーザー装置スペシフィックサーチスペースにマップされたＤＣＩフォーマットを用いることによって第１のＰＵＣＣＨセルグループに属するサービングセルにおけるＰＵＳＣＨがスケジュールされたならば、ＣＳＩリクエストフィールドのサイズとして、３ビットのフィールドが適用されてもよい。
【０２３７】
また、第１のＰＵＣＣＨセルグループおよび第２のＰＵＣＣＨセルグループが設定された場合において、第２のＰＵＣＣＨセルグループにおいて５つよりも多いサービングセルが設定または活性化され、且つ、ユーザー装置スペシフィックサーチスペースにマップされたＤＣＩフォーマットを用いることによって第２のＰＵＣＣＨセルグループに属するサービングセルにおけるＰＵＳＣＨがスケジュールされたならば、ＣＳＩリクエストフィールドのサイズとして、３ビットのフィールドが適用されてもよい。
【０２３８】
すなわち、端末装置１に対して、対応するＰＵＣＣＨセルグループにおいて１つのサービングセルが設定された場合、または、対応するＤＣＩフォーマットがコモンサーチスペースにマップされた場合には、ＣＳＩリクエストフィールドのサイズとして、１ビットのフィールドが適用されてもよい。また、端末装置１に対して、対応するＰＵＣＣＨセルグループにおいて１つよりも多いサービングセルが設定され、且つ、対応するＤＣＩフォーマットがユーザー装置スペシフィックサーチスペースにマップされた場合には、ＣＳＩリクエストフィールドのサイズとして、２ビットのフィールドが適用されてもよい。また、端末装置１に対して、対応するＰＵＣＣＨセルグループにおいて５つよりも多いサービングセルが設定され、且つ、対応するＤＣＩフォーマットがユーザー装置スペシフィックサーチスペースにマップされた場合には、ＣＳＩリクエストフィールドのサイズとして、３ビットのフィールドが適用されてもよい。
【０２３９】
ここで、対応するＰＵＣＣＨセルグループとは、ＤＣＩフォーマット（すなわち、ＣＳＩリクエストが含まれるＤＣＩフォーマット）を用いることによってＰＵＳＣＨがスケジュールされたサービングセルが属するＰＵＣＣＨセルグループである。また、対応するＤＣＩフォーマットは、アピリオディックＣＳＩのレポートを要求するＤＣＩフォーマット（すなわち、ＣＳＩリクエストが含まれるＤＣＩフォーマット）である。
【０２４０】
ここで、本実施形態においては、一例として、ＣＳＩリクエストフィールドのサイズが１ビット、２ビット、および、３ビットの場合について記載したが、ＣＳＩリクエストフィールドのサイズは３ビットよりも大きいビット数でもよいことは勿論である。
【０２４１】
上述のように、基地局装置３と端末装置１は、あるサブフレームにおいて、ＰＵＣＣＨでピリオディックＣＳＩを送受信してもよい。また、基地局装置３と端末装置１は、あるサブフレームにおいて、ＰＵＳＣＨでアピリオディックＣＳＩを送受信してもよい。ここで、端末装置１は、同一のサブフレームにおいて、ピリオディックＣＳＩレポートおよびアピリオディックＣＳＩレポートの両方が生じた場合には、該サブフレームにおいて、アピリオディックＣＳＩレポートのみを送信してもよい（In case both periodic and aperiodic CSI reporting would occur in the same subframe, the UE shall only transmit the aperiodic CSI report in that subframe）。すなわち、端末装置１は、同一のサブフレームにおいて、ピリオディックＣＳＩレポーティングおよびアピリオディックＣＳＩレポーティングの両方が生じた場合には、該サブフレームにおいて、ピリオディックＣＳＩレポートをドロップしてもよい。
【０２４２】
ここで、端末装置１は、同一のサブフレームにおいて、あるセービングセルに対するピリオディックＣＳＩレポート、および、該あるサービングセルとは異なるサービングセルに対するアピリオディックＣＳＩレポートの両方が生じた場合には、該サブフレームにおいて、ピリオディックＣＳＩレポートおよびアピリオディックＣＳＩレポートの両方を送信してもよい。すなわち、端末装置１は、同一のサブフレームにおいて、異なるサービングセルに対するピリオディックＣＳＩレポートおよびアピリオディックＣＳＩレポートが生じた場合には、該サブフレームにおいて、ピリオディックＣＳＩレポートおよびアピリオディックＣＳＩレポートの両方を送信してもよい。
【０２４３】
すなわち、端末装置１は、同一のサブフレームにおいて、あるセービングセルに対するピリオディックＣＳＩレポート、および、該あるサービングセルに対するアピリオディックＣＳＩレポートの両方が生じた場合には、該サブフレームにおいて、アピリオディックＣＳＩレポートのみを送信してもよい。すなわち、端末装置１は、同一のサブフレームにおいて、同一のサービングセルに対するピリオディックＣＳＩレポートおよびアピリオディックＣＳＩレポートが生じた場合には、該サブフレームにおいて、アピリオディックＣＳＩレポートのみを送信してもよい。すなわち、端末装置１は、同一のサブフレームにおいて、同一のサービングセルに対するピリオディックＣＳＩレポートおよびアピリオディックＣＳＩレポートが生じた場合には、該サブフレームにおいて、ピリオディックＣＳＩレポートをドロップしてもよい。
【０２４４】
図６は、本実施形態における上りリンク制御情報のみの送信の指示を説明する図である。
【０２４５】
以下、図６を用いて説明される動作は、ＰＵＣＣＨセルグループ毎に行われてもよい。すなわち、基地局装置３および端末装置１は、図６を用いて説明される動作を、１つのＰＵＣＣＨセルグループにおいて行ってもよい。また、図６の説明において、１つよりも多いサービングセルが設定されるとは、１つよりも多く５つ以下のサービングセルが設定されることであってもよい。
【０２４６】
また、図６の説明において、１つよりも多いサービングセルに対するアピリオディックＣＳＩレポートをトリガするようセットされるとは、１つよりも多く５つ以下のサービングセルに対するアピリオディックＣＳＩレポートをトリガするようセットされることであってもよい。また、図６におけるＦｉｇｕｒｅ．５（ａ）およびＦｉｇｕｒｅ．５（ｂ）は、図５（ａ）および図５（ｂ）に対応している。
【０２４７】
ここで、基地局装置３は、ＰＵＳＣＨを用いた上りリンク制御情報のみの送信を指示してもよい。すなわち、基地局装置３は、上りリンクデータ（ＵＬ−ＳＣＨデータ）を伴わないＰＵＳＣＨでの上りリンク制御情報（uplink control information on PUSCH without UL-SCH data）の送信を指示してもよい。すなわち、基地局装置３によって指示された場合には、ＵＬ−ＳＣＨに対するトランスポートブロックのない上りリンク制御情報のみ（there is no transport block for UL-SCH and only uplink control information）が端末装置１によって送信されてもよい。ここで、ＰＵＳＣＨを用いた上りリンク制御情報のみの送信は、アピリオディックＣＳＩレポートに含まれてもよい。
【０２４８】
ここで、例えば、ＰＵＳＣＨを用いた上りリンク制御情報のみの送信は、少なくとも、ＣＳＩリクエストフィールドの値（a value of the “CSI request” bit field）、ＭＣＳインデックス（modulation and coding scheme index、IMCSとも称される）、および／または、割り当てられた物理リソースブロックの数（the number of allocated PRBs (physical resource blocks)、NPRBとも称される）に基づいて指示されてもよい。ここで、ＣＳＩリクエストフィールドの値、ＭＣＳインデックス、および、物理リソースブロックの数は、上りリンクに対するＤＣＩフォーマット（例えば、ＤＣＩフォーマット０、ＤＣＩフォーマット４）に含まれてもよい。
【０２４９】
上述したように、ＣＳＩリクエストフィールドの値は、上りリンクに対するＤＣＩフォーマットに含まれるＣＳＩリクエスト（ＣＳＩの送信を要求するために用いられる情報）にマップされたフィールドにセットされる値であってもよい。また、ＭＣＳインデックスは、上りリンクに対するＤＣＩフォーマットに含まれるＭＣＳおよび／またはリダンダシーバジョン（Modulation and coding scheme and/or redundancy version）に関する情報（ＭＣＳおよび／またはリダンダシーバジョンを指示するために用いられる情報）にマップされたフィールドにセットされる値であってもよい。また、物理リソースブロックの数は、上りリンクに対するＤＣＩフォーマットに含まれるリソースブロック割り当ておよび／またはホッピング（Resource block assignment and/or hopping resource allocation）に関する情報（リソースブロック割り当てに関連する情報）にマップされたフィールドにセットされる値に基づいてもよい。ここで、これらの情報は、ＰＵＳＣＨに対する情報である。
【０２５０】
以下、ＣＳＩリクエストフィールドのサイズについては、上述したので、その説明を省略する。すなわち、以下の説明におけるＣＳＩリクエストフィールドのサイズは、上述の方法によって指示（決定）されてもよい。
【０２５１】
例えば、ＤＣＩフォーマット０が用いられ、ＭＣＳインデックスが２９であり、ＣＳＩリクエストフィールド（ＣＳＩリクエストフィールドのサイズ）が１ビットでありアピリオディックＣＳＩレポートをトリガするようセットされ、物理リソースブロックの数が４以下である、という条件を、少なくとも用いることによって、ＰＵＳＣＨを用いた上りリンク制御情報のみの送信が指示されてもよい。
【０２５２】
また、ＤＣＩフォーマット０が用いられ、ＭＣＳインデックスが２９であり、ＣＳＩリクエストフィールドが２ビットであり１つのサービングセルに対するアピリオディックＣＳＩレポートをトリガするようセットされ、物理リソースブロックの数が４以下である、という条件を、少なくとも用いることによって、ＰＵＳＣＨを用いた上りリンク制御情報のみの送信が指示されてもよい。
【０２５３】
また、ＤＣＩフォーマット０が用いられ、ＭＣＳインデックスが２９であり、ＣＳＩリクエストフィールドが２ビットであり１つよりも多いサービングセルに対するアピリオディックＣＳＩレポートをトリガするようセットされ、物理リソースブロックの数が２０以下である、という条件を、少なくとも用いることによって、ＰＵＳＣＨを用いた上りリンク制御情報のみの送信が指示されてもよい。
【０２５４】
また、ＤＣＩフォーマット０が用いられ、ＭＣＳインデックスが２９であり、ＣＳＩリクエストフィールドが３ビットであり１つのサービングセルに対するアピリオディックＣＳＩレポートをトリガするようセットされ、物理リソースブロックの数が４以下である、という条件を、少なくとも用いることによって、ＰＵＳＣＨを用いた上りリンク制御情報のみの送信が指示されてもよい。
【０２５５】
また、ＤＣＩフォーマット０が用いられ、ＭＣＳインデックスが２９であり、ＣＳＩリクエストフィールドが３ビットであり１つよりも多いサービングセルに対するアピリオディックＣＳＩレポートをトリガするようセットされ、物理リソースブロックの数が２０以下である、という条件を、少なくとも用いることによって、ＰＵＳＣＨを用いた上りリンク制御情報のみの送信が指示されてもよい。
【０２５６】
また、ＤＣＩフォーマット０が用いられ、ＭＣＳインデックスが２９であり、ＣＳＩリクエストフィールドが３ビットであり５つよりも多いサービングセルに対するアピリオディックＣＳＩレポートをトリガするようセットされる、という条件を、少なくとも用いることによって、ＰＵＳＣＨを用いた上りリンク制御情報のみの送信が指示されてもよい。すなわち、５つよりも多いサービングセルに対するアピリオディックＣＳＩレポートがトリガされる場合には、ＰＵＳＣＨを用いた上りリンク制御情報の送信を指示するための条件として、物理リソースブロックの数が含まれなくてもよい。すなわち、物理リソースブロックの数は、いくつの数がセットされてもよい。すなわち、物理リソースブロックの数に制限がなくてもよい。
【０２５７】
また、ＤＣＩフォーマット０が用いられ、ＭＣＳインデックスが２９であり、ＣＳＩリクエストフィールドが２ビットであり５つよりも多いサービングセルに対するアピリオディックＣＳＩレポートをトリガするようセットされ、物理リソースブロックの数が所定の数以下である、という条件を、少なくとも用いることによって、ＰＵＳＣＨを用いた上りリンク制御情報のみの送信が指示されてもよい。
【０２５８】
ここで、所定の数は、仕様書などによって定義され、基地局装置３と端末装置１において既知の数でもよい。例えば、所定の数は“０”であってもよい。この場合、上りリンク制御情報のみの送信は、上位層によって設定されたＰＵＳＣＨリソースを用いて送信されてもよい。例えば、基地局装置３は、上りリンク制御情報のみを送信するためのＰＵＳＣＨリソースを設定するために用いられる情報が含まれる上位層の信号を送信してもよい。
【０２５９】
また、所定の数は、基地局装置３によって設定されてもよい。例えば、基地局装置３は、所定の数を指示（決定、算出）するために用いられる情報が含まれる上位層の信号（または、ＤＣＩフォーマット）を送信してもよい。例えば、所定の数は、設定および／または活性化されたサービングセルの数に基づいて指示されてもよい。すなわち、所定の数は、上述した、サービングセルを設定するために用いられる情報、および／または、サービングセルを活性化するために用いられる情報に基づいて指示されてもよい。
【０２６０】
また、所定の数は、後述する、端末装置１によって同時に測定されるＣＳＩの数を指示するために用いられる情報に基づいて指示されてもよい。ここで、端末装置１によって同時に測定されるＣＳＩの数を指示するために用いられる情報は、基地局装置３から端末装置１へ送信される。また、所定の数は、ＣＳＩプロセスの数を指示するために用いられる情報に基づいて指示されてもよい。すなわち、所定の数は、ＣＳＩ（ＣＳＩの送信）に関連する情報に基づいて指示されてもよい。
【０２６１】
例えば、所定の数は、上述した、いずれのサービングセルに対するアピリオディックＣＳＩレポートがトリガされるかを示す情報（第１５の情報、および／または、第１６の情報）に基づいて指示（決定、定義）されてもよい。すなわち、所定の数は、上述した、第１５の情報に含まれる、１つまたは複数のサービングセルの第１のセットを設定するために用いられる情報（trigger1-r10）、および／または、１つまたは複数のサービングセルの第２のセットを設定するために用いられる情報（trigger2-r10）に基づいて指示されてもよい。
【０２６２】
また、所定の数は、上述した、第１６の情報に含まれる、１つまたは複数のサービングセルの第１のセットを設定するために用いられる情報（trigger1-r13）、１つまたは複数のサービングセルの第２のセットを設定するために用いられる情報（trigger2-r13）、１つまたは複数のサービングセルの第３のセットを設定するために用いられる情報（trigger3-r13）、１つまたは複数のサービングセルの第４のセットを設定するために用いられる情報（trigger4-r13）、１つまたは複数のサービングセルの第５のセットを設定するために用いられる情報（trigger5-r13）、１つまたは複数のサービングセルの第６のセットを設定するために用いられる情報（trigger6-r13）、および／または、１つまたは複数のサービングセルの第７のセットを設定するために用いられる情報（trigger7-r13）に基づいて指示されてもよい。
【０２６３】
例えば、基地局装置３は、第１５の情報に含まれる情報のそれぞれを用いて、アピリオディックＣＳＩレポートがトリガされるサービングセルを、ビットマップを用いて指示してもよい。例えば、８つのサービングセルのうち、いずれのサービングセルに対するアピリオディックＣＳＩレポートがトリガされるかが、８ビットのビットマップを用いることによって（アピリオディックＣＳＩレポートがトリガされるサービングセルに対応するビットが“１”にセットされることによって）、指示されてもよい。
【０２６４】
同様に、基地局装置３は、第１６の情報に含まれる情報のそれぞれを用いて、アピリオディックＣＳＩレポートがトリガされるサービングセルを、ビットマップを用いて指示してもよい。例えば、３２のサービングセルのうち、いずれのサービングセルに対するアピリオディックＣＳＩレポートがトリガされるかが、３２ビットのビットマップを用いることによって（アピリオディックＣＳＩレポートがトリガされるサービングセルに対応するビットが“１”にセットされることによって）、指示されてもよい。
【０２６５】
例えば、所定の値は、アピリオディックＣＳＩレポートがトリガされるサービングセルの数に基づいて指示されて指示されてもよい。また、例えば、所定の値は、アピリオディックＣＳＩレポートがトリガされるサービングセルの数に、４を乗算することによって算出される値であってもよい。すなわち、所定の値は、上述したビットマップにおいて“１”にセットされたビットの数（合計数）に、４を乗算することによって算出される値であってもよい。
【０２６６】
すなわち、例えば、２ビットのＣＳＩリクエストフィールドの値が“１０”の場合に、１つまたは複数のサービングセルの第１のセットを設定するために用いられる情報によって３つのサービングセルに対するアピリオディックＣＳＩレポートがトリガされるならば、所定の値は１２（３×４）であってもよい。また、２ビットのＣＳＩリクエストフィールドの値が“１１”の場合に、１つまたは複数のサービングセルの第２のセットを設定するために用いられる情報によって５つのサービングセルに対するアピリオディックＣＳＩレポートがトリガされるならば、所定の値は２０（５×４）であってもよい。
【０２６７】
また、例えば、３ビットのＣＳＩリクエストフィールドの値が“０１０”の場合に、１つまたは複数のサービングセルの第１のセットを設定するために用いられる情報によって１２のサービングセルに対するアピリオディックＣＳＩレポートがトリガされるならば、所定の値は４８（１２×４）であってもよい。また、３ビットのＣＳＩリクエストフィールドの値が“０１１”の場合に、１つまたは複数のサービングセルの第２のセットを設定するために用いられる情報によって２０のサービングセルに対するアピリオディックＣＳＩレポートがトリガされるならば、所定の値は８０（２０×４）であってもよい。以下、同様に、所定の値は、ＣＳＩリクエストフィールドの値、および、該ＣＳＩリクエストフィールドの値に対応するアピリオディックＣＳＩレポートがトリガされるサービングセルの数に基づいて、指示（決定、定義）されてもよい。
【０２６８】
ここで、例えば、２ビットのＣＳＩリクエストフィールドの値、および、該該ＣＳＩリクエストフィールドの値に対応するアピリオディックＣＳＩレポートがトリガされるサービングセルの数が１の場合には、所定の値は４であってもよい。また、３ビットのＣＳＩリクエストフィールドの値、および、該該ＣＳＩリクエストフィールドの値に対応するアピリオディックＣＳＩレポートがトリガされるサービングセルの数が１の場合には、所定の値は４であってもよい。すなわち、２ビットのＣＳＩリクエストフィールドの値、および、第１５の情報（第１５の情報に含まれる情報のそれぞれ）に基づいて、１つのサービングセルに対するアピリオディックＣＳＩレポートがトリガされるならば、所定の値は４であってもよい。また、３ビットのＣＳＩリクエストフィールドの値、および、第１６の情報（第１６の情報に含まれる情報のそれぞれ）に基づいて、１つのサービングセルに対するアピリオディックＣＳＩレポートがトリガされるならば、所定の値は４であってもよい。
【０２６９】
また、２ビットのＣＳＩリクエストフィールドの値、および、該該ＣＳＩリクエストフィールドの値に対応するアピリオディックＣＳＩレポートがトリガされるサービングセルの数が、１つよりも多い場合（１つよりも多く、５つ以下の場合）の場合には、所定の値は２０であってもよい。また、３ビットのＣＳＩリクエストフィールドの値、および、該該ＣＳＩリクエストフィールドの値に対応するアピリオディックＣＳＩレポートがトリガされるサービングセルの数が、１つよりも多い場合（１つよりも多く、５つ以下の場合）には、所定の値は２０であってもよい。すなわち、２ビットのＣＳＩリクエストフィールドの値、および、第１５の情報（第１５の情報に含まれる情報のそれぞれ）に基づいて、１つよりも多いサービングセル（１つよりも多く、５つ以下のサービングセル）に対するアピリオディックＣＳＩレポートがトリガされるならば、所定の値は２０であってもよい。また、３ビットのＣＳＩリクエストフィールドの値、および、第１６の情報（第１６の情報に含まれる情報のそれぞれ）に基づいて、１つよりも多いサービングセル（１つよりも多く、５つ以下のサービングセル）に対するアピリオディックＣＳＩレポートがトリガされるならば、所定の値は２０であってもよい。
【０２７０】
また、２ビットのＣＳＩリクエストフィールドの値、および、該該ＣＳＩリクエストフィールドの値に対応するアピリオディックＣＳＩレポートがトリガされるサービングセルの数が、５つよりも多い場合には、所定の値は、ＣＳＩリクエストフィールドの値、および、該ＣＳＩリクエストフィールドの値に対応するアピリオディックＣＳＩレポートがトリガされるサービングセルの数に基づいて指示されてもよい。すなわち、２ビットのＣＳＩリクエストフィールドの値、および、該該ＣＳＩリクエストフィールドの値に対応するアピリオディックＣＳＩレポートがトリガされるサービングセルの数が、５つよりも多い場合には、所定の値は、該ＣＳＩリクエストフィールドの値に対応するアピリオディックＣＳＩレポートがトリガされるサービングセルの数に、４を乗算することによって算出される値であってもよい。
【０２７１】
また、３ビットのＣＳＩリクエストフィールドの値、および、該該ＣＳＩリクエストフィールドの値に対応するアピリオディックＣＳＩレポートがトリガされるサービングセルの数が、５つよりも多い場合には、所定の値は、ＣＳＩリクエストフィールドの値、および、該ＣＳＩリクエストフィールドの値に対応するアピリオディックＣＳＩレポートがトリガされるサービングセルの数に基づいて指示されてもよい。すなわち、３ビットのＣＳＩリクエストフィールドの値、および、該該ＣＳＩリクエストフィールドの値に対応するアピリオディックＣＳＩレポートがトリガされるサービングセルの数が、５つよりも多い場合には、所定の値は、該ＣＳＩリクエストフィールドの値に対応するアピリオディックＣＳＩレポートがトリガされるサービングセルの数に、４を乗算することによって算出される値であってもよい。
【０２７２】
すなわち、２ビットのＣＳＩリクエストフィールドの値、および、第１５の情報（第１５の情報に含まれる情報のそれぞれ）に基づいて、５つよりも多いサービングセルに対するアピリオディックＣＳＩレポートがトリガされる場合において、所定の値は、ＣＳＩリクエストフィールドの値、および、該ＣＳＩリクエストフィールドの値に対応するアピリオディックＣＳＩレポートがトリガされるサービングセルの数に基づいて指示されてもよい。また、３ビットのＣＳＩリクエストフィールドの値、および、第１６の情報（第１６の情報に含まれる情報のそれぞれ）に基づいて、５つよりも多いサービングセルに対するアピリオディックＣＳＩレポートがトリガされる場合において、所定の値は、ＣＳＩリクエストフィールドの値、および、該ＣＳＩリクエストフィールドの値に対応するアピリオディックＣＳＩレポートがトリガされるサービングセルの数に基づいて指示されてもよい。
【０２７３】
ここで、２ビットのＣＳＩリクエストフィールドの値、および、第１５の情報（第１５の情報に含まれる情報のそれぞれ）に基づいて、５つよりも多いサービングセルに対するアピリオディックＣＳＩレポートがトリガされる場合において、所定の値は、無限大（infinite）であってもよい。また、３ビットのＣＳＩリクエストフィールドの値、および、第１６の情報（第１６の情報に含まれる情報のそれぞれ）に基づいて、５つよりも多いサービングセルに対するアピリオディックＣＳＩレポートがトリガされる場合において、所定の値は、無限大であってもよい。ここで、所定の値が無限大であることは、ＰＵＳＣＨを用いた上りリンク制御情報のみの送信の指示のために、所定の値が用いられないことと同じであってもよい。
【０２７４】
また、ＤＣＩフォーマット４が用いられ、１つのトランスポートブロック（TB: Transport block）が有効とされ、該有効とされたトランスポートブロックに対するＭＣＳインデックスが２９であり、送信レイヤの数が１であり、ＣＳＩリクエストフィールドが１ビットでありアピリオディックＣＳＩレポートをトリガするようセットされ、物理リソースブロックの数が４以下である、という条件を、少なくとも用いることによって、ＰＵＳＣＨを用いた上りリンク制御情報のみの送信が指示されてもよい。
【０２７５】
ここで、送信レイヤの数は、ＤＣＩフォーマット４に含まれる情報（送信レイヤの数を指示するために用いられる情報、Precoding information and number of layersとも称される）にマップされたフィールドにセットされる値に基づいてもよい。上述したように、ＤＣＩフォーマット４には、ＣＳＩの送信を要求するために用いられる情報、ＭＣＳおよび／またはリダンダシーバジョンを指示するために用いられる情報、および／または、リソースブロック割り当てに関連する情報が含まれる。ここで、これらの情報は、ＰＵＳＣＨに対する情報である。
【０２７６】
また、ＤＣＩフォーマット４が用いられ、１つのトランスポートブロックが有効とされ、該有効とされたトランスポートブロックに対するＭＣＳインデックスが２９であり、送信レイヤの数が１であり、ＣＳＩリクエストフィールドが２ビットであり１つのサービングセルに対するアピリオディックＣＳＩレポートをトリガするようセットされ、物理リソースブロックの数が４以下である、という条件を少なくとも用いることによって、ＰＵＳＣＨを用いた上りリンク制御情報のみの送信が指示されてもよい。
【０２７７】
また、ＤＣＩフォーマット４が用いられ、１つのトランスポートブロックが有効とされ、該有効とされたトランスポートブロックに対するＭＣＳインデックスが２９であり、送信レイヤの数が１であり、ＣＳＩリクエストフィールドが２ビットであり１つよりも多いサービングセルに対するアピリオディックＣＳＩレポートをトリガするようセットされ、物理リソースブロックの数が２０以下である、という条件を少なくとも用いることによって、ＰＵＳＣＨを用いた上りリンク制御情報のみの送信が指示されてもよい。
【０２７８】
また、ＤＣＩフォーマット４が用いられ、１つのトランスポートブロックが有効とされ、該有効とされたトランスポートブロックに対するＭＣＳインデックスが２９であり、送信レイヤの数が１であり、ＣＳＩリクエストフィールドが３ビットであり１つのサービングセルに対するアピリオディックＣＳＩレポートをトリガするようセットされ、物理リソースブロックの数が４以下である、という条件を少なくとも用いることによって、ＰＵＳＣＨを用いた上りリンク制御情報のみの送信が指示されてもよい。
【０２７９】
また、ＤＣＩフォーマット４が用いられ、１つのトランスポートブロックが有効とされ、該有効とされたトランスポートブロックに対するＭＣＳインデックスが２９であり、送信レイヤの数が１であり、ＣＳＩリクエストフィールドが３ビットであり１つよりも多いサービングセルに対するアピリオディックＣＳＩレポートをトリガするようセットされ、物理リソースブロックの数が２０以下である、という条件を少なくとも用いることによって、ＰＵＳＣＨを用いた上りリンク制御情報のみの送信が指示されてもよい。
【０２８０】
また、ＤＣＩフォーマット４が用いられ、１つのトランスポートブロックが有効とされ、該有効とされたトランスポートブロックに対するＭＣＳインデックスが２９であり、送信レイヤの数が１であり、ＣＳＩリクエストフィールドが３ビットであり５つよりも多いサービングセルに対するアピリオディックＣＳＩレポートをトリガするようセットされる、という条件を、少なくとも用いることによって、ＰＵＳＣＨを用いた上りリンク制御情報のみの送信が指示されてもよい。
【０２８１】
また、ＤＣＩフォーマット４が用いられ、１つのトランスポートブロックが有効とされ、該有効とされたトランスポートブロックに対するＭＣＳインデックスが２９であり、送信レイヤの数が１であり、ＣＳＩリクエストフィールドが３ビットであり５つよりも多いサービングセルに対するアピリオディックＣＳＩレポートをトリガするようセットされ、物理リソースブロックの数が所定の数以下である、という条件を、少なくとも用いることによって、ＰＵＳＣＨを用いた上りリンク制御情報のみの送信が指示されてもよい。ここで、所定の数については、上述したので、その説明を省略する。
【０２８２】
ここで、ＣＳＩレポーティング（アピリオディックＣＳＩレポーティングおよび／またはピリオディックＣＳＩレポーティング）において、トリガされたがレポートしていないＣＳＩの数、および、新たにトリガされたＣＳＩの数の和が、端末装置１において同時に測定（計算）可能なＣＳＩの数を超えた場合に、いずれのトリガに対するＣＳＩがレポートされるかが、仕様書などによって事前に定義されてもよい。
【０２８３】
ここで、端末装置１は、同時に測定可能なＣＳＩの数を示すために用いられる情報を、基地局装置３へ送信してもよい。例えば、端末装置１は、同時に測定可能なＣＳＩの数を示すために用いられる情報が含まれる上位層の信号を送信してもよい。また、端末装置１は、同時に測定可能なＣＳＩの数を示すために用いられる情報を、能力情報（capability information）として送信してもよい。ここで、１つのあるサービングセルにおいて同時に測定可能なＣＳＩの数を示すために用いられる情報が送信されてもよい。ここで、端末装置１において同時に測定可能なＣＳＩの数を示すために用いられる情報が送信されてもよい。
【０２８４】
ここで、基地局装置３は、端末装置１が同時に測定するＣＳＩの数（端末装置１によって同時に測定されるＣＳＩの数）を、端末装置１に対して設定（指示）してもよい。例えば、基地局装置３は、端末装置１によって同時に測定されるＣＳＩの数を指示するために用いられる情報が含まれる上位層の信号を送信してもよい。端末装置１は、設定された、同時に測定されるＣＳＩの数に基づいて、ＣＳＩを算出（計算）してもよい。基地局装置３と端末装置１が、基地局装置３によって設定された、同時に測定されるＣＳＩの数に基づいて算出されたＣＳＩを送受信することによって、トリガされたがレポートしていないＣＳＩの数、および、新たにトリガされたＣＳＩの数の和が、端末装置１において同時に測定可能なＣＳＩの数を超えるような状況を回避することが可能となる。
【０２８５】
以下、本実施形態における装置の構成について説明する。
【０２８６】
図７は、本実施形態における端末装置１の構成を示す概略ブロック図である。図に示すように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、送信電力制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０２８７】
上位層処理部１０１は、ユーザーの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０２８８】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【０２８９】
ここで、上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０２９０】
また、上位層処理部１０１が備える送信電力制御部１０１５は、無線リソース制御部１０１１によって管理されている各種設定情報／パラメータ、ＴＰＣコマンドなどに基づいて、ＰＵＳＣＨおよびＰＵＣＣＨでの送信に対する送信電力の制御を行う。
【０２９１】
また、制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０２９２】
また、受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０２９３】
また、無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０２９４】
また、多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０２９５】
また、復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０２９６】
また、復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０２９７】
また、チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩ（ＣＳＩでもよい）の算出のために、チャネル測定、および／または、干渉測定を行なう。
【０２９８】
また、送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。また、送信部１０７は、上りリンク制御情報を送信する。
【０２９９】
また、符号化部１０７１は、上位層処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【０３００】
また、変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０３０１】
また、上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０３０２】
また、無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０３０３】
図８は、本実施形態における基地局装置３の構成を示す概略ブロック図である。図に示すように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、送信電力制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０３０４】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０３０５】
また、上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【０３０６】
また、上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０３０７】
また、上位層処理部３０１が備える送信電力制御部３０１５は、無線リソース制御部３０１１によって管理されている各種設定情報／パラメータ、ＴＰＣコマンドなどを介して、端末装置１によるＰＵＳＣＨおよびＰＵＣＣＨでの送信に対する送信電力の制御を行う。
【０３０８】
また、制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０３０９】
また、受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。また、受信部３０５は、上りリンク制御情報を受信する。
【０３１０】
また、無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【０３１１】
また、多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０３１２】
また、復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０３１３】
また、復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０３１４】
また、送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【０３１５】
また、符号化部３０７１は、上位層処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０３１６】
また、下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０３１７】
また、無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０３１８】
より具体的には、本実施形態における端末装置１は、複数のＰＵＣＣＨセルグループを設定するために用いられる第１情報が含まれる上位層の信号を受信し、１つまたは複数のサービングセルのセットを設定するために用いられる第２の情報が含まれる前記上位層の信号を受信し、１つまたは複数のサービングセルのセットを設定するために用いられる第３の情報が含まれる前記上位層の信号を受信する受信部１０５と、前記複数のＰＵＣＣＨセルグループのうちの、ＤＣＩフォーマットを用いてＰＵＳＣＨがスケジューリングされたサービングセルが属する１つのＰＵＣＣＨセルグループにおいて、１つよりも多いサービングセルが設定された場合に、２ビットのＣＳＩリクエストフィールドの値、および、前記第２の情報に基づいて、アピリオディックＣＳＩレポートを実行し、前記複数のＰＵＣＣＨセルグループのうちの、ＤＣＩフォーマットを用いてＰＵＳＣＨがスケジューリングされたサービングセルが属する１つのＰＵＣＣＨセルグループにおいて、５つよりも多いサービングセルが設定された場合に、３ビットのＣＳＩリクエストフィールドの値、および、前記第３の情報に基づいて、アピリオディックＣＳＩレポートを実行する送信部１０７と、を備える。
【０３１９】
ここで、前記送信部１０７は、前記複数のＰＵＣＣＨセルグループのうちの、ＤＣＩフォーマットを用いてＰＵＳＣＨがスケジューリングされたサービングセルが属する１つのＰＵＣＣＨセルグループにおいて、１つのサービングセルが設定された場合には、１ビットのＣＳＩリクエストフィールドの値に基づいて、前記１つのサービングセルに対するアピリオディックＣＳＩレポートを実行する。
【０３２０】
また、本実施形態における基地局装置３は、複数のＰＵＣＣＨセルグループを設定するために用いられる第１情報が含まれる上位層の信号を送信し、１つまたは複数のサービングセルのセットを設定するために用いられる第２の情報が含まれる前記上位層の信号を送信し、１つまたは複数のサービングセルのセットを設定するために用いられる第３の情報が含まれる前記上位層の信号を送信する送信部３０７と、前記複数のＰＵＣＣＨセルグループのうちの、ＤＣＩフォーマットを用いてＰＵＳＣＨがスケジューリングされたサービングセルが属する１つのＰＵＣＣＨセルグループにおいて、１つよりも多いサービングセルが設定された場合に、２ビットのＣＳＩリクエストフィールドの値、および、前記第２の情報に基づいて、アピリオディックＣＳＩレポートを受信し、前記複数のＰＵＣＣＨセルグループのうちの、ＤＣＩフォーマットを用いてＰＵＳＣＨがスケジューリングされたサービングセルが属する１つのＰＵＣＣＨセルグループにおいて、５つよりも多いサービングセルが設定された場合に、３ビットのＣＳＩリクエストフィールドの値、および、前記第３の情報に基づいて、アピリオディックＣＳＩレポートを受信する受信部３０５と、を備える。
【０３２１】
ここで、前記受信部３０５は、前記複数のＰＵＣＣＨセルグループのうちの、ＤＣＩフォーマットを用いてＰＵＳＣＨがスケジューリングされたサービングセルが属する１つのＰＵＣＣＨセルグループにおいて、１つのサービングセルが設定された場合には、１ビットのＣＳＩリクエストフィールドの値に基づいて、前記１つのサービングセルに対するアピリオディックＣＳＩレポートを受信する。
【０３２２】
また、本実施形態における端末装置１は、ＣＳＩリクエスト、ＭＣＳインデックスを指示するために用いられる情報、および、物理リソースブロックを割り当てるために用いられる情報が含まれるＤＣＩフォーマット０を受信する受信部１０５と、前記ＭＣＳインデックスが２９であり、前記ＣＳＩリクエストフィールドが３ビットであり、前記ＣＳＩリクエストフィールドが１つのサービングセルに対するアピリオディックＣＳＩレポートをトリガするようセットされ、前記物理リソースブロックの数が４と同じ、または、４より少ない場合には、ＰＵＳＣＨを用いて上りリンク制御情報のみを送信し、前記ＭＣＳインデックスが２９であり、前記ＣＳＩリクエストフィールドが３ビットであり、前記ＣＳＩリクエストフィールドが１つよりも多いサービングセルに対するアピリオディックＣＳＩレポートがトリガするようセットされ、前記物理リソースブロックの数が２０と同じ、または、２０より少ない場合には、ＰＵＳＣＨを用いて上りリンク制御情報のみを送信し、前記ＭＣＳインデックスが２９であり、前記ＣＳＩリクエストフィールドが３ビットであり５つよりも多いサービングセルに対するアピリオディックＣＳＩレポートがトリガするようセットされている場合には、前記物理リソースブロックの数に関わらず、ＰＵＳＣＨを用いて上りリンク制御情報のみを送信する送信部１０７と、を備える。
【０３２３】
ここで、前記受信部１０５は、ＣＳＩリクエスト、ＭＣＳインデックスを指示するために用いられる情報、物理リソースブロックを割り当てるために用いられる情報、および、送信レイヤを指示するために用いられる情報が含まれるＤＣＩフォーマット４を受信し、前記送信部１０７は、１つのトランスポートブロックが有効とされ、前記有効とされたトランスポートブロックに対する該ＭＣＳインデックスが２９であり、送信レイヤの数が１であり、ＣＳＩリクエストフィールドが３ビットであり１つのサービングセルに対するアピリオディックＣＳＩレポートがトリガするようセットされ、前記物理リソースブロックの数が４以下の場合には、ＰＵＳＣＨを用いて上りリンク制御情報のみを送信し、１つのトランスポートブロックが有効とされ、前記有効とされたトランスポートブロックに対する該ＭＣＳインデックスが２９であり、送信レイヤの数が１であり、ＣＳＩリクエストフィールドが３ビットであり１つよりもサービングセルに対するアピリオディックＣＳＩレポートがトリガするようセットされ、前記物理リソースブロックの数が２０以下の場合には、ＰＵＳＣＨを用いて上りリンク制御情報のみを送信し、１つのトランスポートブロックが有効とされ、前記有効とされたトランスポートブロックに対する該ＭＣＳインデックスが２９であり、送信レイヤの数が１であり、ＣＳＩリクエストフィールドが３ビットであり５つよりもサービングセルに対するアピリオディックＣＳＩレポートがトリガするようセットされている場合には、前記物理リソースブロックの数に関わらず、ＰＵＳＣＨを用いて上りリンク制御情報のみを送信する。
【０３２４】
また、本実施形態における基地局装置３は、ＣＳＩリクエスト、ＭＣＳインデックスを指示するために用いられる情報、および、物理リソースブロックを割り当てるために用いられる情報が含まれるＤＣＩフォーマット０を送信する送信部３０７と、前記ＭＣＳインデックスが２９であり、前記ＣＳＩリクエストフィールドが３ビットであり、前記ＣＳＩリクエストフィールドが１つのサービングセルに対するアピリオディックＣＳＩレポートをトリガするようセットされ、前記物理リソースブロックの数が４と同じ、または、４より少ない場合には、ＰＵＳＣＨを用いて上りリンク制御情報のみを受信し、前記ＭＣＳインデックスが２９であり、前記ＣＳＩリクエストフィールドが３ビットであり、前記ＣＳＩリクエストフィールドが１つよりも多いサービングセルに対するアピリオディックＣＳＩレポートがトリガするようセットされ、前記物理リソースブロックの数が２０と同じ、または、２０より少ない場合には、ＰＵＳＣＨを用いて上りリンク制御情報のみを受信し、前記ＭＣＳインデックスが２９であり、前記ＣＳＩリクエストフィールドが３ビットであり５つよりも多いサービングセルに対するアピリオディックＣＳＩレポートがトリガするようセットされている場合には、前記物理リソースブロックの数に関わらず、ＰＵＳＣＨを用いて上りリンク制御情報のみを受信する受信部３０５と、を備える。
【０３２５】
ここで、前記送信部３０７は、ＣＳＩリクエスト、ＭＣＳインデックスを指示するために用いられる情報、物理リソースブロックを割り当てるために用いられる情報、および、送信レイヤを指示するために用いられる情報が含まれるＤＣＩフォーマット４を送信し、前記受信部３０５は、１つのトランスポートブロックが有効とされ、前記有効とされたトランスポートブロックに対する該ＭＣＳインデックスが２９であり、送信レイヤの数が１であり、ＣＳＩリクエストフィールドが３ビットであり１つのサービングセルに対するアピリオディックＣＳＩレポートがトリガするようセットされ、前記物理リソースブロックの数が４以下の場合には、ＰＵＳＣＨを用いて上りリンク制御情報のみを受信し、１つのトランスポートブロックが有効とされ、前記有効とされたトランスポートブロックに対する該ＭＣＳインデックスが２９であり、送信レイヤの数が１であり、ＣＳＩリクエストフィールドが３ビットであり１つよりもサービングセルに対するアピリオディックＣＳＩレポートがトリガするようセットされ、前記物理リソースブロックの数が２０以下の場合には、ＰＵＳＣＨを用いて上りリンク制御情報のみを受信し、１つのトランスポートブロックが有効とされ、前記有効とされたトランスポートブロックに対する該ＭＣＳインデックスが２９であり、送信レイヤの数が１であり、ＣＳＩリクエストフィールドが３ビットであり５つよりもサービングセルに対するアピリオディックＣＳＩレポートがトリガするようセットされている場合には、ＰＵＳＣＨを用いて上りリンク制御情報のみを受信する。
【０３２６】
また、本実施形態における端末装置１は、第１のＰＵＣＣＨセルグループにおいてＨＡＲＱ−ＡＣＫの送信に用いられるプライマリーセルを設定するための情報を受信し、第２のＰＵＣＣＨセルグループにおいてＨＡＲＱ−ＡＣＫの送信に用いられる第１のセカンダリーセルを設定するための情報を受信する受信部１０５と、前記第１のＰＵＣＣＨセルグループにおける前記プライマリーセルのみにおけるＰＤＳＣＨでの送信に対して、前記プライマリーセルにおいて、第１のＰＵＣＣＨリソースおよび第１のＰＵＣＣＨフォーマットを用いて、ＨＡＲＱ−ＡＣＫを送信し、前記第１のＰＵＣＣＨセルグループにおける第２のセカンダリーセルにおけるＰＤＳＣＨでの送信に対して、前記プライマリーセルにおいて、第２のＰＵＣＣＨリソースおよび第２のＰＵＣＣＨフォーマットを用いて、ＨＡＲＱ−ＡＣＫを送信し、前記第２のＰＵＣＣＨセルグループにおける前記第１のセカンダリーセルのみにおけるＰＤＳＣＨでの送信に対して、前記第１のセカンダリーセルにおいて、第２のＰＵＣＣＨリソースおよび第２のＰＵＣＣＨフォーマットを用いて、ＨＡＲＱ−ＡＣＫを送信し、前記第２のＰＵＣＣＨセルグループにおける第３のセカンダリーセルにおけるＰＤＳＣＨでの送信に対して、前記第１のセカンダリーセルにおいて、第２のＰＵＣＣＨリソースおよび第２のＰＵＣＣＨフォーマットを用いて、ＨＡＲＱ−ＡＣＫを送信する送信部１０７と、を備える。
【０３２７】
また、本実施形態における基地局装置３は、第１のＰＵＣＣＨセルグループにおいてＨＡＲＱ−ＡＣＫの送信に用いられるプライマリーセルを設定するための情報を送信し、第２のＰＵＣＣＨセルグループにおいてＨＡＲＱ−ＡＣＫの送信に用いられる第１のセカンダリーセルを設定するための情報を送信する送信部３０７と、前記第１のＰＵＣＣＨセルグループにおける前記プライマリーセルのみにおけるＰＤＳＣＨでの送信に対して、前記プライマリーセルにおいて、第１のＰＵＣＣＨリソースおよび第１のＰＵＣＣＨフォーマットを用いて、ＨＡＲＱ−ＡＣＫを受信し、前記第１のＰＵＣＣＨセルグループにおける第２のセカンダリーセルにおけるＰＤＳＣＨでの送信に対して、前記プライマリーセルにおいて、第２のＰＵＣＣＨリソースおよび第２のＰＵＣＣＨフォーマットを用いて、ＨＡＲＱ−ＡＣＫを受信し、前記第２のＰＵＣＣＨセルグループにおける前記第１のセカンダリーセルのみにおけるＰＤＳＣＨでの送信に対して、前記第１のセカンダリーセルにおいて、第２のＰＵＣＣＨリソースおよび第２のＰＵＣＣＨフォーマットを用いて、ＨＡＲＱ−ＡＣＫを受信し、前記第２のＰＵＣＣＨセルグループにおける第３のセカンダリーセルにおけるＰＤＳＣＨでの送信に対して、前記第１のセカンダリーセルにおいて、第２のＰＵＣＣＨリソースおよび第２のＰＵＣＣＨフォーマットを用いて、ＨＡＲＱ−ＡＣＫを受信する受信部３０５と、を備える。
【０３２８】
また、本実施形態における端末装置１は、ＰＵＳＣＨを伴わない１つのサブフレームにおいて、あるサービングセルにおけるＨＡＲＱ−ＡＣＫの送信と、前記あるサービングセルにおけるピリオディックＣＳＩレポートとが衝突した場合に、前記ＨＡＲＱ−ＡＣＫと多重された前記ピリオディックＣＳＩレポートを前記あるサービングセルにおけるＰＵＣＣＨで送信し、ＰＵＳＣＨを伴わない１つのサブフレームにおいて、前記あるサービングセルにおけるＨＡＲＱ−ＡＣＫの送信と、前記あるサービングセルとは異なるサービングセルにおけるピリオディックＣＳＩレポートとが衝突した場合に、前記ＨＡＲＱ−ＡＣＫを前記あるサービングセルにおけるＰＵＣＣＨで送信し、前記ピリオディックＣＳＩレポートを前記あるサービングセルとは異なるサービングセルにおけるＰＵＣＣＨで送信する送信部３０７を備える。
【０３２９】
また、本実施形態における端末装置１は、前記ＰＵＳＣＨを伴わない１つのサブフレームにおける、前記あるサービングセルにおける前記ＨＡＲＱ−ＡＣＫと前記ピリオディックＣＳＩレポートとの送信を許可するために用いられる第１の情報を受信し、前記ＰＵＳＣＨを伴わない１つのサブフレームにおける、前記あるサービングセルにおける前記ＨＡＲＱ−ＡＣＫと、前記あるサービングセルとは異なるサービングセルにおける前記ピリオディックＣＳＩレポートとの送信を許可するために用いられる第２の情報を受信する受信部３０５を備える。
【０３３０】
また、本実施形態における端末装置１は、ＰＵＳＣＨを伴わない１つのサブフレームにおいて、あるサービングセルにおけるＨＡＲＱ−ＡＣＫの送信と、前記あるサービングセルにおけるピリオディックＣＳＩレポートとが衝突した場合に、前記ＨＡＲＱ−ＡＣＫと多重された前記ピリオディックＣＳＩレポートを前記あるサービングセルにおけるＰＵＣＣＨで送信し、ＰＵＳＣＨを伴わない１つのサブフレームにおいて、前記あるサービングセルにおけるＨＡＲＱ−ＡＣＫの送信と、前記あるサービングセルとは異なるサービングセルにおけるピリオディックＣＳＩレポートとが衝突した場合に、前記ＨＡＲＱ−ＡＣＫを前記あるサービングセルにおけるＰＵＣＣＨで送信し、前記ピリオディックＣＳＩレポートをドロップする送信部３０７を備える。
【０３３１】
また、本実施形態における基地局装置３は、ＰＵＳＣＨを伴わない１つのサブフレームにおいて、あるサービングセルにおけるＨＡＲＱ−ＡＣＫの送信と、前記あるサービングセルにおけるピリオディックＣＳＩレポートとが衝突した場合に、前記ＨＡＲＱ−ＡＣＫと多重された前記ピリオディックＣＳＩレポートを前記あるサービングセルにおけるＰＵＣＣＨで受信し、ＰＵＳＣＨを伴わない１つのサブフレームにおいて、前記あるサービングセルにおけるＨＡＲＱ−ＡＣＫの送信と、前記あるサービングセルとは異なるサービングセルにおけるピリオディックＣＳＩレポートとが衝突した場合に、前記ＨＡＲＱ−ＡＣＫを前記あるサービングセルにおけるＰＵＣＣＨで受信し、前記ピリオディックＣＳＩレポートを前記あるサービングセルとは異なるサービングセルにおけるＰＵＣＣＨで受信する受信部３０５を備える。
【０３３２】
また、本実施形態における基地局装置３は、前記ＰＵＳＣＨを伴わない１つのサブフレームにおける、前記あるサービングセルにおける前記ＨＡＲＱ−ＡＣＫと前記ピリオディックＣＳＩレポートとの送信を許可するために用いられる第１の情報を送信し、前記ＰＵＳＣＨを伴わない１つのサブフレームにおける、前記あるサービングセルにおける前記ＨＡＲＱ−ＡＣＫと、前記あるサービングセルとは異なるサービングセルにおける前記ピリオディックＣＳＩレポートとの送信を許可するために用いられる第２の情報を送信する送信部３０７を備える。
【０３３３】
また、本実施形態における基地局装置３は、ＰＵＳＣＨを伴わない１つのサブフレームにおいて、あるサービングセルにおけるＨＡＲＱ−ＡＣＫの送信と、前記あるサービングセルにおけるピリオディックＣＳＩレポートとが衝突した場合に、前記ＨＡＲＱ−ＡＣＫと多重された前記ピリオディックＣＳＩレポートを前記あるサービングセルにおけるＰＵＣＣＨで受信し、ＰＵＳＣＨを伴わない１つのサブフレームにおいて、前記あるサービングセルにおけるＨＡＲＱ−ＡＣＫの送信と、前記あるサービングセルとは異なるサービングセルにおけるピリオディックＣＳＩレポートとが衝突した場合に、前記ＨＡＲＱ−ＡＣＫを前記あるサービングセルにおけるＰＵＣＣＨで受信し、前記ピリオディックＣＳＩレポートはドロップされたと想定する受信部３０５を備える。
【０３３４】
これにより、端末装置が、送信電力に関わる処理を効率的に実行することができる。
【０３３５】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０３３６】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０３３７】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０３３８】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０３３９】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０３４０】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０３４１】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０３４２】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０３４３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０３４４】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  送信電力制御部
３０１１  無線リソース制御部
３０１３  スケジューリング部
３０１５  送信電力制御部
【図１】
2018041999.tif 000003
【図２】
2018041999.tif 000004
【図３】
2018041999.tif 000005
【図４】
2018041999.tif 000006
【図５】
2018041999.tif 000007
【図６】
2018041999.tif 000008
【図７】
2018041999.tif 000009
【図８】
2018041999.tif 000010